(57)【要約】【課題】ウエストが伸びたときのポケットの美観を損なうことなく小ポケットを設けたこと。【解決手段】綿パン１は、前身頃４Ｆ側であって脇線ＲＳ，ＬＳに沿って取付けられ、Ｌポケット口外縁２６ＬがＬ字状でその上端が延出部１１に接続したＬポケット部２０Ｌと、前身頃４Ｆ側であって脇線ＲＳ，ＬＳに沿ってＬポケット部２０Ｌと重複して取付けられ、Ｌポケット部２０Ｌよりも容量が小さく、小ポケット口外縁２６Ｓの上端がＬポケット部２０ＬのＬ字状のＬポケット口外縁２６Ｌよりも脇線ＲＳ，ＬＳ寄りで延出部１１に接続した小ポケット部２０Ｓとを具備し、小ポケット部２０Ｓには、それを構成する小袋布２１Ｓの向こう布２１ＳＢ側に上端から下方に向かって延びた襞状のタック部２２が形成され、タック部２２の襞が少なくともその上方で展開自在であり、上方を除く一部で縫合されているものである。【選択図】図１
2020133020.tif 000002
【特許請求の範囲】
【請求項１】
身頃の上部に接続しウエスト方向に延びる帯状をなすウエストベルト部が伸縮自在なＬポケット付きボトムスであって、
前記ウエストベルト部の表側及び裏側を形成し、前記身頃に縫着していない端部側が延出自在な延出部と、
前記延出部と共に前記ウエストベルト部の表側及び裏側を形成し、前記延出部の前記身頃に縫着していない前記端部側を収容した収容部と、
前記収容部の内部で前記収容部と前記延出部の間を弾性材によって弾性的に接続した接続部と、
前記身頃の前身頃側であって片側の脇または両脇の脇線に沿って取付けられ、Ｌ字状のポケット口の外縁の上端が前記延出部に接続したＬポケット部と、
前記身頃の前身頃側であって片側の脇または両脇の脇線に沿って前記Ｌポケット部と重複して取付けられ、前記Ｌポケット部よりも容量が小さく、ポケット口の外縁の上端が前記Ｌポケット部のＬ字状のポケット口外縁よりも脇線寄りで前記延出部に接続した小ポケット部と
を具備し、
前記小ポケット部は、それを構成する袋布の向こう布側に上端から下方に向かって延びた襞状のタック部が形成され、前記タック部の襞は、少なくともその上方が展開自在で、前記上方を除く一部が縫合されていることを特徴とするＬポケット付きボトムス。
【請求項２】
身頃の上部に接続しウエスト方向に延びる帯状をなすウエストベルト部が伸縮自在なＬポケット付きボトムスであって、
前記ウエストベルト部の表側を形成し、前記身頃に縫着していない端部側が延出自在な延出部と、
前記延出部と共に前記ウエストベルト部の表側を形成し、前記延出部の前記身頃に縫着していない前記端部側を収容した収容部と、
前記収容部の内部で前記収容部と前記延出部の間を弾性材によって弾性的に接続した接続部と、
前記ウエスト方向に一体に連続して前記ウエストベルト部の裏側を形成し、前記弾性材とは別の他の弾性材によって伸縮自在な腰裏ベルト部と、
前記身頃の前身頃側であって片側の脇または両脇の脇線に沿って取付けられ、Ｌ字状のポケット口の外縁の上端が前記延出部に接続したＬポケット部と、
前記身頃の前身頃側であって片側の脇または両脇の脇線に沿って前記Ｌポケット部と重複して取付けられ、前記Ｌポケット部よりも容量が小さく、ポケット口の外縁の上端が前記Ｌポケット部のＬ字状のポケット口外縁よりも脇線寄りで前記延出部に接続した小ポケット部と
を具備し、
前記小ポケット部は、それを構成する袋布の向こう布側に上端から下方に向かって延びた襞状のタック部が形成され、前記タック部の襞は、少なくともその上方が展開自在で、前記上方を除く一部が縫合されていることを特徴とするＬポケット付きボトムス。
【請求項３】
前記小ポケット部のタック部の襞を縫合する始点は、前記小ポケット部のポケット口外縁の終端の高さに対応する位置から上に垂直方向の長さで３ｃｍ以上、８ｃｍ以下の範囲内にあり、前記タック部の襞を縫合する終点は、前記小ポケット部のポケット口外縁の終端の高さに対応する位置またはそれよりも下にあることを特徴とする請求項１または請求項２に記載のＬポケット付きボトムス。
【請求項４】
前記小ポケット部を構成する袋布の向こう布側は、前記小ポケット部のポケット口外縁に対応する位置に芯材を設けていることを特徴とする請求項１乃至請求項３の何れか１つに記載のＬポケット付きボトムス。
【請求項５】
前記小ポケット部は、そのポケット口外縁が前記脇線に沿って延びた直線状であることを特徴とする請求項１乃至請求項４の何れか１つに記載のＬポケット付きボトムス。
【請求項６】
前記Ｌポケット部は、そのポケット口外縁が縦方向に短く横方向に長いＬ字状であり、前記小ポケット部のポケット口外縁の終端は、前記Ｌポケット部のＬ字状のポケット口外縁の脇線寄りの終端より下に位置していることを特徴とする請求項１乃至請求項５の何れか１つに記載のＬポケット付きボトムス。
【請求項７】
前記腰裏ベルト部は、前記収容部の裏側に縫付けた収容部側裏ベルトと前記延出部の裏側に縫付けた延出部側裏ベルトの間を前記他の弾性材によって弾性的に接続してなることを特徴とする請求項２乃至請求項６の何れか１つに記載のＬポケット付きボトムス。
【発明の詳細な説明】
【技術分野】
【０００１】
本発明は、ウエストサイズを伸縮自在とした被服、即ち、スーツ用ズボンや綿パン等のパンツ（ズボン）、スカート、キュロットスカート等（以下、「ボトムス（bottoms）」という）のウエスト伸縮自在ボトムスに関するもので、特に、ウエストが伸びたときでもポケットの美観を損なうことのない小ポケットを有するＬポケット付きボトムスに関するものである。
【背景技術】
【０００２】
一般に、パンツ（ズボン）等のボトムスの既製品のウエストサイズは、例えば、紳士用であれば、７９ｃｍ、８２ｃｍ、８５ｃｍ等の３ｃｍ間隔、婦人用であれば、６９ｃｍ、７２ｃｍ、７５ｃｍ等の３ｃｍ間隔とした所定の間隔に設定されており、購入者は自己のウエストサイズに近いものを選択して購入している。ところが、既製品のウエストサイズに対し、自己のウエストサイズが合わない際には、購入した衣服のウエストサイズを縫製等により自己のウエストサイズに修正したり、ベルト等を使用して矯正したりして着用している。しかし、このような修正作業には手間及び費用を要し、また、ベルト等によって矯正する場合でも、その購入に余分な費用がかかる。そのうえ、ベルト等で矯正する場合、パンツ等のウエストベルト部に皺が生じることがあり見栄えに好ましくなく、着用した際の快適性も劣ることなる。
【０００３】
また、このような既製品のウエストサイズが固定化されたボトムスでは、たとえ、購入時に、或いは、修正により自己のウエストサイズとボトムスのウエストサイズが合致していても、例えば、起立時と着座時とを比べると、着座時の方が自己のウエストサイズが大きくなることから、そのウエストサイズの変化に対応できない。飲食前後におけるウエストサイズの変化もそれに該当する。このため、ウエストサイズが固定化されたボトムスでは、着用者のウエストの動きに追従するフィット性が得られず、快適性に劣る。
【０００４】
そこで、これを解決したものとして、例えば、本発明者の特許発明に係る特許文献１乃至特許文献３に記載された技術が公知である。これらの技術は、ズボン等のポケットまたはタック部分でウエストベルト部の一部を重複させる機構とし、即ち、前方または後方のうちの一方のウエストベルト部（延出部）を前方または後方のうちの他方のウエストベルト部（収容部）の内側（裏側）に重ねて配置し、そして、それらの内側で弾性材により連結する。これにより、ズボン等のウエストベルト部が着用者のウエストの動きに合わせて伸縮自在となるものである。
【先行技術文献】
【特許文献】
【０００５】
【特許文献１】特許第３７８９６６３号公報
【特許文献２】特許第３９６４５９５号公報
【特許文献３】特許第４４９９２６７号公報
【発明の概要】
【発明が解決しようとする課題】
【０００６】
これら特許文献１乃至特許文献３のウエスト伸縮自在ボトムスによれば、脇線近傍の脇ポケット部にタックを設けることによって、ウエストベルト部の伸びに伴い脇ポケット部の袋布に掛かる引張り力をタックの襞の展開によって逃がし、ウエストベルト部のスムースな伸びを確保することができる。そして、こうしたウエスト伸縮自在ボトムスにおける脇ポケット部として、特許文献３に開示のボトムスでは、通常の大きさのポケットに加え、それよりも大きさの小さい小ポケットをその直線のポケット口が脇線に沿うように設けられている。このような通常の大きさのポケットに加えて小ポケットを設けた脇ポケット部では、小ポケットの袋布にタックを設けることで、通常の大きさのポケットの見た目の変化を少なくして見栄えを良くでき、また、小ポケットは小銭入れ、鍵入れ、切符入れ等として使用でき、通常の大きさのポケットに入れる物との区別ができることで使い勝手を良くできる。
【０００７】
ここで、脇ポケットのバリエーションとして、従来、特許文献３に開示があるように、通常の大きさのポケットとしてポケット口の外縁がＬ字形状であるＬポケット（Ｌ型ポケット）が存在する。このＬポケットは、従来、ジーンズ（Ｇパン）のカジュアルなスタイルに好まれて用いられてきたが、斜めポケットに比べ脇線側で開口が開かない見栄えを確保できることから、特に、骨盤が大きい女性でも、着用したときに斜めポケットに比べポケット口が変形し難く見栄えを良くすることができることから、最近では綿パン、スーツ用ズボン、スラックス等にも採用されている。
【０００８】
ところが、このようなＬポケットに対し、それよりも大きさの小さい小ポケットをその直線状のポケット口が脇線に沿うように設けた場合、ウエスト伸縮自在ボトムスでは、そのウエストが伸びた時に、小ポケットの袋布が変形しやすく、図１３（ａ）に示したように、小ポケットの小ポケット口（２３Ｓ）から袋布の表地２５の部分が吹き出したり、脇ポケット部（２０）及びその周辺に皺が生じたりし、特に、綿パン、スーツ用ズボン、スラックス等の場合には、その生地の材質からして皺寄りが目立つことで見栄えが大きく損なわれるという問題がある。
【０００９】
即ち、特許文献３に開示した小ポケットを設けたウエスト伸縮自在ボトムスにおいて、普通の大きさのポケットとしてポケット口の外縁がＬ字形状であるＬポケット（Ｌ型ポケット）を採用した場合、伸縮自在なウエストベルト部に対し、Ｌ字状のポケット口外縁の上端が接続しているから、ウエストベルト部が伸びると、その伸びに伴ってＬ字状のポケット口外縁の上端側も移動する。このため、図１３（ａ）に示したようにＬ字状のポケット口外縁（２６Ｌ）と脇線（ＲＳ）の交点であるポケット止まり（７５Ｌ）を中心にしてその周囲に引き攣りが生じ易くなる。
【００１０】
ここで、ポケット口の外縁をＬ字状とするＬポケットでは、そのポケットの中に入れる物が落ち難い大きさを考慮すると、そのＬ字状のポケット口外縁と脇線の交点であるポケット止まりの位置が、斜めポケットのときよりもウエストベルト部に近づく位置に設計される。このため、このようなポケット口の外縁をＬ字状とするＬポケットに対し、小ポケットを付加した際には、Ｌ字形状であるポケット口外縁のポケット止まりの高さから上で引き攣り量、引っ張り量が大きいものとなる。
【００１１】
その結果、ポケット口の外縁をＬ字状とするＬポケットに対し、それよりも大きさの小さい小ポケットをその直線状のポケット口が脇線に沿うように設けた場合には、ウエストが伸びた時に、小ポケットの袋布が変形しやすく、図１３（ａ）に示したように、小ポケットのポケット口から袋布の表地の部分が吹き出したり、小ポケット及びその周辺に皺が生じたりする。特に、図１３（ａ）に示したように小ポケットのポケット口として、一般的な手の大きさ、取り出し易さを考慮し、また、Ｌポケットのポケット口として、中に入れた物が落ち難い大きさを考慮すると、小ポケットのポケット口外縁の下端がＬポケットのポケット止まり（７５Ｌ）よりも下に位置する設計となるが、そのような場合には、小ポケットのポケット口の膨らみ等の変化が前身頃によって抑制されるから、小ポケットのポケット口からの袋布の表地の部分の吹き出しや、小ポケット部及びその周辺の皺寄りが顕著となる。そして、綿パン、スーツ用ズボン、スラックス等の場合には、このような小ポケットのポケット口からの袋布の吹き出しや、小ポケット及びその周辺の皺寄りが目立つことで、ポケットの見栄えが悪くなり商品イメージを大きく低下させてしまうことになる。
【００１２】
そこで、本発明においては、ウエストが伸びたときのポケットの美観を損なうことなく小ポケットを設けたＬポケット付きボトムスの提供を課題とするものである。
【課題を解決するための手段】
【００１３】
請求項１の発明のＬポケット付きボトムスは、身頃に縫着しない端部側が延出自在な延出部と、前記延出部の前記身頃に縫着しない前記端部側を収容した収容部と、前記収容部の内部で前記収容部と前記延出部の間を弾性材によって弾性的に接続した接続部とによって、ウエスト方向に延びる帯状をなした伸縮自在なウエストベルト部を構成し、Ｌ字状のポケット口外縁の上端が前記延出部に接続したＬポケット部を前記身頃の前身頃側であって片側の脇線または両脇の脇線に沿って取付け、また、前記Ｌポケット部よりも容量が小さく、ポケット口外縁の上端が前記Ｌポケット部のＬ字状のポケット口外縁よりも脇線寄りで前記延出部に接続した小ポケット部を前記前身頃側であって片側または両脇の脇線に沿って前記Ｌポケット部と重複して取付けたものである。そして、前記小ポケット部において、それを構成する袋布の向こう布側に上端から下方に向かって延びる襞状のタック部が形成され、前記タック部の襞がその上方を除いた一部で縫合されているものである。
【００１４】
ここで、上記ウエストベルト部は、着用時に人体のウエスト周りに配設する部位であり、身頃の上部に縫合わされボトムスの履き口となる上部において、ウエスト周囲に亘って延びる帯状に形成されたものである。
【００１５】
上記延出部は、前記ウエストベルト部のウエスト方向の長さの一部でその表裏を形成する帯状をなし、その長さ方向の端部側が身頃に縫着されずに収容部に挿入されて収容され、かつ、収容部から延出自在とされるものである。
【００１６】
上記収容部は、前記延出部を除く残りの前記ウエストベルト部のウエスト方向の長さの一部でその表裏を形成する帯状をなし、その長さ方向の端部（一端部または両端部）側に前記延出部の身頃に縫着されない端部側が挿入されて収められたものである。
【００１７】
上記延出部と収容部の関係は、見栄え、美観からして、ボトムスの脇線の上方付近で、延出部の延出自在な端部が前記ウエストベルト部の表裏の外面側（表裏面側）から隠れるように収容部内に入れられ、即ち、収容部に対し延出部の端部側が収容されて、収容部と延出部が重複する。そして、通常はポケットが前身頃側に配設されることから、ボトムスの前身頃側の上部に延出部が配設され、後身頃側の上部に収容部が配設され、延出部と収容部は脇線またはその近傍の上方で重ね合わせられる。つまり、収容部の延出部を収容している開口端は、脇線の上またはその近傍に位置している。
このような延出部及び収容部によって、ウエストベルト部の表側及び裏側を形成する構成は、例えば、延出部や収容部の表側と裏側は、１枚布をウエストベルト部の上端部で折り曲げる構成としてもよいし、ウエストベルト部の上端部で表裏の生地を接ぐ構成としてもよい。
【００１８】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００１９】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００２０】
上記Ｌポケット部は、後身頃及び前身頃からなる身頃のうちの前身頃側であってボトムスの左または右の片方の脇線若しくは左右両方の脇線に沿って設けられたものであり、ボトムスの表側のポケット口の外縁が略Ｌ字型形状を有し、そのＬ字状のポケット口外縁の前中心寄りの上端（始端）が前記延出部に接続し、Ｌ字状の反対側の脇線寄りの終端がボトムスの脇線に接続しているものである。このポケット口の外縁が略Ｌ字型形状は、例えば、その外縁が角張ったＬ字形状であってもよいし、緩やかにカーブしたＬ字形状であってもよい。また、ポケット口の外縁が縦方向に短く横方向に長いＬ字形状のポケットであってもよいし、ポケット口の外縁が縦方向に長く横方向に短いＬ字形状のポケットであってもよい。特に、ポケット口の開き、変形が少ないことから、ポケット口の外縁が縦方向に短く横方向に長いＬ字形状のポケット部が好ましい。そして、そのようなポケット口の外縁が縦方向に短く横方向に長いＬ字形状のポケット部においては、そのポケット口の縦方向の開口縦幅が、ポケットの中に入れた物の落ち難さを考慮すると、通常、５ｃｍ〜１１ｃｍ、好ましくは、６ｃｍ〜１０ｃｍに設定される。なお、上記Ｌ字状とは、Ｌ字及びそれを左右反転させた形状（線対称形状）を含む概念である。また、上記脇線に沿って取付けとは、Ｌポケット部を形成する袋布の端部が身頃の前側及び後側の境界部分で身頃の前側及び後側と共に縫合されて、身頃の前側及び後側の接ぎ目部分に縫付けられていることを意味する。
【００２１】
上記小ポケット部は、前記Ｌポケット部と同様、後身頃及び前身頃からなる身頃のうちの前身頃側であってボトムスの左または右の片方の脇線若しくは左右両方の脇線に沿って設けられたものであり、前記Ｌポケット部よりも容量が小さく前記Ｌポケット部に重ね合わせて重複して取付られたものである。即ち、ボトムスの裏側からみたときに、Ｌポケット部を構成する袋布の手前（前方）側に小ポケット部を構成する袋布が配設しており、小ポケット部を形成する袋布は、Ｌポケット部を形成する袋布よりもその容量が小さいものである。
【００２２】
この上記小ポケット部は、そのポケット口外縁の上端がＬポケット部のＬ字状のポケット口外縁の上端よりも脇線寄りで、即ち、延出部が収容される収容部の開口端に近づいて前記延出部に接続し、ポケット口外縁の反対側の終端はボトムスの脇線側に接続しているものである。上記小ポケット部は、ボトムスの表側のポケット口の外縁が、ウエストベルト部のウエスト方向に対し垂直方向に略真っ直ぐな略直線状のものであってもよいし、前中心側から脇線側に向かって傾く斜めの直線状のものであってもよいし、Ｌ字型形状のものであってもよいし、その変形で外縁が略Ｓ字型形状のものであってもよい。特に、ポケット口の外縁が脇線に沿う略直線形状であると、視覚的にポケット口外縁が脇線に重複することで目立たないものとすることができる。なお、上記小ポケット部のポケット口外縁の上端がＬポケット部のＬ字状のポケット口外縁の上端よりも脇線寄りとは、小ポケット部のポケット口外縁の上端が前記Ｌ字状のポケット口外縁の上端よりも脇線に近いことを意味する。
【００２３】
そして、上記小ポケット部は、一般的な手の大きさ、取り出し易さを考慮すると、ポケット口の縦方向の開口（縦幅）が、７ｃｍ〜１３ｃｍ、好ましくは、８ｃｍ〜１２ｃｍに設定される。特に、前記Ｌポケット部のＬ字状のポケット口の縦方向の開口縦幅が、５ｃｍ〜１１ｃｍ、好ましくは、６ｃｍ〜１０ｃｍを考慮すると、小ポケット部のポケット止まり、即ち、小ポケット口外縁の終端（下端）は、前記Ｌポケット部のポケット止まり、即ち、脇線と交わるＬポケット口外縁の終端の位置より下方に位置することになる。このような小ポケット部とＬポケット部の位置関係では、ボトムスの表側から見て、小ポケット部の小ポケット口外縁の下方が、前身頃及びＬポケット部によって隠れることになる。
なお、上記Ｌポケット部及び小ポケット部は、左右のどちらかの脇または左右の両脇に設けられるが、両脇のポケットが左右対称であってもよいし、左右対称でなくともよく、右脇のポケットと左脇のポケットとの種類、形態が異なっていてもよい。
【００２４】
更に、上記小ポケット部は、それを形成している袋布の向こう布側において、その上端から下方に向かって延びる襞状のタック部を有するものである。
ここで、上記タック部とは、小ポケット部を構成する袋布の向こう布に形成した所定の折り目に沿って折り返す、即ち、折畳むことで襞状に形成されたものであり、ウエストベルト部の伸びに伴い、前身頃側の上部に設けた延出部の移動と共に、ポケットの袋布に掛かる引張り力を襞の展開によって逃がすものである。そして、上記タック部では、その上方を除いて一部の襞が縫合されており、その縫合部分では襞の展開が制限されるものである。なお、上記タック部の上方を除く一部で襞が縫合とは、タック部の上方除いて一部の襞が縫合されていることを意味するが、タックの襞を縫合する位置は、必ずしもタック部の下端までタックの襞が縫合されていることまでを要求するものではない。即ち、タック部の襞の縫合は、ウエストベルト部が伸びたときに袋布の上方で所定の展開量を確保する点から、少なくともタック部の上方を除く必要があるが、タック部の下端側まで縫合されている必要はなく、タック部の上方に加え、タック部の下端側が除かれていてもよい。なお、タック部の上方を除いては、正確にタックの長さの中間位置から上の範囲でタックの襞が縫合されないことを意味するものではなく、タックの上端から下に所定範囲ではタックの襞が縫合されないことを意味する。
【００２５】
なお、上記小ポケット部の向こう布とは、ボトムスの外側（表側）において袋布の生地（裏布）が見えないように袋布に貼付けられる身頃等の共地向こう布、表地を意味するものではなく、袋状の袋布のうちボトムスの裏面側（身体側）に配設する側を向こう布とし、ボトムスの表面側に近い方に配設する手前布と区別するものである。身頃と共地であってもよいし、身頃とは異なる生地、例えば、スレーキ生地等の裏地を使用することも可能である。
【００２６】
請求項２の発明のＬポケット付きボトムスは、身頃に縫着しない端部側が延出自在な延出部と、前記延出部の前記身頃に縫着しない前記端部側を収容した収容部とによって、ウエスト方向に延びる帯状のウエストベルト部の表側を形成し、また、前記収容部の内部で前記収容部と前記延出部の間を弾性材によって弾性的に接続し、更に、前記弾性材とは別の他の弾性材を設けた腰裏ベルト部によって、前記ウエスト方向に一体に連続して前記ウエストベルト部の裏側を形成したものである。また、Ｌ字状のポケット口外縁の上端が前記延出部に接続したＬポケット部を前記身頃の前身頃側であって片側の脇または両脇の脇線に沿って取付け、更に、前記Ｌポケット部よりも容量が小さく、ポケット口外縁の上端が前記Ｌポケット部のＬ字状のポケット口外縁よりも脇線寄りで前記延出部に接続した小ポケット部を前記身頃の前身頃側であって片側の脇または両脇の脇線に沿って前記Ｌポケット部と重複して取付けたものである。そして、前記小ポケット部において、それを構成する袋布の向こう布側に上端から下方に向かって延びる襞状のタック部が形成され、前記タック部の襞がその上方を除いた一部で縫合されているものである。
【００２７】
ここで、上記ウエストベルト部は、着用時に人体のウエスト周りに配設する部位であり、身頃の上部に縫合わされてボトムスの履き口となる上部において、ウエスト周囲に亘って延びる帯状に形成されたものである。
【００２８】
上記延出部は、前記ウエストベルト部のウエスト方向の長さの一部でその表側を形成する帯状をなし、その長さ方向の端部側が身頃に縫着されずに収容部に挿入されて収容され、かつ、収容部から延出自在とされるものである。
【００２９】
上記収容部は、前記延出部を除く残りの前記ウエストベルト部のウエスト方向の長さの一部でその表側を形成する帯状をなし、その長さ方向の端部（一端部または両端部）側に前記延出部の身頃に縫着されない端部側が重ねられ収められたものである。
【００３０】
上記延出部と収容部の関係は、見栄え、美観からして、ボトムスの脇線の上方付近で、延出部の延出自在な端部が前記ウエストベルト部の表面側から隠れるように収容部に収められ、即ち、収容部に対し延出部の端部側が収容されて収容部と延出部が重複する。そして、通常はポケットが前身頃側に配設されることから、ボトムスの前身頃側の上部に延出部が配設され、後身頃側の上部に収容部が配設され、延出部と収容部は脇線またはその近傍の上方で重ね合わせられる。つまり、収容部の延出部を収容している開口端は、脇線の上またはその近傍に位置している。
【００３１】
上記接続部は、前記収容部に対し前記延出部の前記身頃に縫着しない端部側を重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００３２】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００３３】
また、上記腰裏ベルト部は、前記ウエスト方向に一体に連続して前記ウエストベルト部の裏側を形成し、前記弾性材とは別の他の弾性材によって伸縮自在なものであり、全体を前記弾性材とは別の他の弾性材で構成することで伸縮自在な構成としてもよいし、腰裏ベルト部の一部に前記弾性材とは別の他の弾性材を配設する構成であってもよい。即ち、前記ウエストベルト部の裏側の全周を他の弾性材、例えば、ゴムやパワーネット等で形成してもよいし、前記ウエストベルト部のウエスト周方向の一部を１または２以上のゴム等の弾性材で形成するものであってもよい。例えば、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものであってもよい。
【００３４】
上記Ｌポケット部は、後身頃及び前身頃からなる身頃のうちの前身頃側であってボトムスの左または右の片方の脇線若しくは左右両方の脇線に沿って設けられたものであり、ボトムスの表側のポケット口の外縁が略Ｌ字型形状を有し、そのＬ字状のポケット口外縁の前中心寄りの上端（始端）が前記延出部に接続し、Ｌ字状の反対側の脇線寄りの終端がボトムスの脇線に接続しているものである。このポケット口の外縁が略Ｌ字型形状は、例えば、その外縁が角張ったＬ字形状であってもよいし、緩やかにカーブしたＬ字形状であってもよい。また、ポケット口の外縁が縦方向に短く横方向に長いＬ字形状のポケットであってもよいし、ポケット口の外縁が縦方向に長く横方向に短いＬ字形状のポケットであってもよい。特に、ポケット口の開き、変形が少ないことから、ポケット口の外縁が縦方向に短く横方向に長いＬ字形状のポケット部が好ましい。そして、そのようなポケット口の外縁が縦方向に短く横方向に長いＬ字形状のポケット部においては、そのポケット口の縦方向の開口縦幅が、ポケットの中に入れた物の落ち難さを考慮すると、通常、５ｃｍ〜１１ｃｍ、好ましくは、６ｃｍ〜１０ｃｍに設定される。なお、上記Ｌ字状とは、Ｌ字及びそれを左右反転させた形状（線対称形状）を含む概念である。また、上記脇線に沿って取付けとは、Ｌポケット部を形成する袋布の端部が身頃の前側及び後側の境界部分で身頃の前側及び後側と共に縫合されて、身頃の前側及び後側の接ぎ目部分に縫付けられていることを意味する。
【００３５】
上記小ポケット部は、前記Ｌポケット部と同様、後身頃及び前身頃からなる身頃のうちの前身頃側であってボトムスの左または右の片方の脇線若しくは左右両方の脇線に沿って設けられたものであり、前記Ｌポケット部よりも容量が小さく前記Ｌポケット部に重ね合わせて重複して取付られたものである。即ち、ボトムスの裏側からみたときに、Ｌポケット部を構成する袋布の手前（前方）側に小ポケット部を構成する袋布が配設しており、小ポケット部を形成する袋布は、Ｌポケット部を形成する袋布よりもその容量が小さいものである。
【００３６】
この上記小ポケット部は、そのポケット口外縁の上端がＬポケット部のＬ字状のポケット口外縁の上端よりも脇線寄りで、即ち、延出部が収容される収容部の開口端に近づいて前記延出部に接続し、ポケット口外縁の反対側の終端はボトムスの脇線側に接続しているものである。上記小ポケット部は、ボトムスの表側のポケット口の外縁が、ウエストベルト部のウエスト方向に対し垂直方向に略真っ直ぐな略直線状のものであってもよいし、前中心側から脇線側に向かって傾く斜めの直線状のものであってもよいし、Ｌ字型形状のものであってもよいし、その変形で外縁が略Ｓ字型形状のものであってもよい。特に、ポケット口の外縁が脇線に沿う略直線形状であると、視覚的にポケット口外縁が脇線に重複することで目立たないものとすることができる。なお、上記小ポケット部のポケット口外縁の上端がＬポケット部のＬ字状のポケット口外縁の上端よりも脇線寄りとは、小ポケット部のポケット口外縁の上端が前記Ｌ字状のポケット口外縁の上端よりも脇線に近いことを意味する。
【００３７】
そして、上記小ポケット部は、一般的な手の大きさ、取り出し易さを考慮すると、ポケット口の縦方向の開口（縦幅）が、７ｃｍ〜１３ｃｍ、好ましくは、８ｃｍ〜１２ｃｍに設定される。特に、前記Ｌポケット部のＬ字状のポケット口の縦方向の開口縦幅が、５ｃｍ〜１１ｃｍ、好ましくは、６ｃｍ〜１０ｃｍを考慮すると、小ポケット部のポケット止まり、即ち、小ポケット口外縁の終端（下端）は、前記Ｌポケット部のポケット止まり、即ち、脇線と交わるＬポケット口外縁の終端の位置より下方に位置することになる。このような小ポケット部とＬポケット部の位置関係では、ボトムスの表側から見て、小ポケット部の小ポケット口外縁の下方が、前身頃及びＬポケット部によって隠れることになる。
なお、上記Ｌポケット部及び小ポケット部は、左右のどちらかの脇または左右の両脇に設けられるが、両脇のポケットが左右対称であってもよいし、左右対称でなくともよく、右脇のポケットと左脇のポケットとの種類、形態が異なっていてもよい。
【００３８】
更に、上記小ポケット部は、それを形成している袋布の向こう布側において、その上端から下方に向かって延びる襞状のタック部を有するものである。
ここで、上記タック部とは、小ポケット部を構成する袋布の向こう布に形成した所定の折り目に沿って折り返す、即ち、折畳むことで襞状に形成されたものであり、ウエストベルト部の伸びに伴いポケットの袋布に掛かる引張り力を襞の展開によって逃がすものである。そして、上記タック部では、その上方を除いて一部の襞が縫合されており、その縫合の部分では襞の展開が制限されるものである。なお、上記タック部の上方を除く一部で襞が縫合とは、タック部の上方除いて一部の襞が縫合されていることを意味するが、タックの襞を縫合する位置は、必ずしもタック部の下端までタックの襞が縫合されていることまでを要求するものではない。即ち、タック部の襞の縫合は、ウエストベルト部が伸びたときに袋布の上方で所定の展開量を確保する点から、少なくともタック部の上方を除く必要があるが、タック部の下端側まで縫合されている必要はなく、タック部の上方に加え、タック部の下端側が除かれていてもよい。なお、タック部の上方を除いては、正確にタックの長さの中間位置から上の範囲でタックの襞が縫合されないことを意味するものではなく、タックの上端から下に所定範囲ではタックの襞が縫合されないことを意味する。
【００３９】
なお、上記小ポケット部の向こう布とは、ボトムスの外側（表側）において袋布の生地（裏布）が見えないように袋布に貼付けられる身頃等の共地向こう布、表地を意味するものではなく、袋状の袋布のうちボトムスの裏面側（身体側）に配設する側を向こう布とし、ボトムスの表面側に近い方に配設する手前布と区別するものである。身頃と共地であってもよいし、身頃とは異なる生地、例えば、スレーキ生地等の裏地を使用することも可能である。
【００４０】
請求項３の発明のＬポケット付きボトムスは、前記小ポケット部におけるタック部の襞（折り返し部分）を縫合する始点が、前記小ポケット部のポケット口外縁の終端の高さに対応する位置から上に垂直方向で３ｃｍ以上、８ｃｍ以下の範囲内、好ましくは、４ｃｍ以上、７．５ｃｍ以下、より好ましくは、４ｃｍ以上、７ｃｍ以下の範囲内にあり、前記タック部の襞を縫合する終点は前記小ポケット部のポケット口外縁の終端の高さに対応する位置またはそれよりも下にあるものである。
【００４１】
上記小ポケット部のポケット口外縁の終端とは、ボトムスの表側におけるポケット口外縁の長さの両端のうち、延出部に接続する上端とは反対側の脇線寄りの端（下端、末端）のことであり、ポケット止まりのことである。
また、上記始点、終点とは、前記タック部の襞（折り返し部分）を縫合した縫合線の端を意味し、縫製時の縫い始め、縫い終わりの縫製方向、手順までを意味するものではない。このときのタック部の襞の縫合は、その縫合線（縫い目）が、ボトムスの裏側からみたときに、小ポケット部を構成する袋布の向こう布側の外面側にでないように襞を縫合する中縫いであってもよいし、縫合線（縫い目）が向こう布の外面側に表出することになるコバステッチであってもよい。
なお、上記の数値は、厳格なものでなく概ねであり、当然、生地の種類、縫製糸の種類、縫い目の種類等による誤差を含む概略値であり、数割の誤差を否定するものではない。
【００４２】
請求項４の発明のＬポケット付きボトムスは、前記小ポケット部を構成する袋布の向こう布側において、前記小ポケット部のポケット口外縁に対応する位置に芯材が取付けられているものである。
上記芯材としては、紙芯（パネロン、バイリーン、不繊布等）、布芯（綿、麻、シルク等）、ストレッチ素材（ニット芯等）等が使用されるが、この芯材は、例えば、アイロンプレス等で袋布に接着してもよいし、縫製によって縫付けることも可能である。また、ポケットの袋布が、スレーキ生地等の場合には、通常、ボトムスの表側でポケット口から袋布の生地が見えないように、前記小ポケット部を構成する袋布の向こう布側の前記タック部から前記脇線側で、身頃等と共生地からなる表地（共布向こう布）を取り付けるが、袋布に取り付けるこの表地の裏面に芯材をアイロンプレス等で固着して、それを袋布に縫付け等によって取付けることで、袋布に対し芯材を取付けるようにしてもよい。
そして、上記芯材は、前記小ポケット部のポケット口外縁に対応する位置に設けられるが、少なくとも前記小ポケット部のポケット口外縁の上端から前記Ｌポケット部のポケット口外縁の終端（ポケット止まり）の垂直方向の長さの範囲に対応していればよい。好ましくは、ウエストベルト部に引張り力が掛かった際の小ポケット部のポケット口外縁の移動範囲に対応する大きさのものである。
【００４３】
請求項５の発明のＬポケット付きボトムスの前記小ポケット部は、そのポケット口外縁が前記脇線に沿って延びた直線状であるものである。
なお、上記脇線に沿ってとは、必ずしも前記小ポット部のポケット口外縁が前記脇線に一致することまでを要求するものではなく、前記脇線及びその近傍で前記小ポケット部の直線状に延びたポケット口外縁が位置していることを意味する。
【００４４】
請求項６の発明のＬポケット付きボトムスの前記Ｌポケット部は、そのポケット口外縁が縦方向に短く横方向に長いＬ字状であり、前記小ポケット部のポケット口外縁の終端は、前記Ｌポケット部のＬ字状のポケット口外縁の脇線寄りの終端より下に位置しているものであり、ボトムスの表側から見て、前記小ポケット部のポケット口外縁の下方が前記前身頃及び前記Ｌポケット部を構成する袋布の手前布の後方に位置して隠れているものである。
なお、上記Ｌポケット部のＬ字状のポケット口外縁の脇線寄りの終端とは、ボトムスの表側におけるポケット口外縁の長さの両端のうち、Ｌ字状の上端とは反対側の末端を意味する。即ち、延出部に接続する上端とは反対側の端（下端、末端）のことであり、ポケット止まりのことである。
【００４５】
請求項７の発明のＬポケット付きボトムスの前記腰裏ベルト部は、請求項２乃至請求項６の何れか１つの構成において、前記収容部の裏側に縫付けた収容部側裏ベルトと前記延出部の裏側に縫付けた延出部側裏ベルトの間を前記他の弾性材によって弾性的に接続してなるものである。
即ち、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものである。
このような腰裏ベルト部は、前記ウエストベルト部の表側を形成する前記延出部及び前記収容部に対し、通常、前記ウエストベルト部の上端部で、延出部側裏ベルトが前記延出部に接がれ、また、収容部側裏ベルトが前記収容部に接がれる。そして、延出部側裏ベルトと収容部側裏ベルトの間を接続する前記弾性材とは別の弾性材は、前記延出部が入れられる前記収容部の開口端側付近で前記延出部に縫着されず前記延出部の裏側に配設される。上記延出部側裏ベルトと収容部側裏ベルトの間を接続する弾性材は、１本のゴム等の弾性材であっても良いし、２本または３本以上の弾性材を並列的に配置し、ウエストの周方向に対し略垂直な方向で各弾性材が上下方向に配置するようにしてもよい。
【発明の効果】
【００４６】
請求項１の発明に係るＬポケット付きボトムスによれば、ウエスト方向に延びる帯状をなすウエストベルト部の表側及び裏側が、延出部と収容部で形成されており、延出部の端部側が収容部に挿入されて収容され、その状態で延出部と収容部の間が接続部の弾性材によって弾性的に接続されているから、ウエストベルト部に対しウエスト方向に引張り力が掛かった際には、弾性材の伸びによって、収容部から延出部が延出することにより、ウエストベルト部が伸長する。また、引張り力が解放されると、弾性材の弾性力によって、伸長したウエストベルト部は元に戻る。こうして、身頃の上部に接続したウエストベルト部は、延出部と収容部の間を弾性的に接続した弾性材の弾性力によって伸縮自在である。
【００４７】
更に、請求項１の発明に係るＬポケット付きボトムスによれば、ポケット口外縁がＬ字状でその上端が延出部に接続したＬポケット部と、Ｌポケット部よりも容量が小さく、Ｌポケット部のＬ字状のポケット口外縁の上端よりも脇線寄りでポケット口外縁の上端が延出部に接続した小ポケット部とが脇線に沿って前身頃側に設けられている。
そして、小ポケット部を構成する袋布の向こう布側においては、その上端から下方に向かって延びた襞状のタック部が形成され、少なくともその上方が展開自在とされている。よって、ウエストベルト部に引張り力が掛かり収容部に対し延出部が延出するときには、小ポケット部に設けたタック部が展開することで、Ｌポケット部、小ポケット部、及び前身頃に掛かる引張り力を逃がすことができ、ウエストベルト部をスムースに伸ばすことができる。
なお、Ｌポケット部のＬ字状のポケット口外縁の上端及びそれよりも脇線寄りに位置する小ポケット部のポケット口外縁の上端は前記延出部に接続しているから、収容部に対する延出部の移動に伴い、Ｌポケット部のＬ字状のポケット口外縁の上端及び小ポケット部のポケット口外縁の上端も移動することになる。
【００４８】
このとき、小ポケット部に設けたタック部の襞はその上方を除く一部が縫合されているから、ウエストベルト部が伸びたときでも、タック部の襞の一部が縫合されていることでその開きが制限され、袋布の生地の遊び、余裕が少ない。これより、Ｌポケット部のポケット口外縁がＬ字形状であることで、そのポケット止まりから上の引き攣り量が大きくても、Ｌポケット部よりも脇線寄りに設けた小ポケット部のポケット口から袋布が吹き出したり、ポケットに皺寄りが生じたりする事態が防止され、見栄えや外観性を維持できる。
このようにして、ウエストが伸びたときのポケットの美観を損なうことなく小ポケットを設けたＬポケット付きボトムスとなる。
【００４９】
請求項２の発明に係るＬポケット付きボトムスによれば、ウエスト方向に延びる帯状をなすウエストベルト部の表側は、延出部と収容部で形成されており、延出部の端部側が収容部に収容され、その状態で延出部と収容部の間が接続部の弾性材によって弾性的に接続されている。また、ウエストベルト部の裏側は、前記弾性材とは別の他の弾性材によって伸縮自在な腰裏ベルト部で形成されている。よって、ウエストベルト部に対しウエスト方向に引張り力が掛かった際には、収容部と延出部を接続する弾性材の伸びによって収容部から延出部が延出すると共に、ウエストベルト部の裏側を構成する腰裏ベルト部の弾性材の伸びによって腰裏ベルト部が伸びることにより、ウエストベルト部が伸長する。また、引張り力が解放されると、それら弾性材の弾性力によって、伸長したウエストベルト部は元に戻る。こうして、身頃の上部に接続したウエストベルト部は、延出部と収容部の間を弾性的に接続した弾性材の弾性力と腰裏ベルト部の弾性材の弾性力によって伸縮自在である。
【００５０】
更に、請求項２の発明に係るＬポケット付きボトムスによれば、ポケット口外縁がＬ字状でその上端が延出部に接続したＬポケット部と、Ｌポケット部よりも容量が小さく、Ｌポケット部のＬ字状のポケット口外縁の上端よりも脇線寄りでポケット口外縁の上端が延出部に接続した小ポケット部とが脇線に沿って前身頃側に設けられている。
そして、小ポケット部を構成する袋布の向こう布側においては、その上端から下方に向かって延びた襞状のタック部が形成され、少なくともその上方が展開自在とされている。よって、ウエストベルト部に引張り力が掛かり収容部に対し延出部が延出するときには、小ポケット部に設けたタック部が展開することで、Ｌポケット部、小ポケット部、及び前身頃に掛かる引張り力を逃がすことができ、ウエストベルト部をスムースに伸ばすことができる。
なお、Ｌポケット部のＬ字状のポケット口外縁の上端及びそれよりも脇線寄りに位置する小ポケット部のポケット口外縁の上端は前記延出部に接続しているから、収容部に対する延出部の移動に伴い、Ｌポケット部のＬ字状のポケット口外縁の上端及び小ポケット部のポケット口外縁の上端も移動することになる。
【００５１】
このとき、小ポケット部に設けたタック部の襞はその上方を除く一部が縫合されているから、ウエストベルト部が伸びたときでも、タック部の襞の一部が縫合されていることでその開きが制限され、袋布の生地の遊び、余裕が少ない。これより、Ｌポケット部のポケット口外縁がＬ字形状であることで、そのポケット止まりから上の引き攣り量が大きくても、Ｌポケット部よりも脇線寄りに設けた小ポケット部のポケット口から袋布が吹き出したり、ポケットに皺寄りが生じたりする事態が防止され、見栄えや外観性を維持できる。
このようにして、ウエストが伸びたときのポケットの美観を損なうことなく小ポケットを設けたＬポケット付きボトムスとなる。
【００５２】
請求項３の発明に係るＬポケット付きボトムスによれば、前記小ポケット部のタック部の襞（折り返し部分）を縫合する始点は、前記小ポケット部のポケット口外縁の終端の高さに対応する位置から上に垂直方向の長さで３ｃｍ以上、８ｃｍ以下、好ましくは、４ｃｍ以上、７．５ｃｍ以下、より好ましくは、４ｃｍ以上、７ｃｍ以下の範囲内にあり、前記タック部の襞を縫合する終点は、前記小ポケット部のポケット口外縁の終端の高さに対応する位置またはそれよりも下にある。これより、ウエストベルト部が伸び際には、タック部の上方の襞の展開量を十分に確保しつつ、タック部の下方で襞の展開を制限できる。よって、請求項１または請求項２に記載の効果に加えて、ウエストベルト部に引張り力が掛かった際でもウエストベルト部と身頃の境界部での引き攣りを抑えて見栄えを損なうことなく、ボトムスの外側の小ポケット部のポケット口から袋布が吹き出るのを抑えることができる。
【００５３】
請求項４の発明に係るＬポケット付きボトムスによれば、前記小ポケット部を構成する袋布の向こう布側で前記小ポケット部のポケット口外縁の位置に対応して芯材が取付けられているから、ウエストベルト部が伸びたときの小ポケット部の袋布の変形、皺寄りを抑制でき、小ポケット部のポケット口から袋布が吹き出したり、ポケットに皺が生じたりするのを更に防止できる。よって、請求項１乃至請求項３の何れか１つに記載の効果に加えて、ウエストベルト部が伸びたときのポケットの見栄えを向上させることができる。
【００５４】
請求項５の発明に係るＬポケット付きボトムスによれば、前記小ポケット部は、そのポケット口外縁が前記脇線に沿って延びた直線状であるから、小ポケット部のポケット口が脇線と一体となって見られることで目立ち難い。よって、請求項１乃至請求項４の何れか１つに記載の効果に加えて、美感、外観性を向上させることができる。
【００５５】
請求項６の発明に係るＬポケット付きボトムスによれば、前記Ｌポケット部は、そのポケット口外縁が縦方向に短く横方向に長いＬ字状であり、また、前記小ポケット部のポケット口外縁の終端は、前記Ｌポケット部のＬ字状のポケット口外縁の脇線寄りの終端より下に位置していることから、着用者の動きや骨盤の大きい人でもそのＬ字状のポケット口が変形し難く、更に、小ポケット部の中に入れた物が取り出し易い大きさであり、かつ、Ｌポケット部の中に入れた物が落ち難い大きさである。よって、請求項１乃至請求項５の何れか１つに記載の効果に加えて、使い勝手が良く、また、見栄えに優れるものある。
そして、このように、前記小ポケット部のポケット口外縁の終端が、前記Ｌポケット部のＬ字状のポケット口外縁の脇線寄りの終端より下に位置することで、ボトムスの表側から見て、前記小ポケット部のポケット口外縁の下方が前記前身頃及び前記Ｌポケット部を構成する袋布の手前布の後方に位置し、ウエストベルト部が伸びたときに小ポケットのポケット口外縁の膨らみ等による変化が前身頃やＬポケット部の手前布によって抑制されることでＬポケット部のポケット止まりから上の引き攣りがより大きくなる構成であっても、小ポケット部に設けたタック部の襞の一部を縫合していることで、小ポケット部のポケット口からの袋布の表地の部分の吹き出しや、小ポケット部及びその周辺の皺寄りが抑制され、見栄えや外観性が維持される。
【００５６】
請求項７の発明に係るボトムスによれば、前記ウエストベルト部の裏側は、前記収容部の裏側に縫付けた収容部側裏ベルトと前記延出部の裏側に縫付けた延出部側裏ベルトの間を前記弾性材とは別の他の弾性材によって弾性的に接続してなる腰裏ベルト部で形成されているものである。したがって、請求項２乃至請求項６の何れか１つに記載の効果に加えて、前記弾性材とは別の他の弾性材が一部のみの配設であるから、低コストで済み、また、伸縮に伴う弛みも少なくなるから見栄えも良い。
【図面の簡単な説明】
【００５７】
【図１】図１（ａ）は本発明の実施の形態に係る綿パンの正面図である。図１（ｂ）は本発明の実施の形態に係る綿パンのウエスト周りが伸長していない状態のウエストベルト部及び脇ポケット部の近傍を右側面から見た部分拡大図である。図１（ｃ）は本発明の実施の形態に係る綿パンのウエスト周りが伸長した状態のウエストベルト部及び脇ポケット部の近傍を右側面から見た部分拡大図である。
【図２】図２は本発明の実施の形態に係る綿パンのウエスト周りを示す斜視図である。
【図３】図３は本発明の実施の形態に係る綿パンのウエスト周りを展開して裏側から見た展開図である。
【図４】図４（ａ）は本発明の実施の形態に係る綿パンのウエストベルト部を展開して内部の構成を示す部分展開図であり、図４（ｂ）は本発明の実施の形態に係る綿パンのウエストベルト部を構成する延出部と収容部の関係を示す部分展開図であり、図４（ｃ）は本発明の実施の形態に係る綿パンのウエストベルト部及びその周囲の構造をズボンの裏側から見て示す部分展開図である。
【図５】図５（ａ）は本発明の実施の形態に係る綿パンのウエスト周りが伸長する前のウエストベルト部及び脇ポケット部の構造をズボンの裏側から見た部分拡大図であり、図５（ｂ）は本発明の実施の形態に係る綿パンのウエスト周りが伸長した状態のウエストベルト部及び脇ポケット部の構造をズボンの裏側から見た部分拡大図である。
【図６】図６（ａ）は本発明の実施の形態に係る綿パンのウエスト周りが伸長する前のウエストベルト部及び脇ポケット部の構造をズボンの表側から見た部分拡大図であり、図６（ｂ）は本発明の実施の形態に係る綿パンのウエスト周りが伸長した状態のウエストベルト部及び脇ポケット部の構造をズボンの表側から見た部分拡大図である。
【図７】図７（ａ）は本発明の実施の形態に係る綿パンのＬポケット部を形成する袋布の構成を説明するための部品展開図であり、図７（ｂ）は本発明の実施の形態に係る綿パンのＬポケット部を形成する袋布の構成を説明する説明図である。
【図８】図８（ａ）は本発明の実施の形態に係る綿パンの小ポケット部を形成する袋布の構成を説明するための部品展開図であり、図８（ｂ）は本発明の実施の形態に係る綿パンの小ポケット部を形成する袋布の作製途中の構成を示す説明図であり、図８（ｃ）は本発明の実施の形態に係る綿パンの小ポケット部を形成する袋布にタック部を形成し、タック部の襞をその一部で縫合した状態を示す説明図である。
【図９】図９（ａ）は本発明の実施の形態に係る綿パンの小ポケット部を形成する袋布に設けたタック部の襞の一部を中縫いによって縫合した状態を示す説明図であり、図９（ｂ）は本発明の実施の形態に係る綿パンの小ポケット部を形成する袋布に設けたタック部の襞の一部をコバステッチで縫合した状態を示す説明図である。
【図１０】図１０は本発明の実施の形態に係る綿パンの小ポケット部及びＬポケット部の構成とウエストベルト部の構成をズボンの裏側から見て説明する部分分解斜視図である。
【図１１】図１１は本発明の実施の形態に係る綿パンの小ポケット部及びＬポケット部の構成とウエストベルト部の構成をズボンの表側から見て説明する部分分解斜視図である。
【図１２】図１２（ａ）は本発明の実施の形態に係る綿パンの小ポケット部を構成する袋布に縫付けた表地の一部に芯材を貼ることを示す説明図であり、図１２（ｂ）は本発明の実施の形態に係る綿パンの小ポケット部を構成する袋布に縫付けた表地の片面の全体に芯材を貼ることを示す説明図である。
【図１３】図１３（ａ）は小ポケット部を有するＬポケット付きボトムスを着用した際に、小ポケット部の袋布の表地部分が小ポケット口から吹き出したり、小ポケット部及びその周囲で皺寄りが生じたりする状態を示した説明図であり、図１３（ｂ）は本発明の実施の形態に係る綿パンを着用した際の脇ポケット部及びその周囲の状態を示す説明図である。
【図１４】図１４は本発明の実施の形態の変形例に係る綿パンのウエスト周りを示す斜視図である。
【図１５】図１５は本発明の実施の形態の変形例に係る綿パンのウエスト周りを展開して裏側から見た展開図である。
【図１６】図１６は本発明の実施の形態の変形例に係る綿パンのウエストベルト部の構成を説明するための要部分解斜視図である。
【図１７】図１７（ａ）は本発明の実施の形態の変形例に係る綿パンの腰裏ベルト部の別の例を示す説明図であって、腰裏ベルト部の表面側（意匠面側）で弾性材の一部を展開した（捲った）状態で示した説明図であり、図１７（ｂ）は図１７（ａ）に示した腰裏ベルト部の裏面側（反意匠面側）で弾性材の一部を展開した（捲った）状態で示した説明図である。
【図１８】図１８は本発明の実施の形態に係る綿パンのＬポケット部のＬ字形状のポケット口外縁の別の例を示す説明図である。
【発明を実施するための形態】
【００５８】
以下、本発明の実施の形態について、図面を参照しながら説明する。
なお、本実施の形態において、同一の記号及び同一の符号は、同一または相当する部分及び機能を意味するものであるから、ここでは重複する説明を省略する。
【００５９】
まず、本発明の実施の形態に係るＬポケット付きボトムスとしての綿パン１の概略構成について、図１乃至図３を参照して説明する。
本実施の形態に係る綿パン１は、下半身を包む前身頃４Ｆ及び後身頃４Ｂと、それら前身頃４Ｆ及び後身頃４Ｂの上部に接続され着用時に人体のウエスト周りに位置するウエストベルト部１０とを有するものである。
【００６０】
また、本実施の形態に係る綿パン１は、着用時に人体のウエスト付近に位置するウエスト部Ｗにおいて、前身頃４Ｆ側であって左脇線ＬＳの近傍及び右脇線ＲＳの近傍にＬポケット部２０Ｌ及び小ポケット部２０Ｓからなる脇ポケット部２０を有している。
【００６１】
ここで、本実施の形態のウエストベルト部１０について、図１乃至図６を参照して、詳細に説明する。
本実施の形態において、ウエスト方向に延びる帯状をなすウエストベルト部１０は、そのウエスト長を収容部１２と延出部１１に分割し、後身頃４Ｂに縫合わされる収容部１２と端部を除いて前身頃４Ｆに縫合わされる延出部１１とを脇線ＬＳ，ＲＳ付近の上方で重ね合わせて重ね合わせ部１３を形成している。
即ち、脇線ＬＳ，ＲＳ近傍で、収容部１２の端部１２ｅに延出部１１の端部１１ｔ側を挿入し収容することで、特に、延出部１１の前身頃４Ｆに縫着されない端部１１ｔをウエストベルト部１０の表裏の意匠面側から隠れるように収容部１２内に入れることで、収容部１２及び延出部１１の重なりによる重ね合わせ部１３を形成し、このような収容部１２及び延出部１１によってウエストベルト部１０の表側及び裏側が形成されている。
【００６２】
そして、本実施の形態のウエストベルト部１０においては、延出部１１の端部１１ｔが収められた収容部１２の内部（内側）において、延出部１１の端部１１ｔと収容部１２の内面側とが弾性材としての平ゴム１６で構成される接続部１５によって弾性的に接続されている。
【００６３】
このように、本実施の形態では、ウエスト方向に延びる帯状のウエストベルト部１０を収容部１２及び延出部１１の別体で構成し、延出部１１の前身頃４Ｆに縫着しない端部１１ｔ側を収容部１２に挿入し、収容部１２に対し延出部１１が収容されている状態で収容部１２の内部において収容部１２及び延出部１１の間を平ゴム１６によって弾性的に接続していることで、平ゴム１６の弾性力により収容部１２から延出部１１を延出自在とする。
【００６４】
即ち、ウエストベルト部１０に引張り力が掛かった際には、図１、図５及び図６に示したように、平ゴム１６の伸長によって収容部１２から延出部１１が引き出されて延出し、ウエストベルト部１０が伸長する。そして、ウエスト周りを伸ばそうとする力が解除されると、平ゴム１６が弾性力によって元の本来の長さに戻るから、再び延出部１１が収容部１２内に収容される方向に移動し元の状態に戻る。
こうして、本実施の形態では、ウエストベルト部１０を伸縮自在な構成としている。
【００６５】
このような本実施の形態のウエストベルト部１０の伸縮自在な構造について、主に、図４乃至図６を参照して、より具体的に説明すると、本実施の形態では、収容部１２及び延出部１１は何れも前身頃４Ｆ及び後身頃４Ｂと共地（例えば、綿系の生地等）で形成され、ウエストベルト部１０の表側の生地と裏側の生地の両者をウエストベルト部１０の上端部側で接続している構成である。
【００６６】
即ち、本実施の形態では、綿パン１の外観側にあるウエストベルト部１０の表側（外側）を形成する延出部表ベルト１１Ｆの布地、及び、身体が挿入される側にあるウエストベルト部１０の裏側（内側）を形成する延出部裏ベルト１１Ｂの布地は、共に身頃４Ｆ，４Ｂと共地とし、延出部表ベルト１１Ｆ及び延出部裏ベルト１１Ｂの両者を上側で接いで延出部１１を構成している。また、ウエストベルト部１０の表側（外側）を形成する収容部表ベルト１２Ｆの布地及びウエストベルト部１０の裏側（内側）を形成する収容部裏ベルト１２Ｂの布地も共に身頃４Ｆ，４Ｂと共地とし、収容部表ベルト１２Ｆ及び収容部裏ベルト１２Ｂの両者を上側で接いで収容部１２を構成している。
【００６７】
詳しくは、ウエストベルト部１０の表側及び裏側を構成する収容部１２は、身頃４Ｆ，４Ｂと共地からなる所定幅の収容部表ベルト１２Ｆ及び収容部裏ベルト１２Ｂの布地の各上下端部が内折りされ、折り返した上端部の折り目に沿ってまたはその近傍で収容部表ベルト１２Ｆ及び収容部裏ベルト１２Ｂの両者が縫合線６２Ａにて縫合わされている。また、収容部表ベルト１２Ｆの下側は、その折り返した下端部の折り目に沿ってまたはその近傍で後身頃４Ｂの上端部に縫合線６２Ｃにて縫合わされ、収容部表ベルト１２Ｆに対応する収容部裏ベルト１２Ｂの下側もその折り返した下端部の折り目の近傍で後身頃４Ｂの上端部に縫合線６２Ｂにて縫合わされている。なお、縫合線６２Ｃと縫合線６２Ｂは、統一してもよいし、収容部裏ベルト１２Ｂの下側は、後身頃４Ｂに対しウエスト方向の数箇所の部分的な縫付けであってもよい。
【００６８】
このとき収容部表ベルト１２Ｆや収容部裏ベルト１２Ｂの布地の内面（裏面）には、接着芯等の芯材としてのソフト芯ＳＣやハード芯ＨＣがアイロンプレス等によって貼付けられる。例えば、ハード芯ＨＣは収容部表ベルト１２Ｆや収容部裏ベルト１２Ｂの布地において折り返しのない中央部分に貼付けられる。また、ソフト芯ＳＣは収容部表ベルト１２Ｆや収容部裏ベルト１２Ｂの布地の上端部や下端部の折り返し部分に貼付けられる。更に、必要に応じ、収容部１２に入れられる延出部１１の滑りを良くするために、延出部１１が挿入される収容部１２の端部１２ｅ（開口側）の内面においてソフト芯ＳＣやハード芯ＨＣの上に、伸縮性を有しない生地、例えば、ポリエステル系生地等からなる接着布、裏地等を、アイロンプレス等によって貼付けることもある。
【００６９】
即ち、本実施の形態では、収容部表ベルト１２Ｆの布地に対し、その上下端部を内折りすることで、収容部表ベルト１２Ｆがウエスト周方向で均一な幅となるようにその幅が設定され、また、収容部裏ベルト１２Ｂにおいてもその布地の上下端部を内折りすることで、収容部裏ベルト１２Ｂがウエスト周方向で均一な幅となるようにその幅が設定されている。なお、このとき、収容部表ベルト１２Ｆや収容部裏ベルト１２Ｂの中央側に所定形状に切り出されたハード芯ＨＣを貼付けている場合には、通常、そのハード芯ＨＣの形状に沿って収容部表ベルト１２Ｆの布地の上下端部が内折りされる。そして、収容部表ベルト１２Ｆ及び収容部裏ベルト１２Ｂの両者はそれらの上方で縫合線６２Ａにて接がれ、また、下方で縫合線６２Ｂ及び縫合線６２Ｃにて後身頃４Ｂと縫合され、それら収容部表ベルト１２Ｆ及び収容部裏ベルト１２Ｂによって、帯状をなす収容部１２を形成している。
【００７０】
また、ウエストベルト部１０を構成する延出部１１についても、身頃４Ｆ，４Ｂと共地からなる所定幅の延出部表ベルト１１Ｆ及び延出部裏ベルト１１Ｂの布地の各上下端部が内折りされ、折り返した上端部の折り目に沿ってまたはその近傍で延出部表ベルト１１Ｆ及び延出部裏ベルト１１Ｂの両者が縫合線６１Ａにて縫合わされている。更に、延出部表ベルト１１Ｆの下側は、収容部１２に挿入される先端部１１ｔを除いて、前身頃４Ｆ及び後述するポケットの袋布２１Ｌ，２１Ｓの一部に縫合線６１Ｃにて縫合わされ、それに対応する延出部裏ベルト１１Ｂの下側も、収容部１２に挿入される先端部１１ｔ側の一部を除いて前身頃４Ｆ及び後述するポケットの袋布２１Ｌ，２１Ｓの一部に縫合線６１Ｂにて縫合わされている。なお、縫合線６１Ｃと縫合線６１Ｂは、統一してもよいし、延出部裏ベルト１１Ｂの下側は、前身頃４Ｆに対しウエスト方向の数箇所の部分的な縫付けであってもよい。
一方で、収容部１２内に挿入される延出部１１の先端部１１ｔは、前身頃４Ｆやポケットの袋布２１Ｌ，２１Ｓの上端部と縫合わされず自由な状態になっている。これより、図５及び図６に示すように、収容部１２に入れられた延出部１１の先端部１１ｔは、収容部１２から延出自在、つまり、ウエスト方向に相対移動自在とされる。
【００７１】
そして、収容部１２と同様、延出部１１についても、延出部表ベルト１１Ｆや延出部裏ベルト１１Ｂの布地の内面（裏面）には、接着芯等の芯材としてのソフト芯ＳＣやハード芯ＨＣがアイロンプレス等で貼付けられる。例えば、ハード芯ＨＣは延出部表ベルト１１Ｆや延出部裏ベルト１１Ｂの布地において折り返しのない中央部分に貼付けられる。また、ソフト芯ＳＣは延出部表ベルト１１Ｆや延出部裏ベルト１１Ｂの布地の上端部や下端部の折り返し部分に貼付けられる。
【００７２】
ここで、図４（ｂ）で示すように、延出部表ベルト１１Ｆ及び延出部裏ベルト１１Ｂからなる本実施の形態の延出部１１は、収容部１２に対して摺動し易いように、前身頃４Ｆに縫着されない先端部１１ｔにおいて、その先端側に向かって徐々に幅を細くしている。詳細には、本実施の形態の延出部１１の収容部１２に挿入される先端部１１ｔでは、その上端が直線状のラインであるのに対し、その下端が先端に向かって上昇する傾斜ラインである。一方、延出部１１の収容部１２に挿入される先端部１１ｔを除いては、収容部１２と同様に延出部１１の延出部表ベルト１１Ｆ及び延出部裏ベルト１１Ｂがウエスト周方向で均一な幅となるようにその幅が設定されている。
【００７３】
即ち、本実施の形態では、延出部表ベルト１１Ｆの布地に対し、その上下端部を内折りし、また、延出部裏ベルト１１Ｂの布地に対し、その上下端部を内折りして、収容部１２に挿入される先端部１１ｔを除いては、延出部表ベルト１１Ｆ及び延出部裏ベルト１１Ｂがウエスト方向に均一な幅となるようにそれらの幅が設定され、そして、収容部１２に挿入される先端部１１ｔでは、その端に向かって徐々に幅が細くなるように延出部表ベルト１１Ｆ及び延出部裏ベルト１１Ｂの幅が設定されている。なお、このとき、延出部表ベルト１１Ｆ及び延出部裏ベルト１１Ｂの中央側に所定形状に切り出されたハード芯ＨＣを貼付けている場合には、通常、そのハード芯ＨＣの形状に沿って延出部表ベルト１１Ｆ及び延出部裏ベルト１１Ｂの布地の上下端部が内折りされる。これら延出部表ベルト１１Ｆ及び延出部裏ベルト１１Ｂは、両者がそれらの上方で縫合線６１Ａにて接がれ、また、下方で前身頃４Ｆと縫合線６１Ｂ及び縫合線６１Ｃにて縫合され、それら延出部表ベルト１１Ｆ及び延出部裏ベルト１１Ｂによって、帯状をなす延出部１１を形成している。
【００７４】
なお、本実施の形態のウエストベルト部１０の表側及び裏側を構成するこれら収容部１２と延出部１１は、延出部１１の前身頃４Ｆに縫着されていない先端部１１ｔが収容部１２内に挿入されて収容され、収容部１２及び延出部１１が重なる重ね合わせ部１３を形成している。
【００７５】
そして、本実施の形態のウエストベルト部１０では、このようにして形成された収容部１２と延出部１１は、収容部１２の内部（内面側）において、それらの間が所定長さの平ゴム１６からなる接続部１５によって接続されている。
平ゴム１６としては、織ゴム、編ゴム、コールゴム、ゴムテープ等が使用される。十分な弾性を有するものであれば、他にもゴム製板、ストレッチテープ（ゴム入り布）、パワーネット生地、サテンネット生地、ストレッチサテン生地、ストレッチレース生地等の様々な弾性を有する素材を用いることも可能である。
これより、ウエストベルト部１０に引張り力が掛かった際には、平ゴム１６の弾性力によって、収容部１２に挿入された延出部１１をウエスト方向に延出自在、即ち、相対移動自在とする。つまり、収容部１２と延出部１１の間を接続した平ゴム１６の弾性力により、ウエストベルト部１０を伸縮自在とする。
【００７６】
更に、本実施の形態では、この平ゴム１６に対し、平ゴム１６の厚さよりも薄い非伸縮性の生地、例えば、リボンテープ等からなる帯状の伸び止め材１７を縫着しており、この伸び止め材１７によって平ゴム１６の最大の伸び長さを規定している。即ち、平ゴム１６の最大伸びに相当する長さだけ弛ませて伸び止め材１７が平ゴム１６に並設して縫着されている。
伸び止め材１７としては、平ゴム１６の伸びを規定する役割からすれば、伸縮性に乏しく、適度な強度を有する生地が好適であり、更に、平ゴム１６よりも厚みが薄いと嵩を抑制できる点で好ましく、例えば、スレーキ生地や、リボンテープや、ポリエステル系、ナイロン系、レーヨン系、綿等からなる生地等が使用できる。
【００７７】
本実施の形態において、この伸び止め材１７は、その長手方向の一端部側が、収容部１２内に挿入される延出部１１の先端部１１ｔ側に平ゴム１６を縫付けるときの縫付線５１にて、延出部１１と共に平ゴム１６の一端部側に縫付けられている。また、伸び止め材１７の延出部１１側とは反対側の他端部側は、平ゴム１６を収容部表ベルト１２Ｆに縫付けるときの縫付線５２にて、収容部表ベルト１２Ｆと共に平ゴム１６の他端部側に縫付けられている。このように本実施の形態において、帯状の伸び止め材１７は、平ゴム１６に対しその両端部側に縫付線５１，５２にて縫付けられている。
【００７８】
このとき、伸び止め材１７は、平ゴム１６の伸びを許容する分だけ、即ち、平ゴム１６の伸びる許容範囲の長さ（例えば、１．５ｃｍ〜５ｃｍ）だけ弛ませ、平ゴム１６の両端部側に縫付線５１，５２にて縫付けている。なお、平ゴム１６の最大伸びに相当する長さだけ弛ませて平ゴム１６に縫付けている伸び止め材１７は縫付線５１及び縫付線５２間の弛みを折畳む折り目の形成により、嵩張りを少なくできる。
【００７９】
こうして、本実施の形態においては、平ゴム１６に並設して取付けた伸び止め材１７によって、平ゴム１６の伸びの限界が規定されており、平ゴム１６に引張り力が掛かっても、この伸び止め材１７が縫付線５１及び縫付線５２間で弛ませている（折畳まれている）長さまでしか平ゴム１６が伸びることのないようにし、平ゴム１６の過度の伸びを防止している。即ち、伸び止め材１７によって平ゴム１６に無理な引張り力が掛かるのを防止するから、平ゴム１６を長持ちさせることができる。更に、このように平ゴム１６にその最大伸びを特定する伸び止め材１７を並設していることで、収容部１２及び延出部１１の重ね合わせ部１３に過度な張力が加えられないようにその伸び長さを制限できることから、重ね合わせ部１３の見栄えを維持することもできる。加えて、ウエストベルト部１０が伸縮する布地で形成されていても、特定の伸縮性に設定できる。
【００８０】
なお、図４において、伸び止め材１７は、平ゴム１６の表裏面のうち収容部表ベルト１２Ｆ側とは反対面側、即ち、収容部裏ベルト１２Ｂ側に取付けられているが、本発明を実施する場合には、収容部表ベルト１２Ｆ側に取付けてもよい。
また、本実施の形態では、伸び止め材１７の両端部を平ゴム１６の両端部に縫付ける構成としているが、本発明を実施する場合には、伸び止め材１７を長くし、その長くした伸び止め材１７を平ゴム１６の最大伸びに相当する長さだけ弛ませて平ゴム１６の長さ方向の両端側に縫付け、更に、平ゴム１６の一端または両端よりも突出させて延出部１１や収容部１２の内部に縫付けるようにしてもよい。この場合には、平ゴム１６を収容部表ベルト１２Ｆや延出部１１に直接縫付けず、伸び止め材１７を収容部表ベルト１２Ｆや延出部１１に縫付けることで、平ゴム１６が収容部表ベルト１２Ｆや延出部１１に対し伸び止め材１７を介して接続する構成となる。このような構成によって、収容部１２及び延出部１１の間を平ゴム１６によって弾性的に接続する接続部１５を形成してもよい。
【００８１】
例えば、伸び止め材１７の端部の一方を平ゴム１６の一方の端部に縫付け、また、伸び止め材１７の途中に平ゴム１６の端部の他方を縫付け、そして、伸び止め材１７の端部の他方を、収容部表ベルト布１２Ｆの内面に縫付ける構成では、伸び止め材１７の端部の他方を、収容部表ベルト布１２Ｆの内面に縫付けるときの縫付線を収容部１２の開口端１２ｅ側からより離れた遠い位置に持ってくることができる。このため、収容部表ベルト布１２Ｆの内面に縫付けるときの縫付線をベルト通し５Ａ（図２参照）で隠す場合には、隣り合ったベルト通し５，５Ａ（図２参照）の間隔を長くすることができるようになり、ベルト通しの配置数を少なくすることが可能となる。
【００８２】
即ち、本実施の形態の綿パン１において、延出部１１の先端部１１ｔ側に平ゴム１６を縫付けたときの縫付線５１は、延出部１１の先端が収容部１２内に収容されるため、綿パン１の表側及び裏側の意匠面側からは見えない。
しかしながら、平ゴム１６を収容部表ベルト１２Ｆに縫付けたときの縫付線５２は収容部表ベルト１２Ｆの表裏面を貫通し綿パン１の表側に出ることになる。
【００８３】
そこで、本発明を実施する場合には、美観を向上させるために、ウエストベルト部１０の表側で縫付線５２をベルト通し５Ａ（図２参照）で隠すようにすることも可能である。また、このようなベルト通し５（図１及び２参照）は、例えば、ウエストベルト部１０の表側で、延出部１１が延出される収容部１２の開口端１２ｅを覆い隠すように収容部１２の表側の開口端１２ｅにも取付けると、ウエストベルト部１０の見栄えや美感を向上させることができる。勿論、綿パン１のウエストベルト部１０の正面側及び背面側にも、同様のベルト通し５（図１及び２参照）が適当な間隔をとって取付けられる。
【００８４】
また、本実施の形態では、平ゴム１６の延出部１１側とは反対側の他端部を収容部１２の収容部表ベルト１２Ｆの内面（裏面）側に縫付けている。このように、平ゴム１６を収容部表ベルト１２Ｆの内面（裏面）側に縫付ける場合には、平ゴム１６の面方向と並行方向への縫付けであるから、縫製に不慣れな熟練者にもその縫付けが分かりやすく、熟練の有無に関わらず、正確な縫製が容易にでき作業効率も良好となる。
【００８５】
しかし、本発明を実施する場合には、平ゴム１６の延出部１１側とは反対側の他端部を、収容部１２の収容部裏ベルト１２Ｂの内面（裏面）側に縫付けてもよい。
特に、平ゴム１６を収容部裏ベルト１２Ｂの内面側に縫付けると、平ゴム１６を収容部１２に縫付けるときの縫付線は、ウエストベルト部１０の表側から見えなくなるから、ベルト通しを設けないボトムスであっても、見栄え、美感を維持できる。このときの伸び止め材１７も、平ゴム１６の表裏面のうち収容部裏ベルト１２Ｂ側に取付けてもよいし、収容部裏ベルト１２Ｂ側とは反対面側の収容部表ベルト１２Ｆ側に取付けることも可能である。
【００８６】
更に、本実施の形態の綿パン１においては、収容部１２及び延出部１１の間を接続する平ゴム１６とは別に補助弾性材として幅の細い所定長さの平ゴム２８を後述する小ポケット部２０Ｓの小袋布２１Ｓとウエストベルト部１０との間に縫着している。詳細には、平ゴム２８の一端部を、後述する小ポケット部２０Ｓを構成する小袋布２１Ｓの向こう布２１ＳＢの後側布地２１ＢＢの上端部であってタック部２２を形成する第２の折り目２２２の近傍に縫付け、また、反対側の他端部を、後述するＬポケット部２０Ｌを構成する大袋布２１Ｌの向こう布２１ＬＢの上端部であって、小袋布２１Ｓと重複していない部分で延出部表ベルト１１Ｆの内折りした下部及び前身頃４Ｆの上端部と共に縫付けられている。なお、この平ゴム２８を縫付けるときの縫付線は綿パン１の表側（外側）からは見えないようになっている。
【００８７】
このときの平ゴム２８としては、例えば、織ゴム、編ゴム、コールゴム、ゴムテープ等が使用されるが、本発明を実施する場合、十分な弾性を有するものであれば、ゴム製板、ストレッチテープ（ゴム入り布）、パワーネット生地、サテンネット生地、ストレッチサテン生地、ストレッチレース生地等の様々な弾性を有する素材を用いることも可能である。
【００８８】
このように、本実施の形態の綿パン１においては、平ゴム２８の一端部を、小ポケット部２０Ｓを構成する小袋布２１Ｓの向こう布２１ＳＢの後側布地２１ＢＢの上端部に対して縫付け、反対側の他端部を、Ｌポケット部２０Ｌを構成する大袋布２１Ｌの向こう布２１ＬＢの上端部であって小袋布２１Ｓと重複していない部分に対して、前身頃４Ｆの上端部及び延出部表ベルト１１Ｆの下側の折り返し部分と共に縫付け、この平ゴム２８によって小ポケット部２０Ｓを構成する小袋布２１Ｓのタック部２２近傍と延出部表ベルト１１Ｆ側とを弾性的に接続することで、延出部１１の先端部１１ｔ側が収容部１２から繰り返し出たり入ったりする場合でも、平ゴム２８の弾性力によりタック部２２の形状を維持し、小袋布２１Ｓの形状が崩れたり、ウエストベルト部１０と身頃４Ｆ，４Ｂの境界付近で小袋布２１Ｓや身頃４Ｆ，４Ｂに皺が寄り見栄えが悪くなったりするのを防いでいる。
【００８９】
特に、平ゴム２８の長さ方向の両端部のうち延出部表ベルト１１Ｆの折り返した下部及び前身頃４Ｆの上端部へ縫付け位置を、反対側のタック部２２近傍への縫付け位置よりも若干高くし、平ゴム２８の両端の縫付け高さに高低を付していると、タック部２２から前中心ＦＣ寄りの後側布地２１ＢＢに皺が入り難いものとのなる。
なお、このような補助弾性材としての平ゴム２８の縫付けは、例えば、長さ方向の一端を、後側布地２１ＢＢの上端部に縫付ける一方で、反対側の他端部を延出部表ベルト１１Ｆの上側の折り返し部分に縫付けることも可能である。このような縫付位置でも、小袋布２１の形状を維持し、皺寄りの発生を防止して綿パン１の見栄えを良好に維持できる。
【００９０】
次に、ウエストベルト部１０の周辺の構造について詳細を説明する。
上述したように、本実施の形態のウエストベルト部１０は、後身頃４Ｂ側に縫合した収容部１２の内部に前身頃４Ｆ側に縫合した延出部１１の先端部１１ｔが挿入されてウエスト周りが形成され、収容部１２の内部において平ゴム１６により収容部１２と延出部１１の間が接続されている構成である。
【００９１】
ここで、本実施の形態の綿パン１において、直線状に形成したウエストベルト部１０の収容部１２及び延出部１１は、図５及び図６に示したように、両脇の脇線ＬＳ，ＲＳの上方付近で収容部１２に延出部１１が挿入されることで重ね合わせられて、収容部１２及び延出部１１が重複した重ね合わせ部１３を形成している。そして、本実施の形態の綿パン１においては、この収容部１２と延出部１１の重ね合わせ部１３付近の下方であって、脇線ＬＳ，ＲＳの近傍に左右で一対の脇ポケット部２０が形成されている。
【００９２】
本実施の形態の脇ポケット部２０は、図５及び図６に示したように、Ｌ字形状のＬポケット口外縁２６Ｌを有するＬポケット部２０Ｌと、それよりも容量が小さく直線状の小ポケット口外縁２６Ｓを有する小ポケット部２０Ｓとから構成されており、ズボンの裏側から見て、Ｌポケット部２０Ｌを構成する大袋布２１Ｌの手前側に小ポケット部２０Ｓを構成する小袋布２１Ｓが重ねられて形成されている。
【００９３】
このようなＬポケット部２０Ｌ及び小ポケット部２０Ｓからなる脇ポケット部２０の製作及び取付けについての詳細を、主に、図５乃至図１３を参照にして説明する。
本実施の形態の脇ポケット部２０を形成するＬポケット部２０Ｌは、綿パン１の脇線ＬＳ，ＲＳに沿って前身頃４Ｆと後身頃４Ｂの間で大袋布２１Ｌを縫付けることによって脇線ＬＳ，ＲＳ近傍の前身頃４Ｆ側に形成されている。
Ｌポケット部２０Ｌを構成する大袋布２１Ｌは、図７、図１０及び図１１に示すように、例えば、綿生地、スレーキ生地等の１枚の布地を所定形状に切断し、それを中央側で折畳み、手前布２１ＬＦ側の端部２１Ｌｆを前身頃４Ｆ及び後身頃４Ｂに接続すると共に、向こう布２１ＬＢ側の端部２１Ｌｂも、その下方側を前身頃４Ｆ及び後身頃４Ｂに接続して、後述する小ポケット部２０Ｓの小袋布２１Ｓの端部２１Ｓｆ，２１Ｓｂと共に脇線ＬＳ、ＲＳを形成する。
【００９４】
このとき、大袋布２１Ｌの手前布２１ＬＦ側の略Ｌ字状の上端部は、前身頃４Ｆの略Ｌ字状の上端部と縫合し、略Ｌ字状のＬポケット口外縁２６Ｌを形成している。そして、大袋布２１Ｌの手前布２１ＬＦ側の残りの上端部は、前身頃４Ｆと共に延出部１１に縫合されており、また、大袋布２１Ｌの向こう布２１ＬＢ側の上端部も延出部１１に縫合されている。
大袋布２１Ｌの向こう布２１ＬＢ側の端部２１Ｌｂにおいて前身頃４Ｆ及び後身頃４Ｂに縫合していない上方は、後述する小ポケット部２０Ｓを構成している小袋布２１Ｓの手前布２１ＳＦ側の端部２１Ｓｂと縫合され略直線状の小ポケット口外縁２６Ｓを形成している。
【００９５】
なお、図において、略Ｌ字状のＬポケット口外縁２６Ｌの脇線ＬＳ，ＲＳ寄りの終端（末端）と脇線ＬＳ，ＲＳの交点をＬポケット止まり７５Ｌとし、ウエストベルト部１０に対し垂直方向に略直線状の小ポケット口外縁２６Ｓの終端（下端、末端）を小ポケット止まり７５Ｓとしており、小ポケット止まり７５ＳやＬポケット止まり７５Ｌには、必要に応じ、縫製の縫い目を補強する閂止めが施される。
【００９６】
また、本実施の形態において、このＬポケット部２０Ｌを構成する大袋布２１Ｌの向こう布２１ＬＢ側では、大袋布２１Ｌを形成している生地がズボンの表側（外側）から見えないようにするために、身頃４Ｆ，４Ｂと共地の所定形状（図においては、略四分円の形状）の表地（共布向こう布）２５Ｌが縫付けられている。即ち、大袋布２１Ｌの生地がＬポケット部２０Ｌの表側（外側）から見えないようにするため、大袋布２１Ｌを形成する所定形状の綿生地、スレーキ生地等の生地に対し、向こう布２１ＬＢのズボンの表面側から見える方の表面側に身頃４Ｆ，４Ｂと共地の所定形状の表地２５Ｌを重ねて縫付けている。
【００９７】
そして、このＬポケット部２０Ｌの大袋布２１Ｌは、その表側（反身体側）の手前布２１ＬＦの下端部及びその裏側（身体側）の向こう布２１ＬＢの下端部を縫合線２８Ｌにて縫製して閉じることで袋状に形成され、手前布２１ＬＦの略Ｌ字状のＬポケット口外縁２６Ｌとそれに対向する向こう布２１ＬＢとの間がポケット口２３Ｌとなり、手前布２１ＬＦと向こう布２１ＬＢの間がＬポケット部２０Ｌのポケットとしての収容空間となっている。
こうして、Ｌポケット部２０Ｌの大袋布２１Ｌは、前身頃４Ｆと後身頃４Ｂの間で縫着されて前身頃４Ｆ側に配設されている。
【００９８】
このような手前布２１ＬＦと向こう布２１ＬＢからなる大袋布２１Ｌによって構成されるＬポケット部２０Ｌのサイズ、容量は、綿パン１の種類、デザイン、紳士用・婦人用等に応じて任意に設定されるが、綿パン１の表側（外側）からみたときのＬポケット部２０ＬのＬポケット口２３Ｌの開口幅（縦幅）ｍｌ（図６（ａ）参照）は、ポケットの中に入れる物が落ち難いように、通常、５ｃｍ〜１１ｃｍ程度、好ましくは、６ｃｍ〜１０ｃｍ程度に設定される。なお、Ｌ字状のＬポケット口外縁２６Ｌと脇線ＬＳ，ＲＳとの交点をＬポケット止まり７５Ｌとすると、Ｌポケット部２０ＬのＬポケット口２３Ｌの開口幅（縦幅）ｍｌは、綿パン１の表側（外側）から見たときに、ウエストベルト部１０の下端、即ち、上がり線ＯＬから、Ｌポケット口外縁２６ＬのＬポケット止まり７５Ｌの高さ位置までの垂直方向（上下方向）の長さ（距離）である。また、大袋布２１Ｌの大きさ寸法は、その垂直方向（上下方向）の縦幅が、上がり線ＯＬ（図４及び図６参照）を基準とするとそこから下端部の縫合線２８Ｌまでの長さ（距離）で、例えば、１８〜２６ｃｍ程度、好ましくは、２０〜２４ｃｍ程度である。また、大袋布２１Ｌの最大横幅は、脇線ＬＳ，ＲＳを基準としそこから前中心ＦＣ側の端までの長さ（距離）で、１１ｃｍ〜２１ｃｍ程度、好ましくは、１４ｃｍ〜１９ｃｍ程度である。なお、綿パン１の表側（外側）からみたときのＬポケット部２０ＬのＬポケット口外縁２６Ｌの上端と、脇線ＬＳ，ＲＳとの間の横幅の長さ（距離）は、例えば、９ｃｍ〜１８ｃｍ、好ましくは、１０ｃｍ〜１４ｃｍであり、Ｌポケット部２０ＬのＬポケット口外縁２６Ｌの上端と、小ポケット部２０Ｓの小ポケット口外縁２６Ｓの上端との間の横幅の長さ（距離）も、例えば、９ｃｍ〜１８ｃｍ、好ましくは、１０ｃｍ〜１４ｃｍである。
【００９９】
また、本実施の形態の脇ポケット部２０を形成する小ポケット部２０Ｓも、Ｌポケット部２０Ｌと同様、綿パン１の脇線ＬＳ，ＲＳに沿って前身頃４Ｆと後身頃４Ｂの間で小袋布２１Ｓを縫付けることによって脇線ＬＳ，ＲＳ近傍の前身頃４Ｆ側に形成されている。
この小ポケット部２０Ｓの小袋布２１Ｓも、図８に示すように、例えば、綿生地、スレーキ生地等の１枚の布地を略長方形状等の所定形状に切断し、それを中央側で折畳み、向こう布２１ＳＢ側の端部２１Ｓｂを前身頃４Ｆ及び後身頃４Ｂに接続すると共に、手前布２１ＳＦ側の端部２１Ｓｆも、その下方側を前身頃４Ｆ及び後身頃４Ｂに接続し、Ｌポケット部２０Ｌの大袋布２１Ｌの端部２Ｌｂ，２１Ｌｆと共に脇線ＬＳ、ＲＳを形成している。
【０１００】
このとき、小袋布２１Ｓの手前布２１ＳＦ側の上端部は、大袋布２１Ｌと共に、延出部１１と縫合されている。また、小袋布２１Ｓの向こう布２１ＳＦ側の上端部は、前中心ＦＣ側の一部が延出部１１と縫合されている。
更に、小袋布２１Ｓの手前布２１ＳＦ側の端部２１Ｓｆは、前身頃４Ｆ及び後身頃４Ｂに接続していない上方がＬポケット部２０Ｌを形成する大袋布２１Ｌの向こう布２１ＬＢ側の端部２１Ｌｂの上方と縫合され、脇線ＬＳ、ＲＳに沿いウエストベルト部１０に対して直角な略垂直方向に直線状の小ポケット口外縁２６Ｓを形成している。
【０１０１】
そして、小ポケット部２０Ｓの小袋布２１Ｓは、その表側（反身体側）の手前布２１ＳＦの下端及びその裏側（身体側）の向こう布２１ＳＢの下端を縫合線２８Ｓにて縫製して閉じることで袋状に形成され、小袋布２１Ｓにおいて手前布２１ＳＦの略直線状の小ポケット口外縁２６Ｓとそれに対向する向こう布２１ＳＢとの間が小ポケット口２３Ｓとなり、それら手前布２１ＳＦと向こう布２１ＳＢの間が小ポケット部２０Ｓのポケットとしての収容空間となっている。
こうして、小ポケット部２０Ｓの小袋布２１Ｓも、Ｌポケット部２０Ｌの大袋布２１Ｌと同様、前身頃４Ｆと後身頃４Ｂの間で縫着されており、綿パン１の裏側から見たときに、大袋布２１Ｌの手前側に小袋布２１Ｓが位置し、両者がそれらの端部を脇線ＬＳ，ＲＳで寄せて重ね、脇線ＬＳ，ＲＳ寄りで重なり合って重複している。
【０１０２】
このような手前布２１ＳＦと向こう布２１ＳＢからなる小袋布２１Ｓによって構成される小ポケット部２０Ｓのサイズ、容量も、綿パン１の種類、デザイン、紳士用・婦人用等に応じて任意に設定されるが、綿パン１の表側（外側）からみたときの小ポケット部２０Ｓの小ポケット口２３Ｓの開口幅（縦幅）ｍｓ（図６参照）は、一般的な手の大きさ、取り出し易さを考慮すると、３ｃｍ〜１５ｃｍの範囲内、好ましくは、６ｃｍ〜１３ｃｍの範囲内、より好ましくは、８ｃｍ〜１２ｃｍの範囲内とされる。
特に、小ポケット部２０Ｓの小ポケット口２３Ｓは一般的な手の大きさ、取り出し易さを考慮し、かつ、Ｌポケット部２０Ｌの中に入れた物が落ち難い大きさを考慮するとなると、本実施の形態においては、小ポケット部２０Ｓの直線状の小ポケット口外縁２６Ｓの下端である小ポケット止まり７５Ｓが、Ｌポケット部２０のＬ字状のＬポケット口外縁２６Ｌの下端であるＬポケット止まり７５Ｌよりも下方、例えば、１ｃｍ〜６ｃｍ下に位置し、ズボンの表側（外側）から見たとき、小ポケット口外縁２６Ｓの下方は、前身頃４Ｆの後ろに重なって見えないようになっている。
【０１０３】
なお、ウエストベルト部１０に対して直角な略垂直方向（上下方向）に直線状の小ポケット口外縁２６Ｓの下端を小ポケット止まり７５Ｓとすると、小ポケット口２３Ｓの開口幅（縦幅）ｍｓは、綿パン１の表側（外側）からみたときのウエストベルト部１０の下端、即ち、上がり線ＯＬから、小ポケット口外縁２６Ｓの小ポケット止まり２５Ｓの位置までの垂直方向の長さ（距離）である。また、小袋布２１Ｓの大きさ寸法は、その垂直方向（上下方向）の縦幅が、上がり線ＯＬを基準とするとそこから下端部の縫合線２８Ｓまでの長さ（距離）で、例えば、１４〜２０ｃｍ程度、好ましくは、１５〜１８ｃｍ程度である。また、小袋布２１Ｓの最大横幅は、脇線ＬＳ，ＲＳを基準としそこから前中心ＦＣ側の端までの長さ（距離）で、７ｃｍ〜１３ｃｍ程度、好ましくは、８ｃｍ〜１１ｃｍ程度である。
【０１０４】
ここで、延出部１１の延出部表ベルト１１Ｆは、前身頃４Ｆと大袋布２１Ｌと小袋布２１Ｓの手前布２１ＳＦに対し、前中心ＦＣ側から小ポケット口外縁２６Ｓの上端の位置まで縫合線６１Ｃにて縫付けられるが、小袋布２１Ｓの向こう布２１ＳＢ側に対しては、前中心ＦＣ側から後述するタック部２２の第１の折り目２２１の位置までが縫合線６１Ｃによる縫合位置となっている。また、延出部１１の延出部裏ベルト１１Ｂは、前身頃４Ｆと大袋布２１Ｌと小袋布２１Ｓに対し、前中心ＦＣ側から小袋布２１Ｓの後述するタック部２２の第２の折り目２２２の近傍までが縫合線６１Ｂによる縫合位置とされている。
即ち、延出部１１の収容部１２に挿入される先端部１１ｔ側は前身頃４Ｆ、大袋布２１Ｌ及び小袋布２１Ｓに縫着されておらず収容部１２から延出自在とされる。
【０１０５】
これより、ウエストベルト部１０に引張り力が掛かった際には、図５及び図６に示したように、小ポケット口外縁２６Ｓの上端部及びＬポケット口外縁２６Ｌの上端部は、延出部１１が収容部１２から抜き出る方向に延出部１１と一体に移動し、収容部１２の開口端１２ｅ側、即ち、脇線ＬＳ，ＲＳ側から離れる方向に位置する。そして、それに伴い、小ポケット口外縁２６Ｓと脇線ＬＳ，ＲＳの間の表出する面積が拡大する。
このとき、本実施の形態では、ポケット口外縁２６Ｓと脇線ＬＳ，ＲＳの間で小袋布２１Ｓの生地がズボンの表側（外側）から見えないようにするために、小ポケット部２０Ｓを構成する小袋布２１Ｓの向こう布２１ＳＢ側には、身頃４Ｆ，４Ｂと共地の表地（共布向こう布）２５Ｓが縫付けられている。即ち、小ポケット口外縁２６Ｓが脇線ＬＳ，ＲＳ側から離れる方向に移動した際でも小袋布２１Ｓの生地がズボンの表側（外側）から見えないようにするため、小袋布２１Ｓを形成する所定形状の綿生地、スレーキ生地等の布地に対し、その向こう布２１ＳＢ側に身頃４Ｆ，４Ｂと共地の所定形状（図においては略長方形状）の表地（共布向こう布）２５Ｓを重ねて縫付けている。これより、ウエストベルト部１０に引張り力が掛かると、延出部１１の移動に伴い小ポケット口外縁２６Ｓの上端部が脇線ＬＳ，ＲＳ側から離れる方向に移動することで、小ポケット部２０Ｓの表地２５Ｓが表出する面積が拡大する。
【０１０６】
更に、本実施の形態では、図１２に示したように、小袋布２１Ｓに縫付ける表地２５Ｓに対しズボンの表側（外側）とは反対面側に芯材としてのハード芯７７をアイロンプレス等によって貼り付けている。これにより、後述するように、ウエストベルト部１０が伸びたときでも、小ポケット口２３Ｓから小袋布２１（表地２５を含む）が吹き出したり、脇ポケット部２０やその周囲に皺が寄ったりするのをより効果的に防止し、より見栄えを向上させることができる。このときのハード芯７７は、脇線ＬＳ，ＲＳ寄りに設けられ、図１２（ｂ）に示したように、タック部２２から脇線ＬＳ，ＲＳ側に設けた表地２５Ｓの片面（裏面）の略全面に接着してもよいが、図１２（ａ）に示されるように、表地２５Ｓの片面（裏面）に対し、脇線ＬＳ，ＲＳ寄りの一部であっても、小ポケット口２３Ｓから小袋布２１が吹き出したり、脇ポケット部２０やその周囲に皺が寄ったりするのを防止して見栄えを向上させる効果が得られる。
【０１０７】
即ち、この芯材としてのハード芯７７は、後述するタック部２２から脇線ＬＳ，ＲＳ寄りに設けられるが、脇線ＬＳ，ＲＳ及びその近傍の範囲の小ポケット部２０Ｓの小ポケット口外縁２６Ｓに対応する位置であって、少なくとも、小ポケット部２０Ｓの小ポケット口２３Ｓの上端からＬポケット口外縁２６ＬのＬポケット止まり７５Ｌの長さ以上で脇線ＬＳ，ＲＳ側に沿って取付けることで、ウエストベルト部１０が伸びたときの小ポケット部２０Ｓの小袋布２１Ｓの変形を防止し、小ポケット部２０Ｓの皺寄りを効果的に防止できる。より好ましくは、ウエストベルト部１０に引張り力が掛かった際の小ポケット部２０Ｓのポケット口外縁２６Ｓが移動する範囲、即ち、小ポケット部２０Ｓの表地２５Ｓが表出する範囲に対応する大きさであれば、生地が薄くても、ウエストが伸びたときの小ポケット部２０Ｓの小袋布２１Ｓの変形を防止して、見栄えを向上させる効果を得ることができる。
【０１０８】
なお、ここでは、ハード芯７７を表地２５Ｓにアイロン等で接着する説明としたが、本発明を実施する場合には、接着芯等を直接、小袋布２１Ｓに接着してもよいし、縫製による縫付けであってもよい。
【０１０９】
加えて、本実施の形態の小袋布２１Ｓにおいては、図８（ａ）に示した小袋布２１Ｓの向こう布２１ＳＢとなる方で、脇線ＬＳ，ＲＳを形成する身頃４Ｆ，４Ｂ側に縫合される前に、予め、図８（ｂ）及び図８（ｃ）に示すように、所定の位置にて２本の折り目２２１、２２２を付しそれらの折り目２２１、２２２に沿って所定幅で折重ねることにより、タック（折り返し）部２２を形成している。
【０１１０】
このタック部２２は、図８（ｂ）に示すように、小袋布２１Ｓの向こう布２１ＳＢにおいて、上端から下方に延びる２本の折り目２２１、２２２を形成し、２本の折り目２２１、２２２のうち手前布２１ＳＦ及び向こう布２１ＳＢの閉鎖端部側に近い方（図１８（ｂ）において右側）の第１の折り目２２１を谷折りとし、もう一方の第２の折り目２２２を山折りにすることで、図８（ｃ）に示すように、襞状に形成されている。
【０１１１】
なお、図８（ｃ）に示すように、タック部２２の襞を形成した小袋布２１Ｓの向こう布２１ＳＢにおいて、身頃４Ｆ，４Ｂ側に縫付ける端部２１Ｓｂ側から第２の折り目２２２までの間の布地を後側布地２１ＢＢとし、端部２１Ｓｂとは反対側の閉鎖端部側から第１の折り目２２１までの間の布地を前側布地２１ＢＦとし、後側布地２１ＢＢと前側布地２１ＢＦの間の布地、即ち、第２の折り目２２２と第１の折り目２２１の間の布地を中間布地２１ＢＭとしたとき、第１の折り目２２１及び第２の折り目２２２に沿って折畳んで形成した襞状のタック部２２では、それら後側布地２１ＢＢと中間布地２１ＢＭと前側布地２１ＢＦとが重なり合って重複する。
【０１１２】
このように小袋布２１Ｓの向こう布２１ＳＢの一部を折畳んだタック部２２の形成により、ウエスト部Ｗに引張り力が掛かった際には、ウエストベルト部１０の延出部１１が収容部１２から抜き出る移動と共に、折畳んだタック部２２（正確には、タック部の一部）が開くから、脇ポケット部２０を構成する袋布２１Ｌ，２１Ｓに掛かる引張り力を逃すことができ、ウエスト周りをスムースに伸ばすことができる。そして、タック部２２が開閉することによってウエストベルト部１０が伸縮する際でも、ウエストベルト部１０の下部の身頃４Ｆ，４Ｂの生地に皺、引き攣り等を生じさせ難いから、見栄えの良い綿パン１となる。
【０１１３】
このときタック部２２の上端部の折畳み長さは、ウエストベルト部１０の伸び量に応じウエストベルト部１０を伸ばしたときの袋布２１Ｌ，２１Ｓの上方の引き攣りが少なくウエストベルト部１０のスムースな伸びを確保できる長さであればよく、好ましくは、ウエストベルト部１０の伸び長さ以上に設定される。タック部２２の襞（折り返し部分）の幅、即ち、２本の折り目２２１と折り目２２２の間の間隔幅からすると、小袋布２１Ｓの向こう布２１ＳＢの上端で第１の折り目２２１と第２の折り目２２２の間の間隔、即ち、横幅長さｗ（図１１参照）は、好ましくは、ウエストベルト部１０の最大の伸び長さの０．５倍〜０．７倍である。
【０１１４】
例えば、平ゴム１６に縫着した伸び止め材１７の折畳み長さを３ｃｍとし、その伸び止め材１７の折畳み長さによって平ゴム１６の最大伸びを約３ｃｍに規制する場合、即ち、ウエストベルト部１０の伸び長さを３ｃｍとする場合には、小袋布２１Ｓの向こう布２１ＳＢの上端で第１の折り目２２１と第２の折り目２２２の間の横幅長さｗを約１．５ｃｍ以上とする。より好ましくは、約１．５ｃｍ以上、２ｃｍ以下である。
また、例えば、平ゴム１６に縫着した伸び止め材１７の折畳み長さを５ｃｍとし、その伸び止め材１７の折畳み長さによって平ゴム１６の最大伸びを約５ｃｍに規制する場合、即ち、ウエストベルト部１０の伸び長さを５ｃｍとする場合には、小袋布２１Ｓの向こう布２１ＳＢの上端で第１の折り目２２１と第２の折り目２２２の間の横幅長さｗを約２．５ｃｍ以上とする。より好ましくは、約２．５ｃｍ以上、３ｃｍ以下である。
【０１１５】
また、タック部２２の垂直方向（上下方向）の縦幅の長さは、綿パン１の種類、デザイン、紳士用・婦人用等に応じて任意に設定されるが、例えば、紳士用のボトムスのように、折り目２２１、２２２を安定させるために折り目２２１、２２２にアイロン等のプレスを施してしっかり折り目を付したり、小袋布２１Ｓをアイロン等でプレスしてクセとりをしたりする設計の場合には、通常、小袋布２１Ｓの縦幅の全長（正確には、小袋布２１Ｓの上端から向こう布２１ＳＢ及び手前布２１ＳＲを縫合した縫合線２８Ｓの位置まで）に亘ってタック部２２が形成され、タック部２２の折り目２２１，２２２がアイロン等のプレスでしっかり付されるようにされる。例えば、上がり線ＯＬを基準とするとタック部２２の垂直方向の縦幅の長さｘ（上がり線ＯＬと縫合線２８Ｓの間の長さ）は、１４〜２０ｃｍ程度、好ましくは、１５〜１８ｃｍ程度である。
これにより、小袋布２１Ｓの下方の遊び、余り、ダブつき、浮き等が少なくなり、アイロン等でプレスすればそれらのクセとりができるから、小袋布２１Ｓの歪み、皺、膨らみ、浮き等が少なくて見栄えに優れた脇ポケット部２０に仕上げることができる。
【０１１６】
一方、タック部２２を形成するための２本の折り目２２１、２２２にしっかりクセを付したり、また、小袋布２１Ｓのクセとりをしたりするためのアイロン等のプレス処理を行わないボトムス、例えば、婦人用のボトムスの場合には、必ずしも小袋布２１Ｓの縦幅の全長に亘ってタック部２２を形成しなくともよく、タック部２２の形成が小袋布２１Ｓの縦幅長さの一部となる場合もある。このときのタック部の長さは、例えば、上がり線ＯＬを基準とすると、タック部２２の垂直方向の縦幅の長さｘは、９〜１８ｃｍ程度、好ましくは、１０〜１６ｃｍ程度である。このような所定長さのタック部２２の形成により袋布２１の下方の布地の遊びも綿パン１の表側に響かない程度になる。
ここで、上がり線ＯＬは、上述したように、ウエストベルト部１０の表側の下端、詳しくは、ウエストベルト部１０表側の延出部表ベルト１１の下端のラインに一致するものである。向こう布２１ＳＢの裁ち切り線からすると、上がり線ＯＬはその裁ち切り線よりも、通常、１ｃｍ程度下位に位置する。
【０１１７】
なお、ウエストベルト部１０が伸びるときに袋布２１Ｌ，２１Ｓに掛かる引張り力は、袋布２１Ｌ，２１Ｓにおいて、ウエストベルト部１０の配設側の上端側から下方に向かって徐々に減少する。そこで、それに併せて、本実施の形態においては、タック部２２の折畳み長さは、その上端側から下方に向かって徐々に小さくなるように設定されている。即ち、２本の折り目２２１及び折り目２２２は上端側から下方に向かって徐々に近づくように設定されている。例えば、図８においては、傾きが小さく略直線状の第１の折り目２２１に対し、第２の折り目２２２は上端側から下方に向かって第１の折り目２２１側に近づく（大きく傾く）斜めに形成し、２本の折り目２２１及び折り目２２２が上端側から下方に向かって徐々に近づくようにしている。これにより、ウエストベルト部１０の伸縮による小袋布２１Ｓの皺、膨らみ、浮き等や引き攣りを減らすことができ見栄えを良くできる。
しかし、本発明を実施する場合、２本の折り目２２１及び折り目２２２間の幅は、上端から下方に向かって一定にすることも可能であるし、折り目２２１，２２２も、上下方向に垂直な直線状とすることも可能である。
【０１１８】
そして、本実施の形態では、このように小ポケット部２０Ｓの小袋布２１Ｓにおいて、２本の折り目２２１，２２２に沿って折畳んで形成した襞状のタック部２２を形成し、その一部でタック部２２の襞（折り返し部分）を閉じるよう縫合線７８にて縫合している。
ここで、上述したように、従来、横方に長く縦方向に短いＬ字状のポケット口外縁２６Ｓを有するＬポケット部２０Ｌでは、Ｌポケット口２３Ｌの開口幅（縦幅）ｍｌが短くウエストベルト部１０に近いから、ウエストベルト部１０が伸びたときに、Ｌポケット止まり７５Ｌに大きな負荷がかかりその周囲で袋布２１Ｓ，２１Ｌや身頃４Ｆ，４Ｂが大きく引き攣られ、それにより、図１３（ａ）で示したように、小ポケット部２０Ｓの小ポケット口２３Ｓから小袋布２１Ｓ、表地２５Ｓがとびだしたり、小ポケット部２０Ｓ及びその周囲に皺が寄ったりし、ズボンを表側から見たときの脇ポケット部２０の外観性や見栄えが損なわれる問題があった。
【０１１９】
そこで、本実施の形態では、この問題を解決するために、タック部２２において、小袋布２１Ｓの向こう布２１ＳＢの上端から下方に向かう所定範囲は、タック部２２の襞を縫合することなくタックの折畳みの開閉を自在とし、タックの上方を除き、所定位置から下でタックの襞を縫合線７８にて縫合している。
【０１２０】
具体的に説明すると、本実施の形態において、タック部２２の襞を縫合線７８にて閉じる位置は、少なくとも小ポケット止まり７５Ｓの高さに対応する位置７５ｔから上に所定の長さであればよい。即ち、小ポケット口２３Ｓからの小袋布２１Ｓ（表地２５Ｓを含む）の吹き出しを抑えるためには、少なくとも小ポケット止まり７５Ｓの高さに対応する位置７５ｔから上に所定の長さだけタック部２２の襞を閉じればよく、小ポケット止まり７５Ｓの高さに対応する位置７５ｔより下では、タック部２２の襞を縫合しても良いし、縫合しなくても良い。即ち、タック部２２の襞を縫合する終点７８ｅは、小ポケット部２０Ｓの小ポケット止まり７５Ｓ、即ち、小ポケット口外縁２６Ｓの下端７５Ｓの高さに対応する位置７５ｔまたはそれよりも下にある。例えば、図４乃至図６、図１０及び図１１に示したように、タック部２２の襞を縫合する終点７８ｅは小ポケット止まり７５Ｓの高さに対応する位置７５ｔとしてもよいし、図８及び図９に示したように、タック部２２の下端部まで襞を縫合して、タック部２２の襞を縫合する終点７８ｅは小ポケット止まり７５Ｓの高さに対応する位置７５ｔよりも下に設定してもよい。
図４乃至図６、図１０及び図１１で示したように、小ポケット止まり７５Ｓの高さに対応する位置７５ｔより下を縫合しない場合には、ウエスト部Ｗが伸びたときの脇ポケット部２０の下方、特に、小ポケット止まり７５Ｓの周囲の引き攣り、引張りが抑制され、小袋布２１Ｓの歪みや皺寄りを効果的に防止して、綿パン１を表側から見たときの美感、見栄えの向上が可能となる。一方で、図８及び図９で示したように、小ポケット止まり７５Ｓの高さに対応する位置７５ｔより下も縫合した場合には、小袋布２１Ｓがより落ち着くから、商品として陳列した際の美感、見栄えの向上が可能となる。
【０１２１】
ここで、本発明者らの実験研究によれば、小ポケット止まり７５Ｓの高さに対応する位置７５ｔから上でタック部２２の襞を縫合線７８にて縫合する長さは、３ｃｍ以上、８ｃｍ以下の範囲内が好ましく、より好ましくは、４ｃｍ以上、７ｃｍ以下の範囲内である。即ち、小ポケット口外縁７６Ｓの末端である小ポケット止まり７５Ｓの高さに対応する位置７５ｔから上に垂直方向（上下方向）の長さで、好ましくは、３ｃｍ以上、８ｃｍ以下の範囲内で、より好ましくは、４ｃｍ以上、７ｃｍ以下の範囲内でタック部２２の襞を縫合線７８にて縫合するのが好ましい。
【０１２２】
小ポケット止まり７５Ｓの高さに対応する位置７５ｔから上でタック部２２の縫合する長さが長すぎる場合、タック部２２の展開量を十分に確保できない。このため、ウエストベルト部１０に引張り力が掛かった際にウエスト部Ｗのスムースな動きを確保できず窮屈感を生じさせることになる。また、袋布２１Ｌ，２１Ｓの上方で引き攣り、引っ張りによる歪み、皺寄り等が生じ、それが綿パン１の表側にも響いて、見栄えが低下したりする。一方で、小ポケット止まり７５Ｓの高さに対応する位置７５ｔから上でタック部２２の縫合する長さが短い場合、小袋布２１Ｓの布地の遊びが多くなるから、布地の種類によっては、ズボンの着用時に脇ポケット部２０の小袋布２１Ｓ（表地２５Ｓを含む）が小ポケット口２３Ｓからとび出しやすくなる。
【０１２３】
そこで、小ポケット止まり７５Ｓの高さに対応する位置７５ｔとタック部２２の襞を縫合する縫合線７８の始点７８ｓとの間の垂直方向（上下方向）の長さ（縦幅）をＹｂ（ｃｍ）（図５参照）とすると、好ましくは、３≦Ｙｂ≦８であり、より好ましくは、４≦Ｙｂ≦７である。このように、タック部２２の襞を閉じる縫合線７８の始点７８ｓがポケット止まり７５の高さに対応する位置７５ｔから上に垂直方向の長さで３ｃｍ以上、８ｃｍ以内、好ましくは、４ｃｍ以上、７ｃｍ以内にあれば、即ち、タック部２２に対し、小ポケット口２３Ｓの末端、即ち、小ポケット口外縁２６Ｓの下端である小ポケット止まり７５の高さに対応する位置７５ｔから上に垂直方向の長さで３ｃｍ以上、８ｃｍ以下の範囲内、より好ましくは、４ｃｍ以上、７ｃｍ以下の範囲内で縫合線７８にてタック部２２の襞を閉じことで、ウエストベルト部１０が伸びたときでも、ウエストベルト部１０と身頃４Ｆ，４Ｂの境界部に引き攣りが生じ難くてウエスト部Ｗのスムースな伸びを確保でき、かつ、小袋布２１Ｓ（表地２５Ｓを含む）が小ポケット口２３Ｓから吹き出して露出する事態が効果的に抑制され、綿パン１を表側から見たときの良好な見栄えを保つことができる。
【０１２４】
また、このとき、小袋布２１Ｓの向こう布２１ＳＢの上がり線ＯＬとタック部２２の襞を縫合する縫合線７８の始点７８ｓとの間の垂直方向の長さ（縦幅）をＹａ（ｃｍ）（図４参照）とすると、好ましくは、３≦Ｙａ≦７であり、より好ましくは、４≦Ｙａ≦６である。即ち、タック部２２の縫合の始点７８ｓは、向こう布２１ＳＢの上がり線ＯＬから下に３ｃｍ以上、７ｃｍ以下の範囲内に位置させるのが好ましく、より好ましくは、４ｃｍ以上、６ｃｍ以下の範囲内である。
【０１２５】
タック部２２の縫合の始点７８ｓがタック部２２の上端に近すぎる場合、タック部２２の展開量を十分に確保できない。このため、ウエストベルト部１０に引張り力が掛かった際にウエスト部Ｗのスムースな動きを確保できず窮屈感を生じさせる恐れがある。また、小袋布２１Ｓの上方で引き攣り、引っ張りによる歪み、皺寄り等が生じ、それがズボンの表側にも響いて、見栄えが低下したりする。一方で、タック部２２の縫合する位置が下方に下がり過ぎる場合、小袋布２１Ｓの布地の遊びが多くなるから、布地の種類によっては、ズボンの着用時に脇ポケット部２０の小袋布２１（表地２５Ｓを含む）が小ポケット口２３Ｓかとびだしやすくなる。
【０１２６】
向こう布２１ＳＢの上がり線ＯＬとタック部２２の縫合の始点７８ｓとの間の垂直方向（上下方向）の長さＹａが、３ｃｍ以上、７ｃｍ以下の範囲内、より好ましくは、４ｃｍ以上、６ｃｍ以下の範囲内であれば、タックの開きが十分に確保され、ウエストベルト部１０が伸びたときでも、ウエスト部Ｗのスムースな動きを確保でき、かつ、小袋布２１Ｓ（表地２５Ｓを含む）が小ポケット口２３Ｓから吹き出す事態を効果的に抑えることができ、ズボンを表側から見たときの良好な見栄えを保つことができる。
【０１２７】
ここで、縫合線７８にてタック部２２の襞を縫合する形態は、後側布地２１ＢＢと中間布地２１ＢＭと前側布地２１ＢＦのうち、中縫いを行うことによって、第１の折り目２２１と第２の折り目２２２の間の布地である中間布地２１ＢＭと、第１の折り目２２１から前中心ＢＣ側に向かう布地である前側布地２１ＢＦとを、タックの長さ方向の一部で縫合線７８にて縫合することで一部の襞を縫合するようにしてもよいし、コバステッチで後側布地２１ＢＢと中間布地２１ＢＭと前側布地２１ＢＦとを縫合するようしてもよい。
【０１２８】
即ち、中縫いによる中間布地２１ＢＭと前側布地２１ＢＦの縫合は、図９（ａ）で示すように、縫合線７８の縫い目が中間布地２１ＢＭと前側布地２１ＢＦを貫通するが後側布地２１ＢＢには貫通せずその縫い目が後側布地２１ＢＢに表出しないのに対し、コバステッチによる後側布地２１ＢＢと中間布地２１ＢＭと前側布地２１ＢＦとの縫合は、図９（ｂ）に示すように、縫合線７８の縫い目が後側布地２１ＢＢと中間布地２１ＢＭと前側布地２１ＢＦを貫通し後側布地２１ＢＢに表出する。即ち、中縫いは、図９（ａ）に示すように、中間布地２１ＢＭと前側布地２１ＢＦを縫合し、その縫合線７８の縫い目が、ズボンの裏側から見たときに後側布地２１ＢＢに表出しないのに対し、コバステッチは、図９（ｂ）に示すように、後側布地２１ＢＢと中間布地２１ＢＭと前側布地２１ＢＦとを縫合し、その縫合線７８の縫い目が、ズボンの裏側から見て後側布地２１ＢＢに表出するものである。
【０１２９】
特に、コバステッチにより後側布地２１ＢＢと中間布地２１ＢＭと前側布地２１ＢＦとを縫合する場合には、中縫いにより中間布地２１ＢＭと前側布地２１ＢＦとを縫合する場合と比較して、縫合した部分のタックの開き量を大きく制限できる。
一方、中縫いにより中間布地２１ＢＭと前側布地２１ＢＦとを縫合する場合には、コバステッチにより後側布地２１ＢＢと中間布地２１ＢＭと前側布地２１ＢＦとを縫合する場合と比較して、縫合した部分のタックの開き量の制限を少なくできる。
よって、袋布２１Ｓ，２１Ｌの生地、表地２５Ｓ，２５Ｌの生地、身頃４Ｂ，４Ｆの生地、ウエストベルト部１０の表側や裏側の生地等によって、また、Ｌポケット口２３Ｌや小ポケット口２３Ｓの開口の大きさ等によって、中縫いまたはコバステッチを適宜選択することも可能である。
【０１３０】
例えば、身頃４Ｂ，４Ｆや、袋布２１Ｓ，２１Ｌ等の生地が薄いものや、小ポケット口２３Ｓの開口縦幅ｍｓ（ｃｍ）が短いもの（例えば、３≦ｍｓ≦７）では、小ポケット口２３Ｓから小袋布２１Ｓ（表地２５Ｓを含む）が吹き出しやすくなるから、タックの開き量の制限を大きくできるコバステッチの縫製で後側布地２１ＢＢと中間布地２１ＢＭと前側布地２１ＢＦとを縫合することで、ウエストベルト部１０が伸びたときの小袋布２１Ｓの変形、小ポケット口２３Ｓからの小袋布２１Ｓ（表地２５Ｓを含む）の吹き出しをより効果的に抑制できる。
一方で、生地が厚いものや、小ポケット口２３Ｓの開口縦幅ｍｓ（ｃｍ）が長いもの（例えば、７＜ｍｓ≦１５）では、ウエスト部Ｗが伸びたときに、小ポケット止まり７５Ｓの周囲で引き攣り、引張り量が大きくなることで皺寄りが生じやすくなるから、タックの開き量（展開量）の制限を少なくできる中縫いの縫製で中間布地２１ＢＭと前側布地２１ＢＦを縫合することで、ウエスト部Ｗが伸びたときでも小ポケット止まり７５Ｓの周辺の引き攣り、引張りにより歪み、皺寄りを効果的に抑え、綿パン１を表側から見たときの外観性や見栄えを良好に維持することが可能となる。
【０１３１】
更に、タック部２２の折り目２２１，２２２に対する縫合線７８の間隔によっても縫合する部分のタックの開き量を適宜設定することが可能である。例えば、タック部２２の襞を縫合するときの縫合線７８は、コバステッチでは、縫製の分かり易さから、第２の折り目２２２に平行させる斜めとし、タック部２２を形成する第２の折り目２２２に平行で第２の折り目２２２から、好ましくは、７ｍｍ以内、より好ましくは、１ｍｍ以上、５ｍｍ以内でタック部２２の襞を縫合線７８にて縫合する。即ち、縫合線７８と第２の折り目２２２の間隔幅をＤ2（ｍｍ）（図９（ｂ）参照）とすると、好ましくは、Ｄ2≦０．７、より好ましくは、０．１≦Ｄ2≦０．５である。このように第２の折り目２２２に平行する斜めの縫合線７８の位置を第２の折り目２２２から所定範囲内とすると、コバステッチの場合にはタックの開きが大きく制限されることで、生地が薄いときや、小ポケット口２３Ｓの開口縦幅ｍｓ（ｃｍ）が短い（例えば、３≦ｍｓ≦７）ときでも、小ポケット口２３Ｓからの小袋布２１（表地２５Ｓを含む）の吹き出しを効果的に抑えることができる。
【０１３２】
また、中縫いでは、縫製の分かり易さから、縫合線７８を第１の折り目２２１に平行させる直線とし、縫合線７８の位置を第１の折り目２２１から好ましくは、５ｍｍ以内、より好ましくは、１ｍｍ以上、３ｍｍ以内でタック部２２の襞を縫合線７８にて縫合する。即ち、縫合線７８と第１の折り目２２１の間隔幅をＤ1（ｍｍ）（図９（ａ）参照）とすると、好ましくは、Ｄ1≦０．５、より好ましくは、０．１≦Ｄ1≦０．３とする。このように第１の折り目２２１に平行させる縫合線７８の位置を第１の折り目２２１から所定範囲内とすると、中縫いの場合にはタックの開きに余裕がでるから、生地が厚いときや、小ポケット口２３Ｓの開口縦幅ｍｓ（ｃｍ）が長い（例えば、７＜ｍｓ≦１５）ときでも、ウエストベルト部１０が伸びたときの小ポケット止まり部７５Ｓの周囲の引き攣り、引張りによる歪み、皺寄りを効果的に抑え、ズボンを表側から見たときの外観性や見栄えを良好に維持することが可能となる。
勿論、本発明を実施する場合には、小袋布２１Ｓのタック部２２の襞を縫合するときの縫合線７８は、第１の折り目２２１や第２の折り目２２２と平行させず直線状または斜めとしてもよい。
【０１３３】
このように、本実施の形態の小ポケット部２０Ｓを形成する小袋布２１Ｓでは、その向こう布２１ＳＢに形成したタック部２２において、向こう布２１ＳＢの上端から所定範囲は縫合することなく、例えば、上がり線ＯＬを基準とすると、そこから下に垂直方向の長さＹａで３ｃｍ〜７ｃｍの範囲は縫合することなく、小ポケット部２０Ｓのポケット止まり７５Ｓの高さ７５ｔに対応する位置７５ｔから上に垂直方向の長さ（縦幅）Ｙｂで３ｃｍ〜８ｃｍの範囲内で縫合することによりタック部２２の襞の一部を閉じてタックの開きを制限している。即ち、タック部２２の上端から下に所定の長さ範囲では、タック部２２の襞を閉じることなく展開自在（開閉自在）とするも、タック部２２の下方側でタックの襞を縫合線７８にて縫合していることによりタック部２２の開きを制限している。
【０１３４】
これより、本実施の形態の綿パン１では、Ｌ字状のＬポケット口外縁２６Ｌを有するＬポケット部２０Ｌに対し、それよりも収容容積の小さい小ポケット部２０Ｓを脇線ＬＳ，ＲＳに沿って形成しているが、小ポケット部２０Ｓを構成する小袋布２１Ｓの向こう布２１ＳＢに所定長さのタック部２２を形成し、そのタック部２２の襞の一部をタック部２２の上方を除いて縫合線７８にて縫合してタックの開きを制限したことで、小袋布２１Ｓの布地の遊びが少なくなり、図１３（ｂ）に示したように、ズボンの表側（外側）から見て、ウエストベルト部１０が伸びたときでも、小袋布２１Ｓ（表地２５Ｓを含む）が小ポケット口２３Ｓから吹き出すのが抑制され、脇ポケット部２０及びその周囲に皺寄りが生じ難くなり、見栄えの良い脇ポケット部２０を形成し、美観を維持できる。
【０１３５】
特に、本実施の形態では、タック部２２の襞を縫合する縫合線７８の始点７８ｓは、小ポケット部２０Ｓの小ポケット止まり７５Ｓの高さに対応する位置７５ｔから上に垂直方向の長さで３ｃｍ以上、８ｃｍ以下の範囲内にあり、小袋布２１Ｓの向こう布２１ＳＢの上がり線ＯＬからすると、その位置よりも垂直方向の長さで３ｃｍ〜７ｃｍ下にあり、タック部２２の襞を縫合する終点７８ｅは、小ポケット部２０Ｓの小ポケット止まり７５Ｓ、即ち、小ポケット口外縁２６Ｓの下端７５Ｓの高さに対応する位置７５ｔまたはそれよりも下にある。
したがって、タック部２２の上方の襞の展開量を十分に確保して袋布２１Ｓ，２１Ｌや身頃４Ｆ，４Ｂの上方の引き攣りを抑制しつつ、タック部２２の下方で襞の展開を制限したことで、小袋布２１Ｓの遊び、余裕を少なくして、小ポケット口２３Ｓから吹き出すのを抑制できる。故に、ウエストベルト部１０が伸びたときの小袋布２１Ｓ（表地２５Ｓを含む）の変形を効果的に抑制でき、小袋布２１の歪みや皺寄りが生じ難いことで、ズボンを表側から見たときの見栄えに優れたものとなる。
【０１３６】
そして、本実施の形態の綿パン１は、上端部が延出部１１に接続するＬ字状のＬポケット口外縁２６Ｌを有するＬポケット部２０Ｌと、それよりも収容容積が小さく、上端部が延出部１１に接続しＬポケット口外縁２６Ｌの上端部よりも収容部１２側の脇線ＬＳ，ＲＳに近い直線状の小ポケット口外縁２６Ｓを有する小ポケット部２０Ｓとを脇線ＬＳ，ＲＳに沿って前身頃４Ｆ側に形成したものである。このように、Ｌポケット部２０ＬのＬポケット口外縁２６Ｌの延出部１１に接続する上端部よりも小ポケット部２０Ｓの小ポケット口外縁２６Ｓの延出部１１に接続する上端部を脇線ＬＳ，ＲＳ寄り、即ち、収容部１２及び延出部１１の境界寄りに形成したことにより、ウエストベルト部１０に引っ張り力が掛かった際には、脇線ＬＳ，ＲＳと小ポケット口外縁２６Ｓの間の表出する面積が拡大するのみで、即ち、小ポケット部２０Ｓにおける表地２５Ｓの表出する面積が拡大するのみで、表地２５Ｓよりも大きな面積のＬポケット部２０Ｌの表地２５Ｌの表出する面積に大きな変化はないから、外観の目立つ変化が少なくて、美感を向上させることができる。つまり、ウエストを伸縮自在とするも、小ポケット部２０Ｓよりも大きな（広い）ポケット口サイズのＬポケット部２０Ｌの見た目の変化を少なくして脇ポケット部２０の見栄えを良くでき、Ｌポケット部２０Ｌのデザインの自由度が高く、そのデザインにバリエーションを持たせることが可能となる。
【０１３７】
特に、ウエストベルト部１０が伸縮していない状態で、小ポケット部２０Ｓの小ポケット口外縁２６Ｓを脇線ＬＳ，ＲＳに沿って形成されているものであると、脇線ＬＳ，ＲＳに小ポケット口外縁２６Ｓが重複して目立たなくなり、見栄えに優れるものとなる。
【０１３８】
更に、本実施の形態の綿パン１は、Ｌポケット部２０Ｌよりも容量の小さい小ポケット部２０Ｓを設けたから、Ｌポケット部２０Ｌには、例えば、財布、ハンカチ、ティッシュペーパー等の大きな物を入れ、小ポケット部２０Ｓには、例えば、小銭、鍵、切符等の小物を入れるものとして使用すれば、小ポケット部２０Ｓに入れた物とＬポケット部２０Ｌに入れた物とを区別でき、脇ポケット部２０に入れた物を取り出す際の選別にかかる時間を短縮できて、容易に目的の物を取り出すことが可能であり、非常に使い勝手が良いものである。
【０１３９】
以上説明してきたように、本実施の形態の綿パン１は、身頃４Ｆ，４Ｂの上部に接続しウエスト方向に延びる帯状をなすウエストベルト部１０が伸縮自在なＬポケット付きボトムスであって、ウエストベルト部１０の表側及び裏側を形成し、身頃４Ｆ，４Ｂに縫着していない端部１１ｔ側が延出自在な延出部１１と、延出部１１と共にウエストベルト部１０の表側及び裏側を形成し、延出部１１の身頃４Ｆ，４Ｂに縫着していない端部１１ｔ側を収容した収容部１２と、収容部１２の内部で収容部１２と延出部１１の間を弾性材としての平ゴム１６によって弾性的に接続した接続部１５と、前身頃４Ｆ側であって両脇の脇線ＲＳ，ＬＳに沿って取付けられ、Ｌポケット口外縁２６ＬがＬ字状でその上端が延出部１１に接続したＬポケット部２０Ｌと、前身頃４Ｆ側であって両脇の脇線ＲＳ，ＬＳに沿ってＬポケット部２０Ｌと重複して取付けられ、Ｌポケット部２０Ｌよりも容量が小さく、小ポケット口外縁２６Ｓの上端がＬポケット部２０ＬのＬ字状のＬポケット口外縁２６Ｌよりも脇線ＲＳ，ＬＳ寄りで延出部１１に接続した小ポケット部２０Ｓとを具備し、小ポケット部２０Ｓには、それを構成する小袋布２１Ｓの向こう布２１ＳＢ側に上端から下方に向かって延びた襞状のタック部２２が形成され、タック部２２の襞が少なくともその上方で展開自在であり、上方を除く一部で縫合されているものである。
【０１４０】
このように本実施の形態のＬポケット付きボトムスとしての綿パン１によれば、ウエスト方向に延びる帯状をなすウエストベルト部１０の表側及び裏側が、延出部１１と収容部１２で形成されており、延出部１１の端部１１ｔ側が収容部１２に挿入されて収容され、その状態で延出部１１と収容部１２の間が接続部１５の弾性材としての平ゴム１６によって弾性的に接続されている。これより、ウエストベルト部１０に対しウエスト方向に引張り力が掛かった際には、延出部１１と収容部１２の間を弾性的に接続した接続部１５の弾性材としての平ゴム１６の伸びによって、収容部１２から延出部１１が延出することにより、ウエストベルト部１０が伸長する。また、引張り力が解放されると、平ゴム１６の弾性力によって、伸長したウエストベルト部１０は元に戻る。こうして、身頃４Ｆ，４Ｂの上部に接続したウエストベルト部１０は、延出部１１と収容部１２の間を弾性的に接続した平ゴム１６の弾性力によって伸縮自在である。よって、ウエストベルト部１０が伸縮自在であることで、身体のウエスト周りの動きに追随できるから、食後や着座時等にウエスト周りが大きくなった際でも締め付け力、窮屈感を軽減し、常にウエスト周りにフィットでき、快適な着用感を得ることができる。
【０１４１】
更に、本実施の形態の綿パン１によれば、Ｌポケット口外縁２６ＬがＬ字状でその上端が延出部１１に接続したＬポケット部２０Ｌと、Ｌポケット部２０Ｌよりも容量が小さく、Ｌポケット部２０ＬのＬ字状のＬポケット口外縁２６Ｌの上端よりも脇線ＬＳ，ＲＳ寄りで小ポケット口外縁２６Ｓの上端が延出部１１に接続した小ポケット部２０Ｓとが脇線ＬＳ，ＲＳに沿って前身頃４Ｆ側に設けられている。このように、Ｌポケット部２０ＬのＬ字状のＬポケット口外縁２６Ｌの上端及びそれよりも脇線ＲＳ，ＬＳ寄りに位置する小ポケット部２０Ｓの小ポケット口外縁２６Ｓの上端は延出部１１に接続しているから、収容部１２に対する延出部１１の移動に伴い、Ｌポケット部２０ＬのＬ字状のＬポケット口外縁２６Ｌの上端及び小ポケット部２０Ｓの小ポケット口外縁２０Ｓの上端も移動することになる。
そして、小ポケット部２０Ｓを構成する小袋布２１Ｓの向こう布２１ＳＢ側においては、その上端から下方に向かって延びた襞状のタック部２２を形成し、少なくともその上方が展開自在であるので、ウエストベルト部１０に引張り力が掛かり収容部１２に対し延出部１１が延出するときには、小ポケット部２０Ｓに設けたタック部２２が展開することで、Ｌポケット部２０Ｌ、小ポケット部２０Ｓ、及び前身頃４Ｆに掛かる引張り力を逃がすことができ、ウエストベルト部１０をスムースに伸ばすことができる。
【０１４２】
このとき、小ポケット部２０Ｓに設けたタック部２２の襞はその上方を除く一部が縫合されているから、ウエストベルト部１０が伸びたときでも、タック部２２の開きが制限され、小袋布２１Ｓの生地の遊び、余裕が少なくなっている。これより、Ｌポケット部２０Ｌのポケット口外縁２６ＬがＬ字形状であることで、延出部１１の移動に伴うＬポケット部２０ＬのＬポケット口外縁２６Ｌの上端の移動により、Ｌポケット部２０ＬのＬポケット止まり７５Ｌから上で大きな引き攣り量が生じても、Ｌポケット部２０Ｌよりも脇線ＲＳ，ＬＳ寄りに設けた小ポケット部２０Ｓの小ポケット口２３Ｓから小袋布２１Ｓ（表地２５Ｓを含む）が吹き出したり、小ポケット部２０Ｓ及びその周囲に皺寄りが生じたりする事態が防止され、見栄えや外観性を維持できる。
このようにして、ウエスト部Ｗが伸びたときの脇ポケット部２０の美観を損なうことなく小ポケット部２０Ｓを設けたＬポケット付きボトムスとしての綿パン１となる。
【０１４３】
特に、本実施の形態に係る小ポケット部２０Ｓによれば、タック部２２の襞を縫合する縫合線７８の始端７８ｓは、小ポケット部２０Ｓの小ポケット止まり７５Ｓ、即ち、小ポケット口外縁２６Ｓの下端７５Ｓの高さに対応する位置７５ｔから上に垂直方向の長さで３ｃｍ以上、８ｃｍ以下の範囲内にあり、タック部２２の襞を縫合する終点７８ｅは、小ポケット部２０Ｓの小ポケット止まり７５Ｓ、即ち、小ポケット口外縁２６Ｓの下端７５Ｓの高さに対応する位置７５ｔまたはそれよりも下にある。
【０１４４】
これより、タック部２２の上方の襞の展開量を十分に確保しつつ、タック部２２の下方で襞の展開を制限できる。よって、ウエストベルト部１０が伸びたときでもウエストベルト部１０との境界付近の身頃４Ｆ，４Ｂや袋布２１Ｓ，２１Ｌの上方の引き攣りを抑えて見栄えを損なうことなく、小袋布２１Ｓ（表地２５Ｓを含む）がズボンの外側の小ポケット部２０Ｓの小ポケット口２３Ｓから吹き出したり脇ポケット部２０に皺寄りが生じたりするのを防止できる。即ち、ウエストベルト部１０が伸びたときの小袋布２１Ｓ（表地２５Ｓを含む）の変形を効果的に抑制でき、小袋布２１の歪みや皺寄りが生じ難いことで、ズボンを表側から見たときの美感、見栄えが向上する。
【０１４５】
特に、タック部２２の襞を縫合する終点７８ｅが、小ポケット部２０Ｓのポケット止まり７５Ｓ、即ち、小ポケット口外縁２６Ｓの下端７５Ｓの高さに対応する位置７５ｔであると、ウエストベルト部１０が伸びたときに、小ポケット部２０Ｓの小ポケット止まり７５Ｓ、即ち、小ポケット口外縁２６Ｓの下端７５Ｓを中心としたその周囲に発生する引き攣り、引張りを少なくでき小袋布２１Ｓの歪みや皺寄りを少なくできる。一方、タック部２２の襞を縫合する終点７８ｅが、小ポケット部２０Ｓの小ポケット止まり７５Ｓ、即ち、小ポケット口外縁２６Ｓの下端７５Ｓの高さに対応する位置７５ｔより下にあると、身頃４Ｆ，４Ｂや袋布２１Ｌ，２１Ｓが薄い生地であっても、効果的に、小ポケット部２０Ｓの小ポケット口２３Ｓからの小袋布２１Ｓ（表地２５Ｓを含む）の吹き出しを防止できる。
【０１４６】
また、小ポケット部２０Ｓのタック部２２の襞は、ズボン（ボトムス）の裏側から見たときに、襞を形成する２本の折り目２２１，２２２のうち、タック部２２の折畳み状態で小ポケット部２０Ｓの小袋布２１Ｓの向こう布２１ＳＢに表れない方の折り目２２１から５ｍｍ以内、より好ましくは、１ｍｍ以上、３ｍｍ以内の中縫いで縫合した場合には、タック部２２の襞を縫合した部分でも所定の展開量を確保できる。よって、Ｌポケット部２０ＬのＬポケット口２３Ｌの縦幅が長いときでも、また、身頃４Ｆ，４Ｂや袋布２１Ｌ，２１Ｓの生地が厚いときでも、ウエストベルト部１０が伸びた時に、小ポケット部２０Ｓのポケット止まり７５Ｓの周囲に生じやすい引き攣り、引っ張りを抑制して見栄えを向上させることができる。
なお、上記小袋布２１Ｓの向こう布２１ＳＢの外面側に表れていない折り目２２１とは、タック部２２の襞を形成するために谷折りした折り目線のことである。
また、上記中縫いは、ズボン（ボトムス）の裏側から見たときに、襞を縫合するときの縫合線（縫い目）７８が小ポケット部２０Ｓを形成する小袋布２１Ｓの向こう布２１ＳＢの外面側に表れないように襞を縫合する縫い方である。
【０１４７】
一方、小ポケット部２０Ｓのタック部２２の襞が、ズボン（ボトムス）の裏側から見たときに、襞を形成する２本の折り目２２１，２２２のうち、タック部２２の折畳み状態で小ポケット部２０Ｓの小袋布２１Ｓの向こう布２１ＳＢの外面側に表れる方の折り目２２２から７ｍｍ以内、より好ましくは、１ｍｍ以上、５ｍｍ以内でコバステッチで縫合した場合には、タック部２２の襞を縫合した部分では、その襞が殆ど展開しないから、身身頃４Ｆ，４Ｂや袋布２１Ｌ，２１Ｓの生地が薄いときでも、また、Ｌポケット部２０ＬのＬポケット口２３Ｌの縦幅が短いときでも、小ポケット部２０Ｓの小ポケット口２３Ｓからの小袋布２１Ｓ（表地２５Ｓを含む）の吹き出し、表出を効果的に抑え、また、小ポケット部２０Ｓ及びその周囲の皺寄りを効果的に抑え、見栄えを維持できる。
なお、上記小袋布２１Ｓの向こう布２１ＳＢの外面側に表れている折り目２２２とは、タックの襞を形成するために山折りした折り目線のことである。
また、上記コバステッチは、ズボン（ボトムス）の裏側から見たときに、襞を縫合するときの縫合線（縫い目）７８が小ポケット部２０Ｓを形成する小袋布２１Ｓ向こう布２１ＳＢの外面側に表れるように襞を縫合する縫い方である。
【０１４８】
加えて、本実施の形態の綿パン１によれば、小ポケット部２０Ｓを構成する小袋布２１Ｓの向こう布２１ＳＢ側で小ポケット部２０Ｓの小ポケット口外縁２６Ｓの位置に対応して芯材としてのハード芯７７が取付けられているから、ウエストベルト部１０が伸びたときの小ポケット部２０Ｓの小袋布２１の変形、皺寄りがより抑制される。よって、小ポケット部２０Ｓの小ポケット口２３Ｓからの小袋布２１Ｓ（表地２５Ｓを含む）の吹き出しや、小ポケット部２０Ｓ及びその周囲の皺寄りの抑制効果を高めることができる。これより、ウエストベルト部１０が伸びたときのポケットの見栄えを一層向上させることができる。
【０１４９】
更に、本実施の形態の綿パン１によれば、小ポケット部２０Ｓは、その小ポケット口外縁２６Ｓが脇線ＲＳ，ＬＳに沿って延びた直線状であるから、小ポケット部２０Ｓの小ポケット口外縁２６Ｓが脇線ＲＳ，ＬＳと一体となって見られることで目立ち難く、美感、外観性を維持できる。
【０１５０】
また、本実施の形態の綿パン１において、Ｌポケット部２０ＬのＬポケット口外縁２６Ｌが縦方向に短く横方向に長いＬ字状であり、また、小ポケット部２０Ｓの小ポケット口外縁２６Ｓの終端７５Ｓが、Ｌポケット部２０ＬのＬポケット口外縁２６Ｌの脇線ＲＳ，ＬＳ寄りの終端７５Ｌより下に位置していると、着用者の動きや骨盤の大きい人でもそのＬポケット口外縁２６Ｌ、即ち、Ｌポケット口２３Ｌが変形し難く、更に、小ポケット部２０Ｓの中に入れた物が取り出し易い大きさであり、かつ、Ｌポケット部２０Ｌの中に入れた物が落ち難い大きさである。よって、使い勝手が良く、また、見栄えに優れるものある。
【０１５１】
特に、Ｌポケット口外縁２６Ｌが縦方向に短く横方向に長いＬ字形状のＬポケット部２０Ｌにおいては、そのＬポケット止まり７５Ｌの位置、即ち、脇線ＲＳ，ＬＳと交わるＬ字状のポケット口外縁７６Ｓの終端７５Ｌがウエストベルト部１０に近い位置に設計されることで、そのＬポケット止まり７５の位置から上の引き攣り量が大きいものとなるが、小ポケット部２０Ｓのタック部２２の襞の一部を所定の位置で縫合線７８にて縫合することで、ウエストベルト部１０が伸びたときでも小袋布２１Ｓの表地２５の部分が小ポケット口２３Ｓから吹き出す事態が抑制され、見栄えを良くできる。
【０１５２】
そして、小ポケット部２０Ｓの小ポケット口外縁２６Ｓの終端７５Ｓが、Ｌポケット部２０ＬのＬ字状のポケット口外縁２６Ｌの脇線ＲＳ，ＬＳ寄りの終端７５Ｌより下に位置することで、ボトムスの表側から見て、小ポケット部２０Ｓのポケット口外縁２６Ｓの下方が前身頃４Ｆ及びＬポケット部２０Ｌを構成する大袋布２１Ｌの手前布２１ＬＦの後方に位置し、ウエストベルト部１０が伸びたときに小ポケット部２０Ｓの小ポケット口２３Ｓの膨らみ等による変化が前身頃４ＦやＬポケット部２０Ｌの大袋布２１Ｌの手前布２１ＬＦによって抑制されることでＬポケット部２０ＬのＬポケット止まり７５Ｌから上でより引き攣りが生じやすい構成となっていても、小ポケット部２０Ｓに設けたタック部２２の襞の一部を縫合していることで、小ポケット部２０Ｓの小ポケット口２３Ｓからの小袋布２１Ｓの表地２５の部分の吹き出しや、小ポケット部２０Ｓ及びその周辺の皺寄りを抑制できる。
【０１５３】
ところで、本発明を実施する場合には、綿パン１の身頃４Ｆ，４Ｂは、例えば、綿系、ポリエステル系、ウール系の生地等の１枚の生地で形成することも可能であるし、表地及び裏地の２枚の生地で二重に構成する場合もある。例えば、紳士用のボトムスの多くでは身頃４Ｆ，４Ｂの表地及び裏地が重ねられ、ズボンの裏側からみたときに、その裏地側の手前に小ポケット部２０Ｓの小袋布２１Ｓ及びＬポケット部２０Ｌの大袋布２１Ｌが配設して、小袋布２１Ｓ及び大袋布２１Ｌが表出する構造となる。一方、婦人用のボトムスの多くでは、身頃４Ｆ，４Ｂの表地及び裏地の間に小ポケット部２０Ｓの小袋布２１Ｓ及びＬポケット部２０Ｌの大袋布２１Ｌが配設され、ズボンの裏側からみたときに、小袋布２１Ｓ及び大袋布２１Ｌの手前に身頃４Ｆ，４Ｂの裏地が配設し、身頃４Ｆ，４Ｂの裏地によって小袋布２１Ｓ及び大袋布２１Ｌが隠れている。なお、綿パン１等では、身頃４Ｆ，４Ｂの表側を形成する生地（表地）には、ウエスト部Ｗの形状に沿わせるために開かないタック４ａが施される場合があり、そのタック４ａの部分に対応し、身頃４Ｆ，４Ｂの裏地が、いせ込んで（ダブらせて）ウエストベルト部１０に縫い合わせられる。即ち、身頃４Ｆ，４Ｂの裏地をつまんでウエストベルト部１０に縫い留められ襞状を形成する。特に、タック４ａを脇ポケット部２０やその付近の身頃４Ｆ，４Ｂに設けた場合には、脇ポケット部２０に入れたときに身頃４Ｆ，４Ｂに生じる皺の吸収を可能とする。
【０１５４】
ここで、更に、本実施の形態の変形例に係る綿パン１について、図１４乃至図１７を参照して説明する。
変形例においては、ウエストベルト部１０の表側のみを収容部１２から延出部１１が延出自在な構成とし、ウエストベルト部１０の裏側はウエスト方向に一体に形成した腰裏ベルト部３０で構成した点で上記実施の形態と相違する。その他の構成については、上記実施の形態に係る綿パン１と同様であるためここでは重複する詳細な説明を省略し、相違する点のみを説明する。
【０１５５】
即ち、変形例に係る綿パン１においては、ウエストベルト部１０の表側のウエスト長を収容部１２と延出部１１に分割し、ウエストベルト部１０の表側が収容部１２及びそれに収容された延出部１１によって形成されており、延出部１１の前身頃４Ｆに縫着されない端部１１ｔをウエストベルト部１０の表面の意匠面側から隠れるように収容部１２の内面側に収容されることで、ウエストベルト部１０の表側で収容部１２に対し延出部１１が挿入された構成である。つまり、ウエストベルト部１０の表側から見て、収容部１２に対しその内面側で延出部１１の端部１１ｔが重ねられ収められており、収容部１２と延出部１１はウエスト周囲で一体に連続しておらず分離している構成である。そして、これら収容部１２及び延出部１１は、収容部１２の内部（内面側）で平ゴム１６によって接続されている。
【０１５６】
上記実施の形態に係る綿パン１においては、ウエストベルト部１０の表側及び裏側に弾性材が露呈しないことで、見た目にも伸縮することが分かりづらいものとなっている。一方で、ウエストベルト部１０の表側で収容部１２に対し延出部１１が収められるその収容部１２の開口端１２ｅはベルト通し５を使用すればそれによって収容部１２から延出部１１が延出する部分を隠すことができるが、ウエストベルト部１０の裏側では収容部１２の開口端１２ｅが露呈することになるから、興味本位でその開口から内部構造を引き出して平ゴム１６による伸縮機構を壊してしまう恐れがある。
【０１５７】
これに対し、変形例に係る綿パン１では、ウエストベルト部１０の表側のみが、そのウエスト長を収容部１２と延出部１１に分割されて収容部１２及びそれに挿入された延出部１１によって形成されており、延出部１１の前身頃４Ｆに縫着されない先端部１１ｔをウエストベルト部１０の表面の意匠面側から隠れるように収容部１２内に重ね入れることで、ウエストベルト部１０の表側のみで収容部１２に対し延出部１１が挿入された構成である。
【０１５８】
つまり、ウエストベルト部１０の表側のみ収容部１２に対し延出部１１の端部１１ｔが重ねられ収められており、収容部１２と延出部１１はウエスト周囲で一体に連続しておらず分離している構成である。そして、延出部１１の先端部１１ｔが収められた収容部１２の内面側において、延出部１１と収容部１２の内面側とが弾性材としての平ゴム１６によって弾性的に接続されている。
【０１５９】
一方、ウエストベルト部１０の裏側は、収容部１２に縫着した収容部側裏ベルト部３２と延出部１１に縫着した延出部側裏ベルト部３１との間を平ゴム３３で接続してなる腰裏ベルト部３０で形成され、ウエスト周囲で一体に連続した構成である。
即ち、変形例では、ウエストベルト部１０の裏側は、ウエスト周囲で分離しておらず一体に連続している構成であり、ウエストベルト部１０の表側を形成している収容部１２に縫合した収容部側裏ベルト３２と、ウエストベルト部１０の表側を形成している延出部１１にその先端部１１ｔ側を除いて縫合した延出部側裏ベルト３１と、延出部側裏ベルト３１及び収容部側裏ベルト３２の間を接続した平ゴム３３からなる腰裏ベルト部３０で形成されている。
【０１６０】
このように、変形例では、ウエスト方向に延びる帯状のウエストベルト部１０の裏側をウエスト方向に一体に連続した腰裏ベルト部３０で構成し、収容部１２に縫合した収容部側裏ベルト３２と延出部１１の長さ方向の一部に縫合した延出部側裏ベルト３１と間を平ゴム３３によって弾性的に接続することで、平ゴム３３の弾性力により腰裏ベルト部３０を伸縮自在とする。
【０１６１】
したがって、ウエストベルト部１０に引張り力が掛かった際には、収容部１２と延出部１１の間を弾性的に接続する接続部１５の平ゴム１６の伸長によって、ウエストベルト部１０の表側では収容部１２から延出部１１が引き出されて延出すると共に、平ゴム３３の伸長によって、ウエストベルト部１０の裏側では腰裏ベルト部３０が伸長する。そして、ウエスト周りを伸ばそうとする力が解除されると、ウエストベルト部１０の内部の平ゴム１６及び腰裏ベルト部３０の平ゴム３３の弾性力によって元の本来の長さに戻るから、ウエストベルト部１０の表側では、再び延出部１１が収容部１２内に収容される方向に移動し元の状態に戻り、また、ウエストベルト部１０の裏側の腰裏ベルト部３０も元の本来の長さ状態に戻る。このようにして、本変形例においては、ウエストベルト部１０を伸縮自在としている。
【０１６２】
ここで、変形例においては、綿パン１のウエストベルト部１０の表側（外面側）を形成する延出部１１及び収容部１２と、綿パン１のウエストベルト部１０の裏側を形成する腰裏ベルト部３０の延出部側裏ベルト３１及び収容部側裏ベルト３２とは、前身頃４Ｆ及び後身頃４Ｂと共地（例えば、綿生地等）である。そして、図１５及び図１６で示すように、表側の収容部１２とそれに対応した裏側の収容部側裏ベルト３２の両者は、ウエストベルト部１０の上端側で縫合線６２Ａにて接続し、表側の延出部１１とそれに対応した裏側の延出部側裏ベルト３１の両者は、ウエストベルト部１０の上端側で縫合線６１Ａにて接続する構成である。
【０１６３】
詳しくは、ウエストベルト部１０の表側を構成する収容部１２とそれに対応するウエストベルト部１０の裏側を構成する収容部側裏ベルト３２は、身頃４Ｆ，４Ｂと共地からなり所定形状に切り出された所定幅の収容部１２及び収容部側裏ベルト３２の布地の各上下端部が内折りされ、折り返した上端部の折り目の近傍で収容部１２及び収容部側裏ベルト３２の両者が縫合線６２Ａにて縫合わされている。また、収容部１２の下側は、その折り返した下端部の折り目の近傍で後身頃４Ｂの上端部に縫合線６２Ｃにて縫合わされ、収容部１２に対応する収容部側裏ベルト３２の下側もその折り返した下端部の折り目の近傍で後身頃４Ｂの上端部に縫合わされている。このとき収容部側裏ベルト３２の下端は、必要に応じ、パイピング処理等による補強を行ってもよい。更に、変形例においても、上記と同様、収容部１２や収容部側裏ベルト３２の布地の内面（裏面）には、接着芯等の芯材としてのソフト芯ＳＣやハード芯ＨＣがアイロンプレス等によって貼付けられる。
【０１６４】
また、ウエストベルト部１０の表側を構成する延出部１１及びそれに対応するウエストベルト部１０の裏側の延出部側裏ベルト３１についても、身頃４Ｆ，４Ｂと共地からなり所定形状に切り出された所定幅の延出部１１及び延出部側裏ベルト３１の布地の各上下端部が内折りされ、折り返した上端部の折り目の近傍で延出部１１及び延出部側裏ベルト３１の両者が縫合線６１Ａにて縫合わされている。このとき、延出部１１に縫合する延出部側裏ベルト３１は、延出部１１の先端部１１ｔ側を除く延出部１１の一部に取付けられている。延出部１１の下側は、収容部１２に挿入される先端部１１ｔ側を除いて、上記実施の形態と同様に、袋布２１Ｓ，２１Ｌと共に、前身頃４Ｆに縫合線６１Ｃにて縫合わされている。また、延出部側裏ベルト３１Ｂの下側も、小袋布２１Ｓの向こう布２１ＳＢと共に前身頃４Ｆに縫合わされている。そして、本変形例においても、上記実施の形態と同様に、収容部１２内に挿入される延出部１１の先端部１１ｔは、前身頃４Ｆの上端部と縫合わされず自由な状態になっている。これより、収容部１２に入れられた延出部１１の先端部１１ｔは収容部１２から延出自在、つまり、ウエスト方向に相対移動自在とされ、その挿入深さが変化自在である。延出部１１や延出部側裏ベルト３１も、収容部１２及び収容部側裏ベルト３２と同様、それらの内面（裏面）には、接着芯等の芯材としてのソフト芯ＳＣやハード芯ＨＣがアイロンプレス等で貼付けられる。
なお、上記実施の形態に係る収容部１２が収容部表ベルト１２Ｆ及び収容部裏ベルト１２Ｂから構成されるのに対し、変形例に係る収容部１２は、実質的に、実施の形態の収容部表ベルト１２Ｆに相当するものである。同様に、実施の形態に係る延出部１１が延出部表ベルト１１Ｆ及び収容部裏ベルト１１Ｂから構成されるのに対し、本変形例に係る延出部１１は、実質的に、実施の形態の延出部表ベルト１１Ｆに相当するものである。
【０１６５】
更に、変形例においては、延出部１１に縫合線６１Ａにて縫合した延出部側裏ベルト３１の端部と収容部１２に縫合線６２Ａにて縫合した収容部側裏ベルト３２の端部の間が１本の平ゴム３３で接続されている。この平ゴム３３は、その一端部側が縫付線３６２にて収容部側裏ベルト３２の端部に縫付けられ、反対側の他端部側が縫付線３６１にて延出部側裏ベルト３１に縫付けられている。平ゴム３３をその両端部側で縫付けるときの縫付線３６１，３６２は、縫付け強度を確保できれば１本であってもよいし、２本以上としてもよい。
【０１６６】
このとき、変形例において、収容部側裏ベルト３２及び延出部側裏ベルト３１の間を接続する平ゴム３３は、延出部１１の先端部１１ｔ側が重ねられている収容部１２の一端の端１２ｅから前中心ＦＣ側に向かう延出部１１側に位置するが、その部分では延出部１１に縫着されていない。これにより、ウエストベルト部１０に引張り力がかかった際には、平ゴム３３による所定の伸びを確保し、腰裏ベルト部３０部がスムースに伸びるようにしている。なお、平ゴム３３による収容部側裏ベルト３２の端と延出部側裏ベルト３１の端との間の接続長さ（伸縮自在な長さ）は、平ゴム３３の弾性力にもよるが、平ゴム３３の未伸縮状態で、例えば、３．５ｃｍ〜６ｃｍ程度、好ましくは、４ｃｍ〜５ｃｍ程度に設定される。
【０１６７】
ここで、このように平ゴム３３は延出部１１に縫着されていないため、ウエストベルト部１０の上方で平ゴム３３と延出部１１の間から、延出部１１の内面側、例えば、延出部１１の上下で内折りした布地の裁ち切り線やハード芯ＨＣといった内部構造が見えると商品イメージを低下させる恐れがある。そこで、本変形例においては、平ゴム３３の配設位置に対応する延出部１１の内面側に、略長方形の裏地（図示せず）を縫付けるのが好ましい。延出部１１の内面に設ける裏地としては、特に、伸縮性を有しない生地、ポリエステル系の生地、ナイロン系の生地、スレーキ生地、リボンテープ等の生地であれば、接触抵抗が少なく、収容部１２に対する延出部１１の摺動性を向上させ、収容部１２と延出部１１の滑らかな動きを得ることができる。しかし、見栄えを維持するものとしては、その他の布地、芯地等であってもよい。
【０１６８】
なお、このような裏地は、例えば、その上端が、延出部１１の内面においてその内折りした上部の外面側に縫付けられ、下端が、収容部１２の内面においてその内折りした下部の外面側または内面側に縫付けられる。このとき、裏地の長さは、延出部１１の先端から前中心ＦＣ側に向かって平ゴム３３の配設位置に対応する部分まであってもよいし、収容部１２の開口近傍の平ゴム３３の配設位置に対応する部分のみであってもよい。何れにせよ、平ゴム３３と延出部１１の隙間から見える延出部１１の内面には、裏地が見えるようにすればよい。
このように延出部１１の内面において平ゴム３３の配設位置に対応する箇所に裏地を取付けることにより、平ゴム３３と延出部１１の間から延出部１１の内面が見えても、裏地が見えるだけであるから、商品イメージが低下しない。また、着用者が延出部１１の内部構造に興味を抱いて、延出部１１を引き出すことで伸縮自在構造を壊してしまう事態を防止することもできる。
【０１６９】
即ち、ウエストベルト部１０の表側を形成する延出部１１の内面側には、腰裏ベルト部３０の平ゴム３３に対応する位置で、延出部１１の上部に裏地の上部が縫付けによって取付けられ、延出部１１の下部に裏地１１Ｃの下部が縫付けによって取付けられていると、延出部１１と腰裏ベルト部３０の平ゴム３３との間から延出部１１の内面が見えたときでも裏地が見えるだけであるから、商品イメージの低下を防止できる。
【０１７０】
こうして、変形例に係る綿パン１は、ウエストベルト部１０の表側が互いに端部側を重ねた収容部１２及び延出部１１からなる構成とし、その間を所定の伸縮自在な長さ及び太さの平ゴム１６で弾性的に接続することで、収容部１２から延出部１１を延出自在とする伸縮自在構造である。一方、ウエストベルト部１０の裏側は、収容部１２に縫合した収容部側裏ベルト３２と、延出部１１の一部に縫合した延出部側裏ベルト３２との間を平ゴム３３で弾性的に接続することで、平ゴム３３の弾性力によりウエストベルト部１０の裏側を形成する腰裏ベルト部３０を伸縮自在とする構造である。
【０１７１】
このような変形例に係る綿パン１によれば、ウエストベルト部１０の裏側が延出部１１に縫合した延出部側裏ベルト３１と、収容部１２に縫合した収容部側裏ベルト３２と、それらの間を接続する平ゴム３３とからなり、ウエスト方向で連続して一体に形成された腰裏ベルト部３０で構成されているから、ウエストベルト部１０の裏側では収容部１２の開口端１２ｅが露出して目立つことがないので、興味本位で収容部１２の開口側から内部構造を引き出して壊してしむ事態を防止できる。そして、ウエストベルト部１０の表側では、収容部１２に対し延出部１１が収められるその収容部１２の開口端１２ｅはベルト通し５を使用すればそれによって収容部１２から延出部１１が延出する部分を隠すこともできる。
【０１７２】
更に、変形例に係る綿パン１によれば、収容部１２及び延出部１１を接続する平ゴム１６に加え、ウエストベルト部１０の裏側を構成する腰裏ベルト部３０にも収容部側裏ベルト３２及び延出部側裏ベルト３１の間を接続する平ゴム３３が用いられていることから、弾性力を強化でき、ウエストベルト部１０をより伸ばすことも可能であり、また、少ない外力で高い伸縮力を得ることができる。よって、平ゴム１６の耐久性の向上を可能とする。
なお、その他の構成については、上記実施の形態と同様であり、変形例においても、上記実施の形態と同様の作用効果が得られる。
【０１７３】
ここで、腰裏ベルト部３０について、図１４乃至図１６において、１本の平ゴム３３としているが、本発明を実施する場合には、図１７に示すように、収容部側裏ベルト３２及び延出部側裏ベルト３１を接続する弾性材として２本の平ゴムを用いることも可能である。
【０１７４】
即ち、図１７に示すように、互いに一部の厚みを重複させて上下に配設した平ゴムからなる上方側の上位ゴム３３Ａ及び下方側の下位ゴム３３Ｂによって収容部側裏ベルト３２と延出部側裏ベルト３１の間を接続してもよい。図１７においては、収容部側裏ベルト３２と延出部側裏ベルト３１の間を２本の上位ゴム３３Ａ及び下位ゴム３３Ｂで接続することによって、それら上位ゴム３３Ａ及び下位ゴム３３Ｂの弾性力により、腰裏ベルト部３０を伸縮自在としている。
【０１７５】
この図１７に示した腰裏ベルト部３０においては、別体である上位ゴム３３Ａ及び下位ゴム３３Ｂがそれらの一部を重ねて上下方向（ウエスト周方向に対して直角方向）に配設され、上側の上位ゴム３３Ａとその下側に位置する下位ゴム３３Ｂの各両端部が収容部側裏ベルト３２と延出部側裏ベルト３１に縫付けられている。このとき、収容部側裏ベルト３２及び延出部側裏ベルト３２の間に縫着されている上位ゴム３３Ａと下位ゴム３３Ｂの両者は、収容部側裏ベルト３２の一端部及び延出部側裏ベルト３１の一端部との間で縫合されることなく分離した状態にある。
【０１７６】
なお、上位ゴム３３Ａと下位ゴム３３Ｂの厚みの重複部分は、上位ゴム３３Ａ及び下位ゴム３３Ｂが重なった状態での上下端間の長さ距離である縦幅全長の１／１０以上、８／１０以下の範囲内とするのが好ましく、より好ましくは、２／１０以上、５／１０以下、更に好ましくは、３／１０以上、５／１０以下である。ここで、上位ゴム３３Ａ及び下位ゴム３３Ｂの厚みの重複領域が大きいと、伸び力が高くなり、人体の動きに対するフィット性の向上が可能となる。しかし、上位ゴム３３Ａ及び下位ゴム３３Ｂの厚みの重複領域が大き過ぎると、着用時の重厚感が増して着心地が低下したり、弾性力が強くなり過ぎてウエストの締め付け力が大きくなり窮屈感が増大したりする。
そこで、上位ゴム３３Ａ及び下位ゴム３３Ｂの厚みが重なる重複領域の縦幅長さが、上位ゴム３３Ａ及び下位ゴム３３Ｂが重なり合った状態での上下端間の長さ距離である縦幅全長に対して、１／１０以上、８／１０以下の範囲内であれば、より好ましくは２／１０以上、５／１０以下の範囲内、更に好ましくは３／１０以上、５／１０以下の範囲内であれば、締め付け力、窮屈感が強調されることなく、フィット感の増大を可能とする。
【０１７７】
また、上位ゴム３３Ａと下位ゴム３３Ｂの各縦幅長さ（本来の長さ）は、厚みを重複させた状態での上位ゴム３３Ａと下位ゴム３３Ｂの縦幅の全長の５／１０以上、８／１０以下の範囲内が好ましく、より好ましくは、６／１０以上、８／１０以下の範囲内である。上記範囲内あれば、重なりによる重厚感も少なくて、より少ない力で伸び易くてフィット性が良く、締め付け感、窮屈感もより少ないものとなる。
【０１７８】
なお、互いに一部を重ねて上下に配設する上位ゴム３３Ａと下位ゴム３３Ｂの縦幅の全長は、ウエストベルト部１０表側の収容部１２及び延出部１１に縫付けた延出部側裏ベルト３１や収容部側裏ベルト３２の縦幅の全長と比較して２ｃｍ以内の差（増減）はあるも、通常、同程度に設定され、例えば、３．５ｃｍ〜５ｃｍ程度に設定される。
そして、上位ゴム３３Ａの上端と延出部側裏ベルト３１の上端との高さ位置の差が大きいと、ウエストベルト部１０の裏側において上位ゴム３３Ａの上側で延出部側裏ベルト３１の露出量が増えるために、延出部側裏ベルト３１等の内部構造や縫製の仕方に興味を持って伸縮機構を無理に引き出して壊してしまったり、延出部側裏ベルト３１等の縫製を壊してしまったりする恐れがある。また、上位ゴム３３Ａの上端が低位置にあると、見栄えの確保等のために、上位ゴム３３Ａが縫付けられている延出部側裏ベルト３１の一端側の上端部や収容部側裏ベルト３２の一端側の上端部の縫い代の浮きを抑えるべくそこを延出部側裏ベルト３１の内面に縫付ける必要がある。しかし、上位ゴム３３Ａの上端を延出部側裏ベルト３１や収容部側裏ベルト３２の上端の高さと一致させて連続的であると、或いは、２ｃｍ以内の差であれば、上記事態を防止でき、縫製工程もより簡単で済む。
【０１７９】
ここで、上位ゴム３３Ａと下位ゴム３３Ｂの前後（表裏）方向の配置関係は、腰裏ベルト部３０の表側（意匠面側、身体側）から見て、図１７に示したように、下位ゴム３３Ｂの前方（手前側）に上位ゴム３３Ａが配設され両者の一部が重ねられても良いし、下位ゴム３３Ｂの後方に上位ゴム３３Ａが配設され両者の一部が重ねられても良い。
即ち、上位ゴム３３Ａ及び下位ゴム３３Ｂの関係は、上位ゴム３３Ａの下方に下位ゴム３３Ｂの上方が重ねられ互いに一部を重ね合わせて厚みを重複させていれば、腰裏ベルト部３０の表側（意匠面側、身体側）から見たときに、上位ゴム３３Ａの下方の手前側（上側）に下位ゴム３３Ｂの上方を重ねてもよいし、図１７に示したように、上位ゴム３３Ａの下方の後ろ側（下側）に下位ゴム３３Ｂの上方を重ねてもよい。
そして、例えば、図１７に示したように、腰裏ベルト部３０の表側（意匠面側、身体側）から見て、下位ゴム３３Ｂよりも上位ゴム３３Ａが手前にあり、上位ゴム３３Ａの下端縁が下位ゴム３３Ｂよりも手前に位置するものでは、タックインしたシャツのずれ上がりを防止する滑り止め機能を持たせたることもできる。
【０１８０】
また、図１７に示した腰裏ベルト部３０においては、上位ゴム３３Ａと下位ゴム３３Ｂは、共に、そのウエスト方向の一端部側が収容部側裏ベルト３２の端部に縫付けられ、反対側の他端部側が延出部側裏ベルト３１に縫付けられるが、上位ゴム３３Ａと下位ゴム３３Ｂは、伸縮自在な長さを同一としていてもよいし、伸縮自在な長さを相違させてもよい。上位ゴム３３Ａと下位ゴム３３Ｂの収容部側裏ベルト３２及び延出部側裏ベルト３１間の接続長さ、即ち、伸縮長さを同一とする場合には、両者を所定に重複させた状態でまとめて延出部側裏ベルト３１や収容部側裏ベルト３２に縫製することから、縫製に不慣れな作業者でも縫製が分かりやすく、作業効率を向上できる。一方で、下位ゴム３３Ｂと上位ゴム３３Ａとで伸縮自在な長さを相違させていると、引張り力がかかった際に、下位ゴム３３Ｂと上位ゴム３３Ａにかかる負荷が分散されるから、下位ゴム３３Ｂと上位ゴム３３Ａを長持ちさせることができる。また、延出部側裏ベルト３１や収容部側裏ベルト３２への下位ゴム３３Ｂと上位ゴム３３Ａの縫製の縫い目にかかる負荷等も分散されるから、それら縫い目の解れも生じ難く、また、生地を傷め難い。
【０１８１】
例えば、図１７に示すように、腰裏ベルト部３０の表側（意匠面側、身体側）、つまり、ズボンの腰裏側からみて、上方側の上位ゴム３３Ａを手前とし、下位ゴム３３Ｂを上位ゴム３３Ａの後方に配設したとき、その上位ゴム３３Ａは、収容部側裏ベルト３２の端部に縫付線３６２Ａにて縫付け、また、延出部側裏ベルト３１の端部に縫付線３６１Ａにて縫付ける一方で、下位ゴム３３Ａは、縫付線３６２Ａよりも収容部側裏ベルト３２の端部側から離れた位置で縫付線３６２Ｂにて縫付け、また、縫付線３６１Ａよりも延出部側裏ベルト３１の端部側から離れた位置で縫付線３６１Ｂにて縫付ける。これより、上位ゴム３３Ａよりも下位ゴム３３Ｂの伸縮自在な長さ（接続長さ）を長くして、伸びによる変化を相違させることで、負荷を分散させゴム等を長持ちさせることができる。特に、このように上位ゴム３３Ａよりも下位ゴム３３Ｂの伸縮自在な長さ（接続長さ）を長くすることで、上位ゴム３３Ａ及び下位ゴム３３Ｂの全体縦幅を短くしなくとも、ウエストベルト部１０に引張り力が掛かった際に、上位ゴム３３Ａが上方に凸に湾曲して、ズボンの表側で延出部１１の上に上位ゴム３３Ａが突出して露呈するのを防止し、見栄えを維持できる。勿論、本発明を実施する場合は、上位ゴム側３３Ａで伸縮自在な長さを長くすることも可能である。
【０１８２】
このように、図１７に示した腰裏ベルト部３０によれば、別体に形成された上位ゴム３３Ａと下位ゴム３３Ｂをそれらの一部で重ねて上下方向に配設して延出部側裏ベルト３１と収容部側裏ベルト３２の間を接続し、上位ゴム３３Ａと下位ゴム３３Ｂが延出部側裏ベルト３１及び収容部側裏ベルト３２の間で一体化されずに分離している構成であるため、ウエストベルト部１０に引張り力がかかった際に上位ゴム３３Ａと下位ゴム３３Ｂにかかる負荷が分散される。よって、長期間の着用でもゴムの弾性力が低下し難く、腰裏ベルト部３０の伸縮性、弾力性が低下しにくい。
【０１８３】
そして、上位ゴム３３Ａと下位ゴム３３Ｂの厚みの重複により弾性力を高くできるから、伸び量を向上できる。このとき、上位ゴム３３Ａと下位ゴム３３Ｂはそれぞれの一部分が重なっており、しかも、延出部側裏ベルト３１と収容部側裏ベルト３２の間で上位ゴム３３Ａと下位ゴム３３Ｂが結合されていないと互いに動きが拘束され難いことから、伸ばす外力も少なくて済む。よって、強力な締め付け感、窮屈感を増大させることなく、弾性力を向上させることができる。そして、少ない外力で高い伸縮力が得られヤング率を小さくできるから弾性力も低下し難く、耐久性が維持される。即ち、このような相互に一部を重ねて上下に配設した上位ゴム３３Ａ及び下方側の下位ゴム３３Ｂによれば、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。故に、耐久性を確保しつつ、強力な締め付け感、窮屈感を生じさせることなく少ない外力でも容易に伸縮して人体のウエストの動きに追従する滑らかな伸縮によりフィット性を高めることができる。
【０１８４】
こうして、図１７に示した腰裏ベルト部３０によれば、上方の弾性材及び下方の弾性材としての上位ゴム３３Ａ及び下位ゴム３３Ｂの２本の弾性材によって延出部側裏ベルト３１と収容部側裏ベルト３２の間を接続し、上位ゴム３３Ａの下方に下位ゴム３３Ｂの上方を重複させて上下に配設されているものである。このような、厚みを重複させた上位ゴム３３Ａ及び下位ゴム３３Ｂの並列構造によって、着用時の締め付け感、窮屈感の低減を可能とする。
なお、上位ゴム３３Ａ及び下位ゴム３３Ｂは、上位ゴム３３Ａの下方に下位ゴム３３Ｂの上方が重ねられており、互いに厚みの一部を重ねて重複させているものであり、ボトムスの裏側から見て上位ゴム３３Ａの手前側に下位ゴム３３Ｂを重ねてもよいし、上位ゴム３３Ａの後ろで下位ゴム３３Ｂを重ねてるようにしてもよい。
【０１８５】
特に、互いに一部の厚みを重複させて上下に配設した上位ゴム３１と下位ゴム３２は、それら厚みを重複させた状態での縦幅の全長の１０％以上、８０％以下の範囲内で厚みを重複させていると、締め付け力、窮屈感が強調されることなく、より人体のウエストの動きに追従するフィット感が得られる。
また、上位ゴム３１と下位ゴ３２の各縦幅長さは、互いに厚みを重複させているときの上位ゴム３１と下位ゴム３２の縦幅の全長の５０％以上、８０％以下の範囲内であると、重厚感も少なくて、より少ない力で伸び易くてフィット性が良く、締め付け感、窮屈感もより少なくなる。
つまり、強力な締め付け感、窮屈感を生じさせることなく弾性力を強化でき、少ない外力で高い伸縮力を得ることができる。よって、より少ない締め付け感、窮屈感で人体のウエストの動きに追従するフィット性を高めることができ、着用感を向上させることができる。
【０１８６】
こうして、変形例に係る綿パン１は、身頃４Ｆ，４Ｂの上部に接続しウエスト方向に延びる帯状をなすウエストベルト部１０が伸縮自在なＬポケット付きボトムスであって、ウエストベルト部１０の表側を形成し、身頃４Ｆ，４Ｂに縫着していない端部１１ｔ側が延出自在な延出部１１と、延出部１１と共にウエストベルト部１０の表側を形成し、延出部１１の身頃４Ｆ，４Ｂに縫着していない端部１１ｔ側を収容した収容部１２と、収容部１２の内部で収容部１２と延出部１１の間を弾性材としての平ゴム１６によって弾性的に接続した接続部１５と、ウエスト方向に一体に連続してウエストベルト部１０の裏側を形成し、収容部１２の裏側に縫付けた収容部側裏ベルト３１と延出部１１の裏側に縫付けた延出部側裏ベルト３２の間を平ゴム１６とは異なる他の弾性材としての平ゴム３３、または、上位ゴム３３Ａ及び下位ゴム３３Ｂによって弾性的に接続してなり、平ゴム３３、または、上位ゴム３３Ａ及び下位ゴム３３Ｂによって伸縮自在な腰裏ベルト部３０と、前身頃４Ｆ側であって両脇の脇線ＲＳ，ＬＳに沿って取付けられ、Ｌポケット口外縁２６ＬがＬ字状でその上端が延出部１１に接続したＬポケット部２０Ｌと、前身頃４Ｆ側であって両脇の脇線ＲＳ，ＬＳに沿ってＬポケット部２０Ｌと重複して取付けられ、Ｌポケット部２０Ｌよりも容量が小さく、小ポケット口外縁２６Ｓの上端がＬポケット部２０ＬのＬ字状のＬポケット口外縁２６Ｌよりも脇線ＲＳ，ＬＳ寄りで延出部１１に接続した小ポケット部２０Ｓとを具備し、小ポケット部２０Ｓは、それを構成する小袋布２１Ｓの向こう布２１ＳＢ側に上端から下方に向かって延びた襞状のタック部２２が形成され、タック部２２の襞が少なくともその上方で展開自在であり、上方を除く一部で縫合されているものである。
【０１８７】
この変形例に係る綿パン１においても、ウエストベルト部１０に対しウエスト方向に引張り力が掛かった際には、延出部１１と収容部１２の間を弾性的に接続した接続部１５の平ゴム１６の伸びによって、収容部１２から延出部１１が延出すると共に、腰裏ベルト部３０の弾性材としての平ゴム３３または上位ゴム３３Ａ及び下位ゴム３３Ｂの伸びによって腰裏ベルト部３０が伸びることにより、ウエストベルト部１０が伸長する。また、引張り力が解放されると、平ゴム１６の弾性力、腰裏ベルト部３０の平ゴム３３または上位ゴム３３Ａ及び下位ゴム３３Ｂの弾性力によって、伸長したウエストベルト部１０は元に戻る。即ち、ウエストベルト部１０は、延出部１１と収容部１２の間を弾性的に接続した平ゴム１６の弾性力、腰裏ベルト部３０の平ゴム３３または上位ゴム３３Ａ及び下位ゴム３３Ｂの弾性力によって伸縮自在である。
そして、変形例に係る綿パン１では、ウエストベルト部１０の裏側においてウエスト方向の一部に平ゴム３３または上位ゴム３３Ａ及び下位ゴム３３Ｂを配設するものであるから、低コストで済み、また、伸縮に伴う弛みも少なくなるから見栄えも良い。
その他の構成については、上記実施の形態と同様であり、変形例においても、上記実施の形態と同様の作用効果が得られる。
【０１８８】
なお、上記実施の形態やその変形例のＬポケット付きボトムスは、綿パン以外にも、例えば、スーツ、スラックス等のカジュアルでないボトムス、チノパンやジーンズ（Ｇパン）等のカジュアルなボトムス、スポーツウエアのボトムス等に適用されるものであり、更に、ボトムスとしてはズボンに限られるものでもなく、スカートやキュロットスカート等にも適用できる。また、収容部１２及び延出部１１を重ね合わせ、収容部１２の内側でそれらの間を平ゴム１６によって接続することで、ウエストベルト部１０の表側に弾性材が露出しないから、見栄えを損なうことなく人体のウエストの動きに追従するフィット性を高めることができる。よって、ゴルフ等の運動(スポーツ)時に着用するゴルフスラックス等のトレーニングウエア、スポーツウエアにも好適であり、高いフィット性により激しい動きにも追従し、高い着用感を得ることができる。
【０１８９】
また、上記実施の形態やその変形例では、左右の脇線ＬＳ，ＲＳの近傍の２箇所に収容部１２及び延出部１１を重ね合わせた重ね合わせ部１３を有し、それに対応して平ゴム１６を左右の２箇所に配設し、また、Ｌポケット部２０Ｌ及び小ポケット部２０Ｓからなる脇ポケット部２０を左右の２箇所に配設した綿パン１で説明した。しかし、本発明を実施する場合には、収容部１２及び延出部１１の重ね合わせ部１３を１箇所以上とし、また、それに対応する平ゴム１６や、Ｌポケット部２０Ｌ及び小ポケット部２０Ｓからなる脇ポケット部２０も１箇所以上であればよい。
【０１９０】
なお、上記実施の形態では、ウエストベルト部１０の表側及び裏側を身頃４Ｂ，４Ｆと共地（綿生地等）とし、即ち、収容部１２を構成する収容部表ベルト１２Ｆ及び収容部裏ベルト１２Ｂ並びに延出部１１を構成する延出部表ベルト１１Ｆ及び延出部裏ベルト１１Ｂを身頃４Ｂ，４Ｆと共地とし、ウエストベルト部１０の上端部で表側と裏側の生地を接ぐ構成としている。しかし、本発明を実施する場合には、ウエストベルト部１０の表側と裏側を別生地で構成することも可能である。勿論、身頃４Ｆ，４Ｂや、ウエストベルト部１０の表側、裏側の生地も、綿系の生地に限定されるものではなく、ポリエステル系、ウール系の生地等であってもよい。更に、例えば、ウエストベルト部１０の表側の生地は、身頃４Ｂ，４Ｆと共地とし、ウエストベルト部１０部の裏側は、タックインしたシャツがズボンから食み出るのを防止する滑り止め機能を持たせたポリエステル系、ナイロン系、レーヨン系、綿、スレーキ、リボンテープ、ラバー等からなる、所謂、マーベルト仕様とすることもできる。勿論、ウエストベルト部１０の表側も身頃４Ｆ，４Ｂとは別生地で作製することも可能であるし、収容部１２側と延出部１１側で異なる生地を使用することも可能である。更に、変形例においても、腰裏ベルト部３０の延出部側裏ベルト３１Ｂや収容部側裏ベルト３２Ｂをマーベルト仕様とすることも可能である。
【０１９１】
また、上記実施の形態やその変形例では、図において、Ｌポケット部２０ＬのＬポケット口外縁２６ＬのＬ字の縦と横の交わる角部が緩やかにカーブした形状であるが、本発明を実施する場合には、例えば、図１８に示したように、Ｌ字の縦と横の交わる角部が角張ったＬ字形状としてもよく、その角部も９０°であることを要求するものではなく、９０°以上、または９０°以下であってもよい。なお、このときのＬポケット部２０ＬのＬポケット口２３Ｌの開口幅（縦幅）も、例えば、５ｃｍ〜１１ｃｍ程度、好ましくは、６ｃｍ〜１０ｃｍ程度に設定される。そして、Ｌポケット部２０ＬのＬポケット口外縁２６Ｌの上端と、脇線ＬＳ，ＲＳの間の横幅の長さ（距離）は、例えば、９ｃｍ〜１８ｃｍ、好ましくは、１０ｃｍ〜１４ｃｍであり、Ｌポケット部２０ＬのＬポケット口外縁２６Ｌの上端と、小ポケット部２０Ｓの小ポケット口外縁２６Ｓの上端の間の横幅の長さ（距離）も、例えば、９ｃｍ〜１８ｃｍ、好ましくは、１０ｃｍ〜１４ｃｍである。そして、何れの形状も、カーブ状または直角状のコーナから脇線ＲＳ，ＬＳ側に向かっては、緩やかに下方に傾く（斜めに下る）傾斜状としているが、水平方向に真っ直ぐな直線状としてもよい。また、本発明を実施する場合には、Ｌポケット部２０ＬのＬポケット口外縁２６Ｌが、そのカーブまたは直角状のコーナから脇線ＲＳ，ＬＳ側に向かう手前で下方に更にカーブしてから脇線ＬＳ，ＲＳに接続し、Ｌポケット口外縁２６ＬのＬポケット口外縁２６Ｌの下端、即ち、Ｌポケット止まり７５Ｌが、小ポケット口外縁２６の下端、即ち、小ポケット止まり７５Ｓよりも下方に位置するようにしてもよい。これにより、小ポケット部２０Ｓの小ポケット口外縁２６の下端、即ち、小ポケット止まり７５Ｓが、前身頃４Ｆ及び大袋布２１Ｌの手前布２１ＬＦに隠れることなく表出し、小ポケット部２０Ｓに物を入れるときに、小ポケット口外縁２６側が前身頃４Ｆ及び大袋布２１Ｌの手前布２１ＬＦに当たり難くなり、小ポケット口２３を開き易くすることができる。
【０１９２】
上記実施の形態やその変形例では、収容部１２の内部において延出部１１及び収容部１２の間を接続する平ゴム１６に対し、伸び止め材１７を並設する構成を説明したが、本発明を実施する場合には、伸び止め材１７は、延出部１１を収容部１２側に延ばして延出部１１と一体としたストッパー部分として形成し、そのストッパー部分に、平ゴム１６の最大伸びを制限する伸び止め材１７の役割を持たせることも可能である。即ち、延出部１１の先端を細くして延長し、共布で伸び止め材１７の役割をするストッパー部分を設けることによって、伸び止め材１７を形成してもよい。このような場合には、単独の伸び止め材１７をリボンテープ等で設ける必要がなく、縫製工程も簡略化されるため、コストがかからず安価にゴムを長持ちさせることができる。また、伸び止め材１７以外にも、伸縮するゴムの伸びの限界を綿等の繊維の織り込みによって規定することも可能である。
しかし、本発明を実施する場合、伸び止め材１７については省略することも可能である。伸び止め材１７を省略した場合には、例えば、小ポケット部２０Ｓを構成する小袋布２１Ｓのタック部２２の展開量によって、平ゴム１６の最大の伸び長さを規定することも可能である。
【０１９３】
加えて、上記実施の形態やその変形例では、小ポケット部２０Ｓを形成する袋布２１Ｓの向こう布２１ＳＢ側に対し、その小ポケット口外縁２６Ｓが移動する範囲で、ズボンの外側で、身頃４Ｆ，４Ｂと共地の表地（共布向こう布）２５が縫付けられているが、本発明を実施する場合には、その表地部分を、後身頃４Ｂ側の生地を前身頃４Ｆ側に延ばすことで形成することも可能である。即ち、後身頃４Ｂ側の生地を延長し、それを袋布２１Ｓの向こう布２１ＳＢ側に重ね合わせて縫付けることも可能である。このような場合には、ズボンの表側に脇線ＬＳ，ＲＳの縫付線を表出させない縫製も可能であり、ウエストベルト部１０が伸びて、小ポケット口外縁２６Ｓの移動に伴い表出する部分が、後身頃４Ｂ側と一体のものとして認識されやすく、小ポケット部２０Ｓ近傍の見栄えを良く保つことができる。また、本発明を実施する場合には、ジーンズのように、Ｌポケット部２０Ｌ内に、更に、第３のポケットとして、所謂、コインポケット（ウォッチポケット）を付加することも可能である。
【０１９４】
更に、上記実施の形態やその変形例では、小袋布２１Ｓやタック部２２の形状維持、皺寄り防止、見栄えの向上のために補助弾性材としての平ゴム２８を設けている。この補助弾性材としての平ゴム２８の弾性力は、主弾性材としての平ゴム１６の弾性力に比較すると小さく、ウエストサイズの伸縮のための主弾性材としての平ゴム１６の弾性力からすれば無視できる程度である。また、見栄えに影響する皺が入る可能性も低いことから、当然、省略することも可能である。
そして、本発明を実施する場合、十分な弾性を有するものであれば、収容部１２と延出部１１の間を弾性的に接続する弾性材や、腰裏ベルト部３０の弾性材は、平ゴムに限定されず、ゴム製板、ストレッチテープ（ゴム入り布）、パワーネット生地、サテンネット生地、ストレッチサテン生地、ストレッチレース生地等の様々な弾性を有する素材を用いることも可能である。補助弾性材としての平ゴム２８についても同様である。
【０１９５】
そして、本発明を実施するに際しては、ボトムスの構造、形状、材質、生地、大きさ、長さ、幅、接続関係等についても、上記実施の形態に限定されるものではない。例えば、ジーンズ（Ｇパン）、綿パンを始めとするカジュアルなボトムス、特に、紳士用のズボンにおいては、ウエストベルト部１０の上下の両端や、脇ポケット部２０のポケット口外縁２６Ｓ，２６Ｌ等に布を落ち着かせたり縫い代を安定させたり強度を補完するためにステッチを施すこともある。
なお、本発明の実施の形態で挙げている数値は、臨界値を示すものではなく、実施に好適な好適値を示すものであるから、上記数値を若干変更してもその実施を否定するものではない。
【符号の説明】
【０１９６】
１      綿パン
４Ｆ    前身頃
４Ｂ    後身頃
１０    ウエストベルト部
１１    延出部
１２    収容部
１５    接続部
１６    平ゴム（弾性材）
２０Ｌ  Ｌポケット部
２０Ｓ  小ポケット部
２１Ｌ  大袋布
２１Ｓ  小袋布
２２    タック部
２３Ｌ  Ｌポケット口
２３Ｓ  小ポケット口
２６Ｌ  Ｌポケット口外縁
２６Ｓ  小ポケット口外縁
３０  腰裏ベルト部
３１  延出部側裏ベルト
３２  収容部側裏ベルト
３３  平ゴム（他の弾性材）
３３Ａ  上位ゴム（他の弾性材）
３３Ｂ  下位ゴム（他の弾性材）
７８  縫合線
ＬＳ  左脇線
ＲＳ  右脇線
【図１】
2020133020.tif 000003
【図２】
2020133020.tif 000004
【図３】
2020133020.tif 000005
【図４】
2020133020.tif 000006
【図５】
2020133020.tif 000007
【図６】
2020133020.tif 000008
【図７】
2020133020.tif 000009
【図８】
2020133020.tif 000010
【図９】
2020133020.tif 000011
【図１０】
2020133020.tif 000012
【図１１】
2020133020.tif 000013
【図１２】
2020133020.tif 000014
【図１３】
2020133020.tif 000015
【図１４】
2020133020.tif 000016
【図１５】
2020133020.tif 000017
【図１６】
2020133020.tif 000018
【図１７】
2020133020.tif 000019
【図１８】
2020133020.tif 000020
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
身頃の上部に接続しウエスト方向に延びる帯状をなすウエストベルト部が伸縮自在なＬポケット付きボトムスであって、
前記ウエストベルト部の表側及び裏側を形成し、前記身頃に縫着していない端部側が延出自在な延出部と、
前記延出部と共に前記ウエストベルト部の表側及び裏側を形成し、前記延出部の前記身頃に縫着していない前記端部側を収容した収容部と、
前記収容部の内部で前記収容部と前記延出部の間を弾性材によって弾性的に接続した接続部と、
前記身頃の前身頃側であって片側の脇線または両脇の脇線に沿って取付けられ、Ｌ字状のポケット口の外縁の上端が前記延出部に接続したＬポケット部と、
前記身頃の前身頃側であって片側の脇線または両脇の脇線に沿って前記Ｌポケット部と重複して取付けられ、前記Ｌポケット部よりも容量が小さく、ポケット口の外縁の上端が前記Ｌポケット部のＬ字状のポケット口外縁よりも脇線寄りで前記延出部に接続した小ポケット部と
を具備し、
前記小ポケット部は、それを構成する袋布の向こう布側に上端から下方に向かって延びた襞状のタック部が形成され、前記タック部の襞は、少なくともその上方が展開自在で、前記上方を除く一部が縫合されていることを特徴とするＬポケット付きボトムス。
【請求項２】
身頃の上部に接続しウエスト方向に延びる帯状をなすウエストベルト部が伸縮自在なＬポケット付きボトムスであって、
前記ウエストベルト部の表側を形成し、前記身頃に縫着していない端部側が延出自在な延出部と、
前記延出部と共に前記ウエストベルト部の表側を形成し、前記延出部の前記身頃に縫着していない前記端部側を収容した収容部と、
前記収容部の内部で前記収容部と前記延出部の間を弾性材によって弾性的に接続した接続部と、
前記ウエスト方向に一体に連続して前記ウエストベルト部の裏側を形成し、前記弾性材とは別の他の弾性材によって伸縮自在な腰裏ベルト部と、
前記身頃の前身頃側であって片側の脇線または両脇の脇線に沿って取付けられ、Ｌ字状のポケット口の外縁の上端が前記延出部に接続したＬポケット部と、
前記身頃の前身頃側であって片側の脇線または両脇の脇線に沿って前記Ｌポケット部と重複して取付けられ、前記Ｌポケット部よりも容量が小さく、ポケット口の外縁の上端が前記Ｌポケット部のＬ字状のポケット口外縁よりも脇線寄りで前記延出部に接続した小ポケット部と
を具備し、
前記小ポケット部は、それを構成する袋布の向こう布側に上端から下方に向かって延びた襞状のタック部が形成され、前記タック部の襞は、少なくともその上方が展開自在で、前記上方を除く一部が縫合されていることを特徴とするＬポケット付きボトムス。
【請求項３】
前記腰裏ベルト部は、前記収容部の裏側に縫付けた収容部側裏ベルトと前記延出部の裏側に縫付けた延出部側裏ベルトの間を前記他の弾性材によって弾性的に接続してなることを特徴とする請求項２に記載のＬポケット付きボトムス。
【請求項４】
前記小ポケット部のタック部の襞を縫合する始点は、前記小ポケット部のポケット口外縁の終端の高さに対応する位置から上に垂直方向の長さで３ｃｍ以上、８ｃｍ以下の範囲内にあり、前記タック部の襞を縫合する終点は、前記小ポケット部のポケット口外縁の終端の高さに対応する位置またはそれよりも下にあることを特徴とする請求項１乃至請求項３の何れか１つに記載のＬポケット付きボトムス。
【請求項５】
前記小ポケット部を構成する袋布の向こう布側は、前記小ポケット部のポケット口外縁に対応する位置に芯材を設けていることを特徴とする請求項１乃至請求項４の何れか１つに記載のＬポケット付きボトムス。
【請求項６】
前記小ポケット部は、そのポケット口外縁が前記脇線に沿って延びた直線状であることを特徴とする請求項１乃至請求項５の何れか１つに記載のＬポケット付きボトムス。
【請求項７】
前記Ｌポケット部は、そのポケット口外縁が縦方向に短く横方向に長いＬ字状であり、前記小ポケット部のポケット口外縁の終端は、前記Ｌポケット部のＬ字状のポケット口外縁の脇線寄りの終端より下に位置していることを特徴とする請求項１乃至請求項６の何れか１つに記載のＬポケット付きボトムス。
【手続補正２】
【補正対象書類名】明細書
【補正対象項目名】全文
【補正方法】変更
【補正の内容】
【発明の詳細な説明】
【技術分野】
【０００１】
本発明は、ウエストサイズを伸縮自在とした被服、即ち、スーツ用ズボンや綿パン等のパンツ（ズボン）、スカート、キュロットスカート等（以下、「ボトムス（bottoms）」という）のウエスト伸縮自在ボトムスに関するもので、特に、ウエストが伸びたときでもポケットの美観を損なうことのない小ポケットを有するＬポケット付きボトムスに関するものである。
【背景技術】
【０００２】
一般に、パンツ（ズボン）等のボトムスの既製品のウエストサイズは、例えば、紳士用であれば、７９ｃｍ、８２ｃｍ、８５ｃｍ等の３ｃｍ間隔、婦人用であれば、６９ｃｍ、７２ｃｍ、７５ｃｍ等の３ｃｍ間隔とした所定の間隔に設定されており、購入者は自己のウエストサイズに近いものを選択して購入している。ところが、既製品のウエストサイズに対し、自己のウエストサイズが合わない際には、購入した衣服のウエストサイズを縫製等により自己のウエストサイズに修正したり、ベルト等を使用して矯正したりして着用している。しかし、このような修正作業には手間及び費用を要し、また、ベルト等によって矯正する場合でも、その購入に余分な費用がかかる。そのうえ、ベルト等で矯正する場合、パンツ等のウエストベルト部に皺が生じることがあり見栄えに好ましくなく、着用した際の快適性も劣ることなる。
【０００３】
また、このような既製品のウエストサイズが固定化されたボトムスでは、たとえ、購入時に、或いは、修正により自己のウエストサイズとボトムスのウエストサイズが合致していても、例えば、起立時と着座時とを比べると、着座時の方が自己のウエストサイズが大きくなることから、そのウエストサイズの変化に対応できない。飲食前後におけるウエストサイズの変化もそれに該当する。このため、ウエストサイズが固定化されたボトムスでは、着用者のウエストの動きに追従するフィット性が得られず、快適性に劣る。
【０００４】
そこで、これを解決したものとして、例えば、本発明者の特許発明に係る特許文献１乃至特許文献３に記載された技術が公知である。これらの技術は、ズボン等のポケットまたはタック部分でウエストベルト部の一部を重複させる機構とし、即ち、前方または後方のうちの一方のウエストベルト部（延出部）を前方または後方のうちの他方のウエストベルト部（収容部）の内側（裏側）に重ねて配置し、そして、それらの内側で弾性材により連結する。これにより、ズボン等のウエストベルト部が着用者のウエストの動きに合わせて伸縮自在となるものである。
【先行技術文献】
【特許文献】
【０００５】
【特許文献１】特許第３７８９６６３号公報
【特許文献２】特許第３９６４５９５号公報
【特許文献３】特許第４４９９２６７号公報
【発明の概要】
【発明が解決しようとする課題】
【０００６】
これら特許文献１乃至特許文献３のウエスト伸縮自在ボトムスによれば、脇線近傍の脇ポケット部にタックを設けることによって、ウエストベルト部の伸びに伴い脇ポケット部の袋布に掛かる引張り力をタックの襞の展開によって逃がし、ウエストベルト部のスムースな伸びを確保することができる。そして、こうしたウエスト伸縮自在ボトムスにおける脇ポケット部として、特許文献３に開示のボトムスでは、通常の大きさのポケットに加え、それよりも大きさの小さい小ポケットをその直線のポケット口が脇線に沿うように設けられている。このような通常の大きさのポケットに加えて小ポケットを設けた脇ポケット部では、小ポケットの袋布にタックを設けることで、通常の大きさのポケットの見た目の変化を少なくして見栄えを良くでき、また、小ポケットは小銭入れ、鍵入れ、切符入れ等として使用でき、通常の大きさのポケットに入れる物との区別ができることで使い勝手を良くできる。
【０００７】
ここで、脇ポケットのバリエーションとして、従来、特許文献３に開示があるように、通常の大きさのポケットとしてポケット口の外縁がＬ字形状であるＬポケット（Ｌ型ポケット）が存在する。このＬポケットは、従来、ジーンズ（Ｇパン）のカジュアルなスタイルに好まれて用いられてきたが、斜めポケットに比べ脇線側で開口が開かない見栄えを確保できることから、特に、骨盤が大きい女性でも、着用したときに斜めポケットに比べポケット口が変形し難く見栄えを良くすることができることから、最近では綿パン、スーツ用ズボン、スラックス等にも採用されている。
【０００８】
ところが、このようなＬポケットに対し、それよりも大きさの小さい小ポケットをその直線状のポケット口が脇線に沿うように設けた場合、ウエスト伸縮自在ボトムスでは、そのウエストが伸びた時に、小ポケットの袋布が変形しやすく、図１３（ａ）に示したように、小ポケットの小ポケット口（２３Ｓ）から袋布の表地２５の部分が吹き出したり、脇ポケット部（２０）及びその周辺に皺が生じたりし、特に、綿パン、スーツ用ズボン、スラックス等の場合には、その生地の材質からして皺寄りが目立つことで見栄えが大きく損なわれるという問題がある。
【０００９】
即ち、特許文献３に開示した小ポケットを設けたウエスト伸縮自在ボトムスにおいて、普通の大きさのポケットとしてポケット口の外縁がＬ字形状であるＬポケット（Ｌ型ポケット）を採用した場合、伸縮自在なウエストベルト部に対し、Ｌ字状のポケット口外縁の上端が接続しているから、ウエストベルト部が伸びると、その伸びに伴ってＬ字状のポケット口外縁の上端側も移動する。このため、図１３（ａ）に示したようにＬ字状のポケット口外縁（２６Ｌ）と脇線（ＲＳ）の交点であるポケット止まり（７５Ｌ）を中心にしてその周囲に引き攣りが生じ易くなる。
【００１０】
ここで、ポケット口の外縁をＬ字状とするＬポケットでは、そのポケットの中に入れる物が落ち難い大きさを考慮すると、そのＬ字状のポケット口外縁と脇線の交点であるポケット止まりの位置が、斜めポケットのときよりもウエストベルト部に近づく位置に設計される。このため、このようなポケット口の外縁をＬ字状とするＬポケットに対し、小ポケットを付加した際には、Ｌ字形状であるポケット口外縁のポケット止まりの高さから上で引き攣り量、引っ張り量が大きいものとなる。
【００１１】
その結果、ポケット口の外縁をＬ字状とするＬポケットに対し、それよりも大きさの小さい小ポケットをその直線状のポケット口が脇線に沿うように設けた場合には、ウエストが伸びた時に、小ポケットの袋布が変形しやすく、図１３（ａ）に示したように、小ポケットのポケット口から袋布の表地の部分が吹き出したり、小ポケット及びその周辺に皺が生じたりする。特に、図１３（ａ）に示したように小ポケットのポケット口として、一般的な手の大きさ、取り出し易さを考慮し、また、Ｌポケットのポケット口として、中に入れた物が落ち難い大きさを考慮すると、小ポケットのポケット口外縁の下端がＬポケットのポケット止まり（７５Ｌ）よりも下に位置する設計となるが、そのような場合には、小ポケットのポケット口の膨らみ等の変化が前身頃によって抑制されるから、小ポケットのポケット口からの袋布の表地の部分の吹き出しや、小ポケット部及びその周辺の皺寄りが顕著となる。そして、綿パン、スーツ用ズボン、スラックス等の場合には、このような小ポケットのポケット口からの袋布の吹き出しや、小ポケット及びその周辺の皺寄りが目立つことで、ポケットの見栄えが悪くなり商品イメージを大きく低下させてしまうことになる。
【００１２】
そこで、本発明においては、ウエストが伸びたときのポケットの美観を損なうことなく小ポケットを設けたＬポケット付きボトムスの提供を課題とするものである。
【課題を解決するための手段】
【００１３】
請求項１の発明のＬポケット付きボトムスは、身頃に縫着しない端部側が延出自在な延出部と、前記延出部の前記身頃に縫着しない前記端部側を収容した収容部と、前記収容部の内部で前記収容部と前記延出部の間を弾性材によって弾性的に接続した接続部とによって、ウエスト方向に延びる帯状をなした伸縮自在なウエストベルト部を構成し、Ｌ字状のポケット口外縁の上端が前記延出部に接続したＬポケット部を前記身頃の前身頃側であって片側の脇線または両脇の脇線に沿って取付け、また、前記Ｌポケット部よりも容量が小さく、ポケット口外縁の上端が前記Ｌポケット部のＬ字状のポケット口外縁よりも脇線寄りで前記延出部に接続した小ポケット部を前記前身頃側であって片側または両脇の脇線に沿って前記Ｌポケット部と重複して取付けたものである。そして、前記小ポケット部において、それを構成する袋布の向こう布側に上端から下方に向かって延びる襞状のタック部が形成され、前記タック部の襞がその上方を除いた一部で縫合されているものである。
【００１４】
ここで、上記ウエストベルト部は、着用時に人体のウエスト周りに配設する部位であり、身頃の上部に縫合わされボトムスの履き口となる上部において、ウエスト周囲に亘って延びる帯状に形成されたものである。
【００１５】
上記延出部は、前記ウエストベルト部のウエスト方向の長さの一部でその表裏を形成する帯状をなし、その長さ方向の端部側が身頃に縫着されずに収容部に挿入されて収容され、かつ、収容部から延出自在とされるものである。
【００１６】
上記収容部は、前記延出部を除く残りの前記ウエストベルト部のウエスト方向の長さの一部でその表裏を形成する帯状をなし、その長さ方向の端部（一端部または両端部）側に前記延出部の身頃に縫着されない端部側が挿入されて収められたものである。
【００１７】
上記延出部と収容部の関係は、見栄え、美観からして、ボトムスの脇線の上方付近で、延出部の延出自在な端部が前記ウエストベルト部の表裏の外面側（表裏面側）から隠れるように収容部内に入れられ、即ち、収容部に対し延出部の端部側が収容されて、収容部と延出部が重複する。そして、通常はポケットが前身頃側に配設されることから、ボトムスの前身頃側の上部に延出部が配設され、後身頃側の上部に収容部が配設され、延出部と収容部は脇線またはその近傍の上方で重ね合わせられる。つまり、収容部の延出部を収容している開口端は、脇線の上またはその近傍に位置している。
このような延出部及び収容部によって、ウエストベルト部の表側及び裏側を形成する構成は、例えば、延出部や収容部の表側と裏側は、１枚布をウエストベルト部の上端部で折り曲げる構成としてもよいし、ウエストベルト部の上端部で表裏の生地を接ぐ構成としてもよい。
【００１８】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００１９】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００２０】
上記Ｌポケット部は、後身頃及び前身頃からなる身頃のうちの前身頃側であってボトムスの左または右の片方の脇線若しくは左右両方の脇線に沿って設けられたものであり、ボトムスの表側のポケット口の外縁が略Ｌ字型形状を有し、そのＬ字状のポケット口外縁の前中心寄りの上端（始端）が前記延出部に接続し、Ｌ字状の反対側の脇線寄りの終端がボトムスの脇線に接続しているものである。このポケット口の外縁が略Ｌ字型形状は、例えば、その外縁が角張ったＬ字形状であってもよいし、緩やかにカーブしたＬ字形状であってもよい。また、ポケット口の外縁が縦方向に短く横方向に長いＬ字形状のポケットであってもよいし、ポケット口の外縁が縦方向に長く横方向に短いＬ字形状のポケットであってもよい。特に、ポケット口の開き、変形が少ないことから、ポケット口の外縁が縦方向に短く横方向に長いＬ字形状のポケット部が好ましい。そして、そのようなポケット口の外縁が縦方向に短く横方向に長いＬ字形状のポケット部においては、そのポケット口の縦方向の開口縦幅が、ポケットの中に入れた物の落ち難さを考慮すると、通常、５ｃｍ〜１１ｃｍ、好ましくは、６ｃｍ〜１０ｃｍに設定される。なお、上記Ｌ字状とは、Ｌ字及びそれを左右反転させた形状（線対称形状）を含む概念である。また、上記脇線に沿って取付けとは、Ｌポケット部を形成する袋布の端部が身頃の前側及び後側の境界部分で身頃の前側及び後側と共に縫合されて、身頃の前側及び後側の接ぎ目部分に縫付けられていることを意味する。
【００２１】
上記小ポケット部は、前記Ｌポケット部と同様、後身頃及び前身頃からなる身頃のうちの前身頃側であってボトムスの左または右の片方の脇線若しくは左右両方の脇線に沿って設けられたものであり、前記Ｌポケット部よりも容量が小さく前記Ｌポケット部に重ね合わせて重複して取付られたものである。即ち、ボトムスの裏側からみたときに、Ｌポケット部を構成する袋布の手前（前方）側に小ポケット部を構成する袋布が配設しており、小ポケット部を形成する袋布は、Ｌポケット部を形成する袋布よりもその容量が小さいものである。
【００２２】
この上記小ポケット部は、そのポケット口外縁の上端がＬポケット部のＬ字状のポケット口外縁の上端よりも脇線寄りで、即ち、延出部が収容される収容部の開口端に近づいて前記延出部に接続し、ポケット口外縁の反対側の終端はボトムスの脇線側に接続しているものである。上記小ポケット部は、ボトムスの表側のポケット口の外縁が、ウエストベルト部のウエスト方向に対し垂直方向に略真っ直ぐな略直線状のものであってもよいし、前中心側から脇線側に向かって傾く斜めの直線状のものであってもよいし、Ｌ字型形状のものであってもよいし、その変形で外縁が略Ｓ字型形状のものであってもよい。特に、ポケット口の外縁が脇線に沿う略直線形状であると、視覚的にポケット口外縁が脇線に重複することで目立たないものとすることができる。なお、上記小ポケット部のポケット口外縁の上端がＬポケット部のＬ字状のポケット口外縁の上端よりも脇線寄りとは、小ポケット部のポケット口外縁の上端が前記Ｌ字状のポケット口外縁の上端よりも脇線に近いことを意味する。
【００２３】
そして、上記小ポケット部は、一般的な手の大きさ、取り出し易さを考慮すると、ポケット口の縦方向の開口（縦幅）が、７ｃｍ〜１３ｃｍ、好ましくは、８ｃｍ〜１２ｃｍに設定される。特に、前記Ｌポケット部のＬ字状のポケット口の縦方向の開口縦幅が、５ｃｍ〜１１ｃｍ、好ましくは、６ｃｍ〜１０ｃｍを考慮すると、小ポケット部のポケット止まり、即ち、小ポケット口外縁の終端（下端）は、前記Ｌポケット部のポケット止まり、即ち、脇線と交わるＬポケット口外縁の終端の位置より下方に位置することになる。このような小ポケット部とＬポケット部の位置関係では、ボトムスの表側から見て、小ポケット部の小ポケット口外縁の下方が、前身頃及びＬポケット部によって隠れることになる。
なお、上記Ｌポケット部及び小ポケット部は、左右のどちらかの脇または左右の両脇に設けられるが、両脇のポケットが左右対称であってもよいし、左右対称でなくともよく、右脇のポケットと左脇のポケットとの種類、形態が異なっていてもよい。
【００２４】
更に、上記小ポケット部は、それを形成している袋布の向こう布側において、その上端から下方に向かって延びる襞状のタック部を有するものである。
ここで、上記タック部とは、小ポケット部を構成する袋布の向こう布に形成した所定の折り目に沿って折り返す、即ち、折畳むことで襞状に形成されたものであり、ウエストベルト部の伸びに伴い、前身頃側の上部に設けた延出部の移動と共に、ポケットの袋布に掛かる引張り力を襞の展開によって逃がすものである。そして、上記タック部では、その上方を除いて一部の襞が縫合されており、その縫合部分では襞の展開が制限されるものである。なお、上記タック部の上方を除く一部で襞が縫合とは、タック部の上方除いて一部の襞が縫合されていることを意味するが、タックの襞を縫合する位置は、必ずしもタック部の下端までタックの襞が縫合されていることまでを要求するものではない。即ち、タック部の襞の縫合は、ウエストベルト部が伸びたときに袋布の上方で所定の展開量を確保する点から、少なくともタック部の上方を除く必要があるが、タック部の下端側まで縫合されている必要はなく、タック部の上方に加え、タック部の下端側が除かれていてもよい。なお、タック部の上方を除いては、正確にタックの長さの中間位置から上の範囲でタックの襞が縫合されないことを意味するものではなく、タックの上端から下に所定範囲ではタックの襞が縫合されないことを意味する。
【００２５】
なお、上記小ポケット部の向こう布とは、ボトムスの外側（表側）において袋布の生地（裏布）が見えないように袋布に貼付けられる身頃等の共地向こう布、表地を意味するものではなく、袋状の袋布のうちボトムスの裏面側（身体側）に配設する側を向こう布とし、ボトムスの表面側に近い方に配設する手前布と区別するものである。身頃と共地であってもよいし、身頃とは異なる生地、例えば、スレーキ生地等の裏地を使用することも可能である。
【００２６】
請求項２の発明のＬポケット付きボトムスは、身頃に縫着しない端部側が延出自在な延出部と、前記延出部の前記身頃に縫着しない前記端部側を収容した収容部とによって、ウエスト方向に延びる帯状のウエストベルト部の表側を形成し、また、前記収容部の内部で前記収容部と前記延出部の間を弾性材によって弾性的に接続し、更に、前記弾性材とは別の他の弾性材を設けた腰裏ベルト部によって、前記ウエスト方向に一体に連続して前記ウエストベルト部の裏側を形成したものである。また、Ｌ字状のポケット口外縁の上端が前記延出部に接続したＬポケット部を前記身頃の前身頃側であって片側の脇または両脇の脇線に沿って取付け、更に、前記Ｌポケット部よりも容量が小さく、ポケット口外縁の上端が前記Ｌポケット部のＬ字状のポケット口外縁よりも脇線寄りで前記延出部に接続した小ポケット部を前記身頃の前身頃側であって片側の脇または両脇の脇線に沿って前記Ｌポケット部と重複して取付けたものである。そして、前記小ポケット部において、それを構成する袋布の向こう布側に上端から下方に向かって延びる襞状のタック部が形成され、前記タック部の襞がその上方を除いた一部で縫合されているものである。
【００２７】
ここで、上記ウエストベルト部は、着用時に人体のウエスト周りに配設する部位であり、身頃の上部に縫合わされてボトムスの履き口となる上部において、ウエスト周囲に亘って延びる帯状に形成されたものである。
【００２８】
上記延出部は、前記ウエストベルト部のウエスト方向の長さの一部でその表側を形成する帯状をなし、その長さ方向の端部側が身頃に縫着されずに収容部に挿入されて収容され、かつ、収容部から延出自在とされるものである。
【００２９】
上記収容部は、前記延出部を除く残りの前記ウエストベルト部のウエスト方向の長さの一部でその表側を形成する帯状をなし、その長さ方向の端部（一端部または両端部）側に前記延出部の身頃に縫着されない端部側が重ねられ収められたものである。
【００３０】
上記延出部と収容部の関係は、見栄え、美観からして、ボトムスの脇線の上方付近で、延出部の延出自在な端部が前記ウエストベルト部の表面側から隠れるように収容部に収められ、即ち、収容部に対し延出部の端部側が収容されて収容部と延出部が重複する。そして、通常はポケットが前身頃側に配設されることから、ボトムスの前身頃側の上部に延出部が配設され、後身頃側の上部に収容部が配設され、延出部と収容部は脇線またはその近傍の上方で重ね合わせられる。つまり、収容部の延出部を収容している開口端は、脇線の上またはその近傍に位置している。
【００３１】
上記接続部は、前記収容部に対し前記延出部の前記身頃に縫着しない端部側を重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００３２】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００３３】
また、上記腰裏ベルト部は、前記ウエスト方向に一体に連続して前記ウエストベルト部の裏側を形成し、前記弾性材とは別の他の弾性材によって伸縮自在なものであり、全体を前記弾性材とは別の他の弾性材で構成することで伸縮自在な構成としてもよいし、腰裏ベルト部の一部に前記弾性材とは別の他の弾性材を配設する構成であってもよい。即ち、前記ウエストベルト部の裏側の全周を他の弾性材、例えば、ゴムやパワーネット等で形成してもよいし、前記ウエストベルト部のウエスト周方向の一部を１または２以上のゴム等の弾性材で形成するものであってもよい。例えば、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものであってもよい。
【００３４】
上記Ｌポケット部は、後身頃及び前身頃からなる身頃のうちの前身頃側であってボトムスの左または右の片方の脇線若しくは左右両方の脇線に沿って設けられたものであり、ボトムスの表側のポケット口の外縁が略Ｌ字型形状を有し、そのＬ字状のポケット口外縁の前中心寄りの上端（始端）が前記延出部に接続し、Ｌ字状の反対側の脇線寄りの終端がボトムスの脇線に接続しているものである。このポケット口の外縁が略Ｌ字型形状は、例えば、その外縁が角張ったＬ字形状であってもよいし、緩やかにカーブしたＬ字形状であってもよい。また、ポケット口の外縁が縦方向に短く横方向に長いＬ字形状のポケットであってもよいし、ポケット口の外縁が縦方向に長く横方向に短いＬ字形状のポケットであってもよい。特に、ポケット口の開き、変形が少ないことから、ポケット口の外縁が縦方向に短く横方向に長いＬ字形状のポケット部が好ましい。そして、そのようなポケット口の外縁が縦方向に短く横方向に長いＬ字形状のポケット部においては、そのポケット口の縦方向の開口縦幅が、ポケットの中に入れた物の落ち難さを考慮すると、通常、５ｃｍ〜１１ｃｍ、好ましくは、６ｃｍ〜１０ｃｍに設定される。なお、上記Ｌ字状とは、Ｌ字及びそれを左右反転させた形状（線対称形状）を含む概念である。また、上記脇線に沿って取付けとは、Ｌポケット部を形成する袋布の端部が身頃の前側及び後側の境界部分で身頃の前側及び後側と共に縫合されて、身頃の前側及び後側の接ぎ目部分に縫付けられていることを意味する。
【００３５】
上記小ポケット部は、前記Ｌポケット部と同様、後身頃及び前身頃からなる身頃のうちの前身頃側であってボトムスの左または右の片方の脇線若しくは左右両方の脇線に沿って設けられたものであり、前記Ｌポケット部よりも容量が小さく前記Ｌポケット部に重ね合わせて重複して取付られたものである。即ち、ボトムスの裏側からみたときに、Ｌポケット部を構成する袋布の手前（前方）側に小ポケット部を構成する袋布が配設しており、小ポケット部を形成する袋布は、Ｌポケット部を形成する袋布よりもその容量が小さいものである。
【００３６】
この上記小ポケット部は、そのポケット口外縁の上端がＬポケット部のＬ字状のポケット口外縁の上端よりも脇線寄りで、即ち、延出部が収容される収容部の開口端に近づいて前記延出部に接続し、ポケット口外縁の反対側の終端はボトムスの脇線側に接続しているものである。上記小ポケット部は、ボトムスの表側のポケット口の外縁が、ウエストベルト部のウエスト方向に対し垂直方向に略真っ直ぐな略直線状のものであってもよいし、前中心側から脇線側に向かって傾く斜めの直線状のものであってもよいし、Ｌ字型形状のものであってもよいし、その変形で外縁が略Ｓ字型形状のものであってもよい。特に、ポケット口の外縁が脇線に沿う略直線形状であると、視覚的にポケット口外縁が脇線に重複することで目立たないものとすることができる。なお、上記小ポケット部のポケット口外縁の上端がＬポケット部のＬ字状のポケット口外縁の上端よりも脇線寄りとは、小ポケット部のポケット口外縁の上端が前記Ｌ字状のポケット口外縁の上端よりも脇線に近いことを意味する。
【００３７】
そして、上記小ポケット部は、一般的な手の大きさ、取り出し易さを考慮すると、ポケット口の縦方向の開口（縦幅）が、７ｃｍ〜１３ｃｍ、好ましくは、８ｃｍ〜１２ｃｍに設定される。特に、前記Ｌポケット部のＬ字状のポケット口の縦方向の開口縦幅が、５ｃｍ〜１１ｃｍ、好ましくは、６ｃｍ〜１０ｃｍを考慮すると、小ポケット部のポケット止まり、即ち、小ポケット口外縁の終端（下端）は、前記Ｌポケット部のポケット止まり、即ち、脇線と交わるＬポケット口外縁の終端の位置より下方に位置することになる。このような小ポケット部とＬポケット部の位置関係では、ボトムスの表側から見て、小ポケット部の小ポケット口外縁の下方が、前身頃及びＬポケット部によって隠れることになる。
なお、上記Ｌポケット部及び小ポケット部は、左右のどちらかの脇または左右の両脇に設けられるが、両脇のポケットが左右対称であってもよいし、左右対称でなくともよく、右脇のポケットと左脇のポケットとの種類、形態が異なっていてもよい。
【００３８】
更に、上記小ポケット部は、それを形成している袋布の向こう布側において、その上端から下方に向かって延びる襞状のタック部を有するものである。
ここで、上記タック部とは、小ポケット部を構成する袋布の向こう布に形成した所定の折り目に沿って折り返す、即ち、折畳むことで襞状に形成されたものであり、ウエストベルト部の伸びに伴いポケットの袋布に掛かる引張り力を襞の展開によって逃がすものである。そして、上記タック部では、その上方を除いて一部の襞が縫合されており、その縫合の部分では襞の展開が制限されるものである。なお、上記タック部の上方を除く一部で襞が縫合とは、タック部の上方除いて一部の襞が縫合されていることを意味するが、タックの襞を縫合する位置は、必ずしもタック部の下端までタックの襞が縫合されていることまでを要求するものではない。即ち、タック部の襞の縫合は、ウエストベルト部が伸びたときに袋布の上方で所定の展開量を確保する点から、少なくともタック部の上方を除く必要があるが、タック部の下端側まで縫合されている必要はなく、タック部の上方に加え、タック部の下端側が除かれていてもよい。なお、タック部の上方を除いては、正確にタックの長さの中間位置から上の範囲でタックの襞が縫合されないことを意味するものではなく、タックの上端から下に所定範囲ではタックの襞が縫合されないことを意味する。
【００３９】
なお、上記小ポケット部の向こう布とは、ボトムスの外側（表側）において袋布の生地（裏布）が見えないように袋布に貼付けられる身頃等の共地向こう布、表地を意味するものではなく、袋状の袋布のうちボトムスの裏面側（身体側）に配設する側を向こう布とし、ボトムスの表面側に近い方に配設する手前布と区別するものである。身頃と共地であってもよいし、身頃とは異なる生地、例えば、スレーキ生地等の裏地を使用することも可能である。
【００４０】
請求項３の発明のＬポケット付きボトムスの前記腰裏ベルト部は、請求項２の構成において、前記収容部の裏側に縫付けた収容部側裏ベルトと前記延出部の裏側に縫付けた延出部側裏ベルトの間を前記他の弾性材によって弾性的に接続してなるものである。
即ち、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものである。
このような腰裏ベルト部は、前記ウエストベルト部の表側を形成する前記延出部及び前記収容部に対し、通常、前記ウエストベルト部の上端部で、延出部側裏ベルトが前記延出部に接がれ、また、収容部側裏ベルトが前記収容部に接がれる。そして、延出部側裏ベルトと収容部側裏ベルトの間を接続する前記弾性材とは別の弾性材は、前記延出部が入れられる前記収容部の開口端側付近で前記延出部に縫着されず前記延出部の裏側に配設される。上記延出部側裏ベルトと収容部側裏ベルトの間を接続する弾性材は、１本のゴム等の弾性材であっても良いし、２本または３本以上の弾性材を並列的に配置し、ウエストの周方向に対し略垂直な方向で各弾性材が上下方向に配置するようにしてもよい。
【００４１】
請求項４の発明のＬポケット付きボトムスは、前記小ポケット部におけるタック部の襞（折り返し部分）を縫合する始点が、前記小ポケット部のポケット口外縁の終端の高さに対応する位置から上に垂直方向で３ｃｍ以上、８ｃｍ以下の範囲内、好ましくは、４ｃｍ以上、７．５ｃｍ以下、より好ましくは、４ｃｍ以上、７ｃｍ以下の範囲内にあり、前記タック部の襞を縫合する終点は前記小ポケット部のポケット口外縁の終端の高さに対応する位置またはそれよりも下にあるものである。
【００４２】
上記小ポケット部のポケット口外縁の終端とは、ボトムスの表側におけるポケット口外縁の長さの両端のうち、延出部に接続する上端とは反対側の脇線寄りの端（下端、末端）のことであり、ポケット止まりのことである。
また、上記始点、終点とは、前記タック部の襞（折り返し部分）を縫合した縫合線の端を意味し、縫製時の縫い始め、縫い終わりの縫製方向、手順までを意味するものではない。このときのタック部の襞の縫合は、その縫合線（縫い目）が、ボトムスの裏側からみたときに、小ポケット部を構成する袋布の向こう布側の外面側にでないように襞を縫合する中縫いであってもよいし、縫合線（縫い目）が向こう布の外面側に表出することになるコバステッチであってもよい。
なお、上記の数値は、厳格なものでなく概ねであり、当然、生地の種類、縫製糸の種類、縫い目の種類等による誤差を含む概略値であり、数割の誤差を否定するものではない。
【００４３】
請求項５の発明のＬポケット付きボトムスは、前記小ポケット部を構成する袋布の向こう布側において、前記小ポケット部のポケット口外縁に対応する位置に芯材が取付けられているものである。
上記芯材としては、紙芯（パネロン、バイリーン、不繊布等）、布芯（綿、麻、シルク等）、ストレッチ素材（ニット芯等）等が使用されるが、この芯材は、例えば、アイロンプレス等で袋布に接着してもよいし、縫製によって縫付けることも可能である。また、ポケットの袋布が、スレーキ生地等の場合には、通常、ボトムスの表側でポケット口から袋布の生地が見えないように、前記小ポケット部を構成する袋布の向こう布側の前記タック部から前記脇線側で、身頃等と共生地からなる表地（共布向こう布）を取り付けるが、袋布に取り付けるこの表地の裏面に芯材をアイロンプレス等で固着して、それを袋布に縫付け等によって取付けることで、袋布に対し芯材を取付けるようにしてもよい。
そして、上記芯材は、前記小ポケット部のポケット口外縁に対応する位置に設けられるが、少なくとも前記小ポケット部のポケット口外縁の上端から前記Ｌポケット部のポケット口外縁の終端（ポケット止まり）の垂直方向の長さの範囲に対応していればよい。好ましくは、ウエストベルト部に引張り力が掛かった際の小ポケット部のポケット口外縁の移動範囲に対応する大きさのものである。
【００４４】
請求項６の発明のＬポケット付きボトムスの前記小ポケット部は、そのポケット口外縁が前記脇線に沿って延びた直線状であるものである。
なお、上記脇線に沿ってとは、必ずしも前記小ポット部のポケット口外縁が前記脇線に一致することまでを要求するものではなく、前記脇線及びその近傍で前記小ポケット部の直線状に延びたポケット口外縁が位置していることを意味する。
【００４５】
請求項７の発明のＬポケット付きボトムスの前記Ｌポケット部は、そのポケット口外縁が縦方向に短く横方向に長いＬ字状であり、前記小ポケット部のポケット口外縁の終端は、前記Ｌポケット部のＬ字状のポケット口外縁の脇線寄りの終端より下に位置しているものであり、ボトムスの表側から見て、前記小ポケット部のポケット口外縁の下方が前記前身頃及び前記Ｌポケット部を構成する袋布の手前布の後方に位置して隠れているものである。
なお、上記Ｌポケット部のＬ字状のポケット口外縁の脇線寄りの終端とは、ボトムスの表側におけるポケット口外縁の長さの両端のうち、Ｌ字状の上端とは反対側の末端を意味する。即ち、延出部に接続する上端とは反対側の端（下端、末端）のことであり、ポケット止まりのことである。
【発明の効果】
【００４６】
請求項１の発明に係るＬポケット付きボトムスによれば、ウエスト方向に延びる帯状をなすウエストベルト部の表側及び裏側が、延出部と収容部で形成されており、延出部の端部側が収容部に挿入されて収容され、その状態で延出部と収容部の間が接続部の弾性材によって弾性的に接続されているから、ウエストベルト部に対しウエスト方向に引張り力が掛かった際には、弾性材の伸びによって、収容部から延出部が延出することにより、ウエストベルト部が伸長する。また、引張り力が解放されると、弾性材の弾性力によって、伸長したウエストベルト部は元に戻る。こうして、身頃の上部に接続したウエストベルト部は、延出部と収容部の間を弾性的に接続した弾性材の弾性力によって伸縮自在である。
【００４７】
更に、請求項１の発明に係るＬポケット付きボトムスによれば、ポケット口外縁がＬ字状でその上端が延出部に接続したＬポケット部と、Ｌポケット部よりも容量が小さく、Ｌポケット部のＬ字状のポケット口外縁の上端よりも脇線寄りでポケット口外縁の上端が延出部に接続した小ポケット部とが脇線に沿って前身頃側に設けられている。
そして、小ポケット部を構成する袋布の向こう布側においては、その上端から下方に向かって延びた襞状のタック部が形成され、少なくともその上方が展開自在とされている。よって、ウエストベルト部に引張り力が掛かり収容部に対し延出部が延出するときには、小ポケット部に設けたタック部が展開することで、Ｌポケット部、小ポケット部、及び前身頃に掛かる引張り力を逃がすことができ、ウエストベルト部をスムースに伸ばすことができる。
なお、Ｌポケット部のＬ字状のポケット口外縁の上端及びそれよりも脇線寄りに位置する小ポケット部のポケット口外縁の上端は前記延出部に接続しているから、収容部に対する延出部の移動に伴い、Ｌポケット部のＬ字状のポケット口外縁の上端及び小ポケット部のポケット口外縁の上端も移動することになる。
【００４８】
このとき、小ポケット部に設けたタック部の襞はその上方を除く一部が縫合されているから、ウエストベルト部が伸びたときでも、タック部の襞の一部が縫合されていることでその開きが制限され、袋布の生地の遊び、余裕が少ない。これより、Ｌポケット部のポケット口外縁がＬ字形状であることで、そのポケット止まりから上の引き攣り量が大きくても、Ｌポケット部よりも脇線寄りに設けた小ポケット部のポケット口から袋布が吹き出したり、ポケットに皺寄りが生じたりする事態が防止され、見栄えや外観性を維持できる。
このようにして、ウエストが伸びたときのポケットの美観を損なうことなく小ポケットを設けたＬポケット付きボトムスとなる。
【００４９】
請求項２の発明に係るＬポケット付きボトムスによれば、ウエスト方向に延びる帯状をなすウエストベルト部の表側は、延出部と収容部で形成されており、延出部の端部側が収容部に収容され、その状態で延出部と収容部の間が接続部の弾性材によって弾性的に接続されている。また、ウエストベルト部の裏側は、前記弾性材とは別の他の弾性材によって伸縮自在な腰裏ベルト部で形成されている。よって、ウエストベルト部に対しウエスト方向に引張り力が掛かった際には、収容部と延出部を接続する弾性材の伸びによって収容部から延出部が延出すると共に、ウエストベルト部の裏側を構成する腰裏ベルト部の弾性材の伸びによって腰裏ベルト部が伸びることにより、ウエストベルト部が伸長する。また、引張り力が解放されると、それら弾性材の弾性力によって、伸長したウエストベルト部は元に戻る。こうして、身頃の上部に接続したウエストベルト部は、延出部と収容部の間を弾性的に接続した弾性材の弾性力と腰裏ベルト部の弾性材の弾性力によって伸縮自在である。
【００５０】
更に、請求項２の発明に係るＬポケット付きボトムスによれば、ポケット口外縁がＬ字状でその上端が延出部に接続したＬポケット部と、Ｌポケット部よりも容量が小さく、Ｌポケット部のＬ字状のポケット口外縁の上端よりも脇線寄りでポケット口外縁の上端が延出部に接続した小ポケット部とが脇線に沿って前身頃側に設けられている。
そして、小ポケット部を構成する袋布の向こう布側においては、その上端から下方に向かって延びた襞状のタック部が形成され、少なくともその上方が展開自在とされている。よって、ウエストベルト部に引張り力が掛かり収容部に対し延出部が延出するときには、小ポケット部に設けたタック部が展開することで、Ｌポケット部、小ポケット部、及び前身頃に掛かる引張り力を逃がすことができ、ウエストベルト部をスムースに伸ばすことができる。
なお、Ｌポケット部のＬ字状のポケット口外縁の上端及びそれよりも脇線寄りに位置する小ポケット部のポケット口外縁の上端は前記延出部に接続しているから、収容部に対する延出部の移動に伴い、Ｌポケット部のＬ字状のポケット口外縁の上端及び小ポケット部のポケット口外縁の上端も移動することになる。
【００５１】
このとき、小ポケット部に設けたタック部の襞はその上方を除く一部が縫合されているから、ウエストベルト部が伸びたときでも、タック部の襞の一部が縫合されていることでその開きが制限され、袋布の生地の遊び、余裕が少ない。これより、Ｌポケット部のポケット口外縁がＬ字形状であることで、そのポケット止まりから上の引き攣り量が大きくても、Ｌポケット部よりも脇線寄りに設けた小ポケット部のポケット口から袋布が吹き出したり、ポケットに皺寄りが生じたりする事態が防止され、見栄えや外観性を維持できる。
このようにして、ウエストが伸びたときのポケットの美観を損なうことなく小ポケットを設けたＬポケット付きボトムスとなる。
【００５２】
請求項３の発明に係るボトムスによれば、前記ウエストベルト部の裏側は、前記収容部の裏側に縫付けた収容部側裏ベルトと前記延出部の裏側に縫付けた延出部側裏ベルトの間を前記弾性材とは別の他の弾性材によって弾性的に接続してなる腰裏ベルト部で形成されているものである。したがって、請求項２に記載の効果に加えて、前記弾性材とは別の他の弾性材が一部のみの配設であるから、低コストで済み、また、伸縮に伴う弛みも少なくなるから見栄えも良い。
【００５３】
請求項４の発明に係るＬポケット付きボトムスによれば、前記小ポケット部のタック部の襞（折り返し部分）を縫合する始点は、前記小ポケット部のポケット口外縁の終端の高さに対応する位置から上に垂直方向の長さで３ｃｍ以上、８ｃｍ以下、好ましくは、４ｃｍ以上、７．５ｃｍ以下、より好ましくは、４ｃｍ以上、７ｃｍ以下の範囲内にあり、前記タック部の襞を縫合する終点は、前記小ポケット部のポケット口外縁の終端の高さに対応する位置またはそれよりも下にある。これより、ウエストベルト部が伸び際には、タック部の上方の襞の展開量を十分に確保しつつ、タック部の下方で襞の展開を制限できる。よって、請求項１乃至請求項３の何れか１つに記載の効果に加えて、ウエストベルト部に引張り力が掛かった際でもウエストベルト部と身頃の境界部での引き攣りを抑えて見栄えを損なうことなく、ボトムスの外側の小ポケット部のポケット口から袋布が吹き出るのを抑えることができる。
【００５４】
請求項５の発明に係るＬポケット付きボトムスによれば、前記小ポケット部を構成する袋布の向こう布側で前記小ポケット部のポケット口外縁の位置に対応して芯材が取付けられているから、ウエストベルト部が伸びたときの小ポケット部の袋布の変形、皺寄りを抑制でき、小ポケット部のポケット口から袋布が吹き出したり、ポケットに皺が生じたりするのを更に防止できる。よって、請求項１乃至請求項４の何れか１つに記載の効果に加えて、ウエストベルト部が伸びたときのポケットの見栄えを向上させることができる。
【００５５】
請求項６の発明に係るＬポケット付きボトムスによれば、前記小ポケット部は、そのポケット口外縁が前記脇線に沿って延びた直線状であるから、小ポケット部のポケット口が脇線と一体となって見られることで目立ち難い。よって、請求項１乃至請求項５の何れか１つに記載の効果に加えて、美感、外観性を向上させることができる。
【００５６】
請求項７の発明に係るＬポケット付きボトムスによれば、前記Ｌポケット部は、そのポケット口外縁が縦方向に短く横方向に長いＬ字状であり、また、前記小ポケット部のポケット口外縁の終端は、前記Ｌポケット部のＬ字状のポケット口外縁の脇線寄りの終端より下に位置していることから、着用者の動きや骨盤の大きい人でもそのＬ字状のポケット口が変形し難く、更に、小ポケット部の中に入れた物が取り出し易い大きさであり、かつ、Ｌポケット部の中に入れた物が落ち難い大きさである。よって、請求項１乃至請求項６の何れか１つに記載の効果に加えて、使い勝手が良く、また、見栄えに優れるものある。
そして、このように、前記小ポケット部のポケット口外縁の終端が、前記Ｌポケット部のＬ字状のポケット口外縁の脇線寄りの終端より下に位置することで、ボトムスの表側から見て、前記小ポケット部のポケット口外縁の下方が前記前身頃及び前記Ｌポケット部を構成する袋布の手前布の後方に位置し、ウエストベルト部が伸びたときに小ポケットのポケット口外縁の膨らみ等による変化が前身頃やＬポケット部の手前布によって抑制されることでＬポケット部のポケット止まりから上の引き攣りがより大きくなる構成であっても、小ポケット部に設けたタック部の襞の一部を縫合していることで、小ポケット部のポケット口からの袋布の表地の部分の吹き出しや、小ポケット部及びその周辺の皺寄りが抑制され、見栄えや外観性が維持される。
【図面の簡単な説明】
【００５７】
【図１】図１（ａ）は本発明の実施の形態に係る綿パンの正面図である。図１（ｂ）は本発明の実施の形態に係る綿パンのウエスト周りが伸長していない状態のウエストベルト部及び脇ポケット部の近傍を右側面から見た部分拡大図である。図１（ｃ）は本発明の実施の形態に係る綿パンのウエスト周りが伸長した状態のウエストベルト部及び脇ポケット部の近傍を右側面から見た部分拡大図である。
【図２】図２は本発明の実施の形態に係る綿パンのウエスト周りを示す斜視図である。
【図３】図３は本発明の実施の形態に係る綿パンのウエスト周りを展開して裏側から見た展開図である。
【図４】図４（ａ）は本発明の実施の形態に係る綿パンのウエストベルト部を展開して内部の構成を示す部分展開図であり、図４（ｂ）は本発明の実施の形態に係る綿パンのウエストベルト部を構成する延出部と収容部の関係を示す部分展開図であり、図４（ｃ）は本発明の実施の形態に係る綿パンのウエストベルト部及びその周囲の構造をズボンの裏側から見て示す部分展開図である。
【図５】図５（ａ）は本発明の実施の形態に係る綿パンのウエスト周りが伸長する前のウエストベルト部及び脇ポケット部の構造をズボンの裏側から見た部分拡大図であり、図５（ｂ）は本発明の実施の形態に係る綿パンのウエスト周りが伸長した状態のウエストベルト部及び脇ポケット部の構造をズボンの裏側から見た部分拡大図である。
【図６】図６（ａ）は本発明の実施の形態に係る綿パンのウエスト周りが伸長する前のウエストベルト部及び脇ポケット部の構造をズボンの表側から見た部分拡大図であり、図６（ｂ）は本発明の実施の形態に係る綿パンのウエスト周りが伸長した状態のウエストベルト部及び脇ポケット部の構造をズボンの表側から見た部分拡大図である。
【図７】図７（ａ）は本発明の実施の形態に係る綿パンのＬポケット部を形成する袋布の構成を説明するための部品展開図であり、図７（ｂ）は本発明の実施の形態に係る綿パンのＬポケット部を形成する袋布の構成を説明する説明図である。
【図８】図８（ａ）は本発明の実施の形態に係る綿パンの小ポケット部を形成する袋布の構成を説明するための部品展開図であり、図８（ｂ）は本発明の実施の形態に係る綿パンの小ポケット部を形成する袋布の作製途中の構成を示す説明図であり、図８（ｃ）は本発明の実施の形態に係る綿パンの小ポケット部を形成する袋布にタック部を形成し、タック部の襞をその一部で縫合した状態を示す説明図である。
【図９】図９（ａ）は本発明の実施の形態に係る綿パンの小ポケット部を形成する袋布に設けたタック部の襞の一部を中縫いによって縫合した状態を示す説明図であり、図９（ｂ）は本発明の実施の形態に係る綿パンの小ポケット部を形成する袋布に設けたタック部の襞の一部をコバステッチで縫合した状態を示す説明図である。
【図１０】図１０は本発明の実施の形態に係る綿パンの小ポケット部及びＬポケット部の構成とウエストベルト部の構成をズボンの裏側から見て説明する部分分解斜視図である。
【図１１】図１１は本発明の実施の形態に係る綿パンの小ポケット部及びＬポケット部の構成とウエストベルト部の構成をズボンの表側から見て説明する部分分解斜視図である。
【図１２】図１２（ａ）は本発明の実施の形態に係る綿パンの小ポケット部を構成する袋布に縫付けた表地の一部に芯材を貼ることを示す説明図であり、図１２（ｂ）は本発明の実施の形態に係る綿パンの小ポケット部を構成する袋布に縫付けた表地の片面の全体に芯材を貼ることを示す説明図である。
【図１３】図１３（ａ）は小ポケット部を有するＬポケット付きボトムスを着用した際に、小ポケット部の袋布の表地部分が小ポケット口から吹き出したり、小ポケット部及びその周囲で皺寄りが生じたりする状態を示した説明図であり、図１３（ｂ）は本発明の実施の形態に係る綿パンを着用した際の脇ポケット部及びその周囲の状態を示す説明図である。
【図１４】図１４は本発明の実施の形態の変形例に係る綿パンのウエスト周りを示す斜視図である。
【図１５】図１５は本発明の実施の形態の変形例に係る綿パンのウエスト周りを展開して裏側から見た展開図である。
【図１６】図１６は本発明の実施の形態の変形例に係る綿パンのウエストベルト部の構成を説明するための要部分解斜視図である。
【図１７】図１７（ａ）は本発明の実施の形態の変形例に係る綿パンの腰裏ベルト部の別の例を示す説明図であって、腰裏ベルト部の表面側（意匠面側）で弾性材の一部を展開した（捲った）状態で示した説明図であり、図１７（ｂ）は図１７（ａ）に示した腰裏ベルト部の裏面側（反意匠面側）で弾性材の一部を展開した（捲った）状態で示した説明図である。
【図１８】図１８は本発明の実施の形態に係る綿パンのＬポケット部のＬ字形状のポケット口外縁の別の例を示す説明図である。
【発明を実施するための形態】
【００５８】
以下、本発明の実施の形態について、図面を参照しながら説明する。
なお、本実施の形態において、同一の記号及び同一の符号は、同一または相当する部分及び機能を意味するものであるから、ここでは重複する説明を省略する。
【００５９】
まず、本発明の実施の形態に係るＬポケット付きボトムスとしての綿パン１の概略構成について、図１乃至図３を参照して説明する。
本実施の形態に係る綿パン１は、下半身を包む前身頃４Ｆ及び後身頃４Ｂと、それら前身頃４Ｆ及び後身頃４Ｂの上部に接続され着用時に人体のウエスト周りに位置するウエストベルト部１０とを有するものである。
【００６０】
また、本実施の形態に係る綿パン１は、着用時に人体のウエスト付近に位置するウエスト部Ｗにおいて、前身頃４Ｆ側であって左脇線ＬＳの近傍及び右脇線ＲＳの近傍にＬポケット部２０Ｌ及び小ポケット部２０Ｓからなる脇ポケット部２０を有している。
【００６１】
ここで、本実施の形態のウエストベルト部１０について、図１乃至図６を参照して、詳細に説明する。
本実施の形態において、ウエスト方向に延びる帯状をなすウエストベルト部１０は、そのウエスト長を収容部１２と延出部１１に分割し、後身頃４Ｂに縫合わされる収容部１２と端部を除いて前身頃４Ｆに縫合わされる延出部１１とを脇線ＬＳ，ＲＳ付近の上方で重ね合わせて重ね合わせ部１３を形成している。
即ち、脇線ＬＳ，ＲＳ近傍で、収容部１２の端部１２ｅに延出部１１の端部１１ｔ側を挿入し収容することで、特に、延出部１１の前身頃４Ｆに縫着されない端部１１ｔをウエストベルト部１０の表裏の意匠面側から隠れるように収容部１２内に入れることで、収容部１２及び延出部１１の重なりによる重ね合わせ部１３を形成し、このような収容部１２及び延出部１１によってウエストベルト部１０の表側及び裏側が形成されている。
【００６２】
そして、本実施の形態のウエストベルト部１０においては、延出部１１の端部１１ｔが収められた収容部１２の内部（内側）において、延出部１１の端部１１ｔと収容部１２の内面側とが弾性材としての平ゴム１６で構成される接続部１５によって弾性的に接続されている。
【００６３】
このように、本実施の形態では、ウエスト方向に延びる帯状のウエストベルト部１０を収容部１２及び延出部１１の別体で構成し、延出部１１の前身頃４Ｆに縫着しない端部１１ｔ側を収容部１２に挿入し、収容部１２に対し延出部１１が収容されている状態で収容部１２の内部において収容部１２及び延出部１１の間を平ゴム１６によって弾性的に接続していることで、平ゴム１６の弾性力により収容部１２から延出部１１を延出自在とする。
【００６４】
即ち、ウエストベルト部１０に引張り力が掛かった際には、図１、図５及び図６に示したように、平ゴム１６の伸長によって収容部１２から延出部１１が引き出されて延出し、ウエストベルト部１０が伸長する。そして、ウエスト周りを伸ばそうとする力が解除されると、平ゴム１６が弾性力によって元の本来の長さに戻るから、再び延出部１１が収容部１２内に収容される方向に移動し元の状態に戻る。
こうして、本実施の形態では、ウエストベルト部１０を伸縮自在な構成としている。
【００６５】
このような本実施の形態のウエストベルト部１０の伸縮自在な構造について、主に、図４乃至図６を参照して、より具体的に説明すると、本実施の形態では、収容部１２及び延出部１１は何れも前身頃４Ｆ及び後身頃４Ｂと共地（例えば、綿系の生地等）で形成され、ウエストベルト部１０の表側の生地と裏側の生地の両者をウエストベルト部１０の上端部側で接続している構成である。
【００６６】
即ち、本実施の形態では、綿パン１の外観側にあるウエストベルト部１０の表側（外側）を形成する延出部表ベルト１１Ｆの布地、及び、身体が挿入される側にあるウエストベルト部１０の裏側（内側）を形成する延出部裏ベルト１１Ｂの布地は、共に身頃４Ｆ，４Ｂと共地とし、延出部表ベルト１１Ｆ及び延出部裏ベルト１１Ｂの両者を上側で接いで延出部１１を構成している。また、ウエストベルト部１０の表側（外側）を形成する収容部表ベルト１２Ｆの布地及びウエストベルト部１０の裏側（内側）を形成する収容部裏ベルト１２Ｂの布地も共に身頃４Ｆ，４Ｂと共地とし、収容部表ベルト１２Ｆ及び収容部裏ベルト１２Ｂの両者を上側で接いで収容部１２を構成している。
【００６７】
詳しくは、ウエストベルト部１０の表側及び裏側を構成する収容部１２は、身頃４Ｆ，４Ｂと共地からなる所定幅の収容部表ベルト１２Ｆ及び収容部裏ベルト１２Ｂの布地の各上下端部が内折りされ、折り返した上端部の折り目に沿ってまたはその近傍で収容部表ベルト１２Ｆ及び収容部裏ベルト１２Ｂの両者が縫合線６２Ａにて縫合わされている。また、収容部表ベルト１２Ｆの下側は、その折り返した下端部の折り目に沿ってまたはその近傍で後身頃４Ｂの上端部に縫合線６２Ｃにて縫合わされ、収容部表ベルト１２Ｆに対応する収容部裏ベルト１２Ｂの下側もその折り返した下端部の折り目の近傍で後身頃４Ｂの上端部に縫合線６２Ｂにて縫合わされている。なお、縫合線６２Ｃと縫合線６２Ｂは、統一してもよいし、収容部裏ベルト１２Ｂの下側は、後身頃４Ｂに対しウエスト方向の数箇所の部分的な縫付けであってもよい。
【００６８】
このとき収容部表ベルト１２Ｆや収容部裏ベルト１２Ｂの布地の内面（裏面）には、接着芯等の芯材としてのソフト芯ＳＣやハード芯ＨＣがアイロンプレス等によって貼付けられる。例えば、ハード芯ＨＣは収容部表ベルト１２Ｆや収容部裏ベルト１２Ｂの布地において折り返しのない中央部分に貼付けられる。また、ソフト芯ＳＣは収容部表ベルト１２Ｆや収容部裏ベルト１２Ｂの布地の上端部や下端部の折り返し部分に貼付けられる。更に、必要に応じ、収容部１２に入れられる延出部１１の滑りを良くするために、延出部１１が挿入される収容部１２の端部１２ｅ（開口側）の内面においてソフト芯ＳＣやハード芯ＨＣの上に、伸縮性を有しない生地、例えば、ポリエステル系生地等からなる接着布、裏地等を、アイロンプレス等によって貼付けることもある。
【００６９】
即ち、本実施の形態では、収容部表ベルト１２Ｆの布地に対し、その上下端部を内折りすることで、収容部表ベルト１２Ｆがウエスト周方向で均一な幅となるようにその幅が設定され、また、収容部裏ベルト１２Ｂにおいてもその布地の上下端部を内折りすることで、収容部裏ベルト１２Ｂがウエスト周方向で均一な幅となるようにその幅が設定されている。なお、このとき、収容部表ベルト１２Ｆや収容部裏ベルト１２Ｂの中央側に所定形状に切り出されたハード芯ＨＣを貼付けている場合には、通常、そのハード芯ＨＣの形状に沿って収容部表ベルト１２Ｆの布地の上下端部が内折りされる。そして、収容部表ベルト１２Ｆ及び収容部裏ベルト１２Ｂの両者はそれらの上方で縫合線６２Ａにて接がれ、また、下方で縫合線６２Ｂ及び縫合線６２Ｃにて後身頃４Ｂと縫合され、それら収容部表ベルト１２Ｆ及び収容部裏ベルト１２Ｂによって、帯状をなす収容部１２を形成している。
【００７０】
また、ウエストベルト部１０を構成する延出部１１についても、身頃４Ｆ，４Ｂと共地からなる所定幅の延出部表ベルト１１Ｆ及び延出部裏ベルト１１Ｂの布地の各上下端部が内折りされ、折り返した上端部の折り目に沿ってまたはその近傍で延出部表ベルト１１Ｆ及び延出部裏ベルト１１Ｂの両者が縫合線６１Ａにて縫合わされている。更に、延出部表ベルト１１Ｆの下側は、収容部１２に挿入される先端部１１ｔを除いて、前身頃４Ｆ及び後述するポケットの袋布２１Ｌ，２１Ｓの一部に縫合線６１Ｃにて縫合わされ、それに対応する延出部裏ベルト１１Ｂの下側も、収容部１２に挿入される先端部１１ｔ側の一部を除いて前身頃４Ｆ及び後述するポケットの袋布２１Ｌ，２１Ｓの一部に縫合線６１Ｂにて縫合わされている。なお、縫合線６１Ｃと縫合線６１Ｂは、統一してもよいし、延出部裏ベルト１１Ｂの下側は、前身頃４Ｆに対しウエスト方向の数箇所の部分的な縫付けであってもよい。
一方で、収容部１２内に挿入される延出部１１の先端部１１ｔは、前身頃４Ｆやポケットの袋布２１Ｌ，２１Ｓの上端部と縫合わされず自由な状態になっている。これより、図５及び図６に示すように、収容部１２に入れられた延出部１１の先端部１１ｔは、収容部１２から延出自在、つまり、ウエスト方向に相対移動自在とされる。
【００７１】
そして、収容部１２と同様、延出部１１についても、延出部表ベルト１１Ｆや延出部裏ベルト１１Ｂの布地の内面（裏面）には、接着芯等の芯材としてのソフト芯ＳＣやハード芯ＨＣがアイロンプレス等で貼付けられる。例えば、ハード芯ＨＣは延出部表ベルト１１Ｆや延出部裏ベルト１１Ｂの布地において折り返しのない中央部分に貼付けられる。また、ソフト芯ＳＣは延出部表ベルト１１Ｆや延出部裏ベルト１１Ｂの布地の上端部や下端部の折り返し部分に貼付けられる。
【００７２】
ここで、図４（ｂ）で示すように、延出部表ベルト１１Ｆ及び延出部裏ベルト１１Ｂからなる本実施の形態の延出部１１は、収容部１２に対して摺動し易いように、前身頃４Ｆに縫着されない先端部１１ｔにおいて、その先端側に向かって徐々に幅を細くしている。詳細には、本実施の形態の延出部１１の収容部１２に挿入される先端部１１ｔでは、その上端が直線状のラインであるのに対し、その下端が先端に向かって上昇する傾斜ラインである。一方、延出部１１の収容部１２に挿入される先端部１１ｔを除いては、収容部１２と同様に延出部１１の延出部表ベルト１１Ｆ及び延出部裏ベルト１１Ｂがウエスト周方向で均一な幅となるようにその幅が設定されている。
【００７３】
即ち、本実施の形態では、延出部表ベルト１１Ｆの布地に対し、その上下端部を内折りし、また、延出部裏ベルト１１Ｂの布地に対し、その上下端部を内折りして、収容部１２に挿入される先端部１１ｔを除いては、延出部表ベルト１１Ｆ及び延出部裏ベルト１１Ｂがウエスト方向に均一な幅となるようにそれらの幅が設定され、そして、収容部１２に挿入される先端部１１ｔでは、その端に向かって徐々に幅が細くなるように延出部表ベルト１１Ｆ及び延出部裏ベルト１１Ｂの幅が設定されている。なお、このとき、延出部表ベルト１１Ｆ及び延出部裏ベルト１１Ｂの中央側に所定形状に切り出されたハード芯ＨＣを貼付けている場合には、通常、そのハード芯ＨＣの形状に沿って延出部表ベルト１１Ｆ及び延出部裏ベルト１１Ｂの布地の上下端部が内折りされる。これら延出部表ベルト１１Ｆ及び延出部裏ベルト１１Ｂは、両者がそれらの上方で縫合線６１Ａにて接がれ、また、下方で前身頃４Ｆと縫合線６１Ｂ及び縫合線６１Ｃにて縫合され、それら延出部表ベルト１１Ｆ及び延出部裏ベルト１１Ｂによって、帯状をなす延出部１１を形成している。
【００７４】
なお、本実施の形態のウエストベルト部１０の表側及び裏側を構成するこれら収容部１２と延出部１１は、延出部１１の前身頃４Ｆに縫着されていない先端部１１ｔが収容部１２内に挿入されて収容され、収容部１２及び延出部１１が重なる重ね合わせ部１３を形成している。
【００７５】
そして、本実施の形態のウエストベルト部１０では、このようにして形成された収容部１２と延出部１１は、収容部１２の内部（内面側）において、それらの間が所定長さの平ゴム１６からなる接続部１５によって接続されている。
平ゴム１６としては、織ゴム、編ゴム、コールゴム、ゴムテープ等が使用される。十分な弾性を有するものであれば、他にもゴム製板、ストレッチテープ（ゴム入り布）、パワーネット生地、サテンネット生地、ストレッチサテン生地、ストレッチレース生地等の様々な弾性を有する素材を用いることも可能である。
これより、ウエストベルト部１０に引張り力が掛かった際には、平ゴム１６の弾性力によって、収容部１２に挿入された延出部１１をウエスト方向に延出自在、即ち、相対移動自在とする。つまり、収容部１２と延出部１１の間を接続した平ゴム１６の弾性力により、ウエストベルト部１０を伸縮自在とする。
【００７６】
更に、本実施の形態では、この平ゴム１６に対し、平ゴム１６の厚さよりも薄い非伸縮性の生地、例えば、リボンテープ等からなる帯状の伸び止め材１７を縫着しており、この伸び止め材１７によって平ゴム１６の最大の伸び長さを規定している。即ち、平ゴム１６の最大伸びに相当する長さだけ弛ませて伸び止め材１７が平ゴム１６に並設して縫着されている。
伸び止め材１７としては、平ゴム１６の伸びを規定する役割からすれば、伸縮性に乏しく、適度な強度を有する生地が好適であり、更に、平ゴム１６よりも厚みが薄いと嵩を抑制できる点で好ましく、例えば、スレーキ生地や、リボンテープや、ポリエステル系、ナイロン系、レーヨン系、綿等からなる生地等が使用できる。
【００７７】
本実施の形態において、この伸び止め材１７は、その長手方向の一端部側が、収容部１２内に挿入される延出部１１の先端部１１ｔ側に平ゴム１６を縫付けるときの縫付線５１にて、延出部１１と共に平ゴム１６の一端部側に縫付けられている。また、伸び止め材１７の延出部１１側とは反対側の他端部側は、平ゴム１６を収容部表ベルト１２Ｆに縫付けるときの縫付線５２にて、収容部表ベルト１２Ｆと共に平ゴム１６の他端部側に縫付けられている。このように本実施の形態において、帯状の伸び止め材１７は、平ゴム１６に対しその両端部側に縫付線５１，５２にて縫付けられている。
【００７８】
このとき、伸び止め材１７は、平ゴム１６の伸びを許容する分だけ、即ち、平ゴム１６の伸びる許容範囲の長さ（例えば、１．５ｃｍ〜５ｃｍ）だけ弛ませ、平ゴム１６の両端部側に縫付線５１，５２にて縫付けている。なお、平ゴム１６の最大伸びに相当する長さだけ弛ませて平ゴム１６に縫付けている伸び止め材１７は縫付線５１及び縫付線５２間の弛みを折畳む折り目の形成により、嵩張りを少なくできる。
【００７９】
こうして、本実施の形態においては、平ゴム１６に並設して取付けた伸び止め材１７によって、平ゴム１６の伸びの限界が規定されており、平ゴム１６に引張り力が掛かっても、この伸び止め材１７が縫付線５１及び縫付線５２間で弛ませている（折畳まれている）長さまでしか平ゴム１６が伸びることのないようにし、平ゴム１６の過度の伸びを防止している。即ち、伸び止め材１７によって平ゴム１６に無理な引張り力が掛かるのを防止するから、平ゴム１６を長持ちさせることができる。更に、このように平ゴム１６にその最大伸びを特定する伸び止め材１７を並設していることで、収容部１２及び延出部１１の重ね合わせ部１３に過度な張力が加えられないようにその伸び長さを制限できることから、重ね合わせ部１３の見栄えを維持することもできる。加えて、ウエストベルト部１０が伸縮する布地で形成されていても、特定の伸縮性に設定できる。
【００８０】
なお、図４において、伸び止め材１７は、平ゴム１６の表裏面のうち収容部表ベルト１２Ｆ側とは反対面側、即ち、収容部裏ベルト１２Ｂ側に取付けられているが、本発明を実施する場合には、収容部表ベルト１２Ｆ側に取付けてもよい。
また、本実施の形態では、伸び止め材１７の両端部を平ゴム１６の両端部に縫付ける構成としているが、本発明を実施する場合には、伸び止め材１７を長くし、その長くした伸び止め材１７を平ゴム１６の最大伸びに相当する長さだけ弛ませて平ゴム１６の長さ方向の両端側に縫付け、更に、平ゴム１６の一端または両端よりも突出させて延出部１１や収容部１２の内部に縫付けるようにしてもよい。この場合には、平ゴム１６を収容部表ベルト１２Ｆや延出部１１に直接縫付けず、伸び止め材１７を収容部表ベルト１２Ｆや延出部１１に縫付けることで、平ゴム１６が収容部表ベルト１２Ｆや延出部１１に対し伸び止め材１７を介して接続する構成となる。このような構成によって、収容部１２及び延出部１１の間を平ゴム１６によって弾性的に接続する接続部１５を形成してもよい。
【００８１】
例えば、伸び止め材１７の端部の一方を平ゴム１６の一方の端部に縫付け、また、伸び止め材１７の途中に平ゴム１６の端部の他方を縫付け、そして、伸び止め材１７の端部の他方を、収容部表ベルト布１２Ｆの内面に縫付ける構成では、伸び止め材１７の端部の他方を、収容部表ベルト布１２Ｆの内面に縫付けるときの縫付線を収容部１２の開口端１２ｅ側からより離れた遠い位置に持ってくることができる。このため、収容部表ベルト布１２Ｆの内面に縫付けるときの縫付線をベルト通し５Ａ（図２参照）で隠す場合には、隣り合ったベルト通し５，５Ａ（図２参照）の間隔を長くすることができるようになり、ベルト通しの配置数を少なくすることが可能となる。
【００８２】
即ち、本実施の形態の綿パン１において、延出部１１の先端部１１ｔ側に平ゴム１６を縫付けたときの縫付線５１は、延出部１１の先端が収容部１２内に収容されるため、綿パン１の表側及び裏側の意匠面側からは見えない。
しかしながら、平ゴム１６を収容部表ベルト１２Ｆに縫付けたときの縫付線５２は収容部表ベルト１２Ｆの表裏面を貫通し綿パン１の表側に出ることになる。
【００８３】
そこで、本発明を実施する場合には、美観を向上させるために、ウエストベルト部１０の表側で縫付線５２をベルト通し５Ａ（図２参照）で隠すようにすることも可能である。また、このようなベルト通し５（図１及び２参照）は、例えば、ウエストベルト部１０の表側で、延出部１１が延出される収容部１２の開口端１２ｅを覆い隠すように収容部１２の表側の開口端１２ｅにも取付けると、ウエストベルト部１０の見栄えや美感を向上させることができる。勿論、綿パン１のウエストベルト部１０の正面側及び背面側にも、同様のベルト通し５（図１及び２参照）が適当な間隔をとって取付けられる。
【００８４】
また、本実施の形態では、平ゴム１６の延出部１１側とは反対側の他端部を収容部１２の収容部表ベルト１２Ｆの内面（裏面）側に縫付けている。このように、平ゴム１６を収容部表ベルト１２Ｆの内面（裏面）側に縫付ける場合には、平ゴム１６の面方向と並行方向への縫付けであるから、縫製に不慣れな熟練者にもその縫付けが分かりやすく、熟練の有無に関わらず、正確な縫製が容易にでき作業効率も良好となる。
【００８５】
しかし、本発明を実施する場合には、平ゴム１６の延出部１１側とは反対側の他端部を、収容部１２の収容部裏ベルト１２Ｂの内面（裏面）側に縫付けてもよい。
特に、平ゴム１６を収容部裏ベルト１２Ｂの内面側に縫付けると、平ゴム１６を収容部１２に縫付けるときの縫付線は、ウエストベルト部１０の表側から見えなくなるから、ベルト通しを設けないボトムスであっても、見栄え、美感を維持できる。このときの伸び止め材１７も、平ゴム１６の表裏面のうち収容部裏ベルト１２Ｂ側に取付けてもよいし、収容部裏ベルト１２Ｂ側とは反対面側の収容部表ベルト１２Ｆ側に取付けることも可能である。
【００８６】
更に、本実施の形態の綿パン１においては、収容部１２及び延出部１１の間を接続する平ゴム１６とは別に補助弾性材として幅の細い所定長さの平ゴム２８を後述する小ポケット部２０Ｓの小袋布２１Ｓとウエストベルト部１０との間に縫着している。詳細には、平ゴム２８の一端部を、後述する小ポケット部２０Ｓを構成する小袋布２１Ｓの向こう布２１ＳＢの後側布地２１ＢＢの上端部であってタック部２２を形成する第２の折り目２２２の近傍に縫付け、また、反対側の他端部を、後述するＬポケット部２０Ｌを構成する大袋布２１Ｌの向こう布２１ＬＢの上端部であって、小袋布２１Ｓと重複していない部分で延出部表ベルト１１Ｆの内折りした下部及び前身頃４Ｆの上端部と共に縫付けられている。なお、この平ゴム２８を縫付けるときの縫付線は綿パン１の表側（外側）からは見えないようになっている。
【００８７】
このときの平ゴム２８としては、例えば、織ゴム、編ゴム、コールゴム、ゴムテープ等が使用されるが、本発明を実施する場合、十分な弾性を有するものであれば、ゴム製板、ストレッチテープ（ゴム入り布）、パワーネット生地、サテンネット生地、ストレッチサテン生地、ストレッチレース生地等の様々な弾性を有する素材を用いることも可能である。
【００８８】
このように、本実施の形態の綿パン１においては、平ゴム２８の一端部を、小ポケット部２０Ｓを構成する小袋布２１Ｓの向こう布２１ＳＢの後側布地２１ＢＢの上端部に対して縫付け、反対側の他端部を、Ｌポケット部２０Ｌを構成する大袋布２１Ｌの向こう布２１ＬＢの上端部であって小袋布２１Ｓと重複していない部分に対して、前身頃４Ｆの上端部及び延出部表ベルト１１Ｆの下側の折り返し部分と共に縫付け、この平ゴム２８によって小ポケット部２０Ｓを構成する小袋布２１Ｓのタック部２２近傍と延出部表ベルト１１Ｆ側とを弾性的に接続することで、延出部１１の先端部１１ｔ側が収容部１２から繰り返し出たり入ったりする場合でも、平ゴム２８の弾性力によりタック部２２の形状を維持し、小袋布２１Ｓの形状が崩れたり、ウエストベルト部１０と身頃４Ｆ，４Ｂの境界付近で小袋布２１Ｓや身頃４Ｆ，４Ｂに皺が寄り見栄えが悪くなったりするのを防いでいる。
【００８９】
特に、平ゴム２８の長さ方向の両端部のうち延出部表ベルト１１Ｆの折り返した下部及び前身頃４Ｆの上端部へ縫付け位置を、反対側のタック部２２近傍への縫付け位置よりも若干高くし、平ゴム２８の両端の縫付け高さに高低を付していると、タック部２２から前中心ＦＣ寄りの後側布地２１ＢＢに皺が入り難いものとのなる。
なお、このような補助弾性材としての平ゴム２８の縫付けは、例えば、長さ方向の一端を、後側布地２１ＢＢの上端部に縫付ける一方で、反対側の他端部を延出部表ベルト１１Ｆの上側の折り返し部分に縫付けることも可能である。このような縫付位置でも、小袋布２１の形状を維持し、皺寄りの発生を防止して綿パン１の見栄えを良好に維持できる。
【００９０】
次に、ウエストベルト部１０の周辺の構造について詳細を説明する。
上述したように、本実施の形態のウエストベルト部１０は、後身頃４Ｂ側に縫合した収容部１２の内部に前身頃４Ｆ側に縫合した延出部１１の先端部１１ｔが挿入されてウエスト周りが形成され、収容部１２の内部において平ゴム１６により収容部１２と延出部１１の間が接続されている構成である。
【００９１】
ここで、本実施の形態の綿パン１において、直線状に形成したウエストベルト部１０の収容部１２及び延出部１１は、図５及び図６に示したように、両脇の脇線ＬＳ，ＲＳの上方付近で収容部１２に延出部１１が挿入されることで重ね合わせられて、収容部１２及び延出部１１が重複した重ね合わせ部１３を形成している。そして、本実施の形態の綿パン１においては、この収容部１２と延出部１１の重ね合わせ部１３付近の下方であって、脇線ＬＳ，ＲＳの近傍に左右で一対の脇ポケット部２０が形成されている。
【００９２】
本実施の形態の脇ポケット部２０は、図５及び図６に示したように、Ｌ字形状のＬポケット口外縁２６Ｌを有するＬポケット部２０Ｌと、それよりも容量が小さく直線状の小ポケット口外縁２６Ｓを有する小ポケット部２０Ｓとから構成されており、ズボンの裏側から見て、Ｌポケット部２０Ｌを構成する大袋布２１Ｌの手前側に小ポケット部２０Ｓを構成する小袋布２１Ｓが重ねられて形成されている。
【００９３】
このようなＬポケット部２０Ｌ及び小ポケット部２０Ｓからなる脇ポケット部２０の製作及び取付けについての詳細を、主に、図５乃至図１３を参照にして説明する。
本実施の形態の脇ポケット部２０を形成するＬポケット部２０Ｌは、綿パン１の脇線ＬＳ，ＲＳに沿って前身頃４Ｆと後身頃４Ｂの間で大袋布２１Ｌを縫付けることによって脇線ＬＳ，ＲＳ近傍の前身頃４Ｆ側に形成されている。
Ｌポケット部２０Ｌを構成する大袋布２１Ｌは、図７、図１０及び図１１に示すように、例えば、綿生地、スレーキ生地等の１枚の布地を所定形状に切断し、それを中央側で折畳み、手前布２１ＬＦ側の端部２１Ｌｆを前身頃４Ｆ及び後身頃４Ｂに接続すると共に、向こう布２１ＬＢ側の端部２１Ｌｂも、その下方側を前身頃４Ｆ及び後身頃４Ｂに接続して、後述する小ポケット部２０Ｓの小袋布２１Ｓの端部２１Ｓｆ，２１Ｓｂと共に脇線ＬＳ、ＲＳを形成する。
【００９４】
このとき、大袋布２１Ｌの手前布２１ＬＦ側の略Ｌ字状の上端部は、前身頃４Ｆの略Ｌ字状の上端部と縫合し、略Ｌ字状のＬポケット口外縁２６Ｌを形成している。そして、大袋布２１Ｌの手前布２１ＬＦ側の残りの上端部は、前身頃４Ｆと共に延出部１１に縫合されており、また、大袋布２１Ｌの向こう布２１ＬＢ側の上端部も延出部１１に縫合されている。
大袋布２１Ｌの向こう布２１ＬＢ側の端部２１Ｌｂにおいて前身頃４Ｆ及び後身頃４Ｂに縫合していない上方は、後述する小ポケット部２０Ｓを構成している小袋布２１Ｓの手前布２１ＳＦ側の端部２１Ｓｂと縫合され略直線状の小ポケット口外縁２６Ｓを形成している。
【００９５】
なお、図において、略Ｌ字状のＬポケット口外縁２６Ｌの脇線ＬＳ，ＲＳ寄りの終端（末端）と脇線ＬＳ，ＲＳの交点をＬポケット止まり７５Ｌとし、ウエストベルト部１０に対し垂直方向に略直線状の小ポケット口外縁２６Ｓの終端（下端、末端）を小ポケット止まり７５Ｓとしており、小ポケット止まり７５ＳやＬポケット止まり７５Ｌには、必要に応じ、縫製の縫い目を補強する閂止めが施される。
【００９６】
また、本実施の形態において、このＬポケット部２０Ｌを構成する大袋布２１Ｌの向こう布２１ＬＢ側では、大袋布２１Ｌを形成している生地がズボンの表側（外側）から見えないようにするために、身頃４Ｆ，４Ｂと共地の所定形状（図においては、略四分円の形状）の表地（共布向こう布）２５Ｌが縫付けられている。即ち、大袋布２１Ｌの生地がＬポケット部２０Ｌの表側（外側）から見えないようにするため、大袋布２１Ｌを形成する所定形状の綿生地、スレーキ生地等の生地に対し、向こう布２１ＬＢのズボンの表面側から見える方の表面側に身頃４Ｆ，４Ｂと共地の所定形状の表地２５Ｌを重ねて縫付けている。
【００９７】
そして、このＬポケット部２０Ｌの大袋布２１Ｌは、その表側（反身体側）の手前布２１ＬＦの下端部及びその裏側（身体側）の向こう布２１ＬＢの下端部を縫合線２８Ｌにて縫製して閉じることで袋状に形成され、手前布２１ＬＦの略Ｌ字状のＬポケット口外縁２６Ｌとそれに対向する向こう布２１ＬＢとの間がポケット口２３Ｌとなり、手前布２１ＬＦと向こう布２１ＬＢの間がＬポケット部２０Ｌのポケットとしての収容空間となっている。
こうして、Ｌポケット部２０Ｌの大袋布２１Ｌは、前身頃４Ｆと後身頃４Ｂの間で縫着されて前身頃４Ｆ側に配設されている。
【００９８】
このような手前布２１ＬＦと向こう布２１ＬＢからなる大袋布２１Ｌによって構成されるＬポケット部２０Ｌのサイズ、容量は、綿パン１の種類、デザイン、紳士用・婦人用等に応じて任意に設定されるが、綿パン１の表側（外側）からみたときのＬポケット部２０ＬのＬポケット口２３Ｌの開口幅（縦幅）ｍｌ（図６（ａ）参照）は、ポケットの中に入れる物が落ち難いように、通常、５ｃｍ〜１１ｃｍ程度、好ましくは、６ｃｍ〜１０ｃｍ程度に設定される。なお、Ｌ字状のＬポケット口外縁２６Ｌと脇線ＬＳ，ＲＳとの交点をＬポケット止まり７５Ｌとすると、Ｌポケット部２０ＬのＬポケット口２３Ｌの開口幅（縦幅）ｍｌは、綿パン１の表側（外側）から見たときに、ウエストベルト部１０の下端、即ち、上がり線ＯＬから、Ｌポケット口外縁２６ＬのＬポケット止まり７５Ｌの高さ位置までの垂直方向（上下方向）の長さ（距離）である。また、大袋布２１Ｌの大きさ寸法は、その垂直方向（上下方向）の縦幅が、上がり線ＯＬ（図４及び図６参照）を基準とするとそこから下端部の縫合線２８Ｌまでの長さ（距離）で、例えば、１８〜２６ｃｍ程度、好ましくは、２０〜２４ｃｍ程度である。また、大袋布２１Ｌの最大横幅は、脇線ＬＳ，ＲＳを基準としそこから前中心ＦＣ側の端までの長さ（距離）で、１１ｃｍ〜２１ｃｍ程度、好ましくは、１４ｃｍ〜１９ｃｍ程度である。なお、綿パン１の表側（外側）からみたときのＬポケット部２０ＬのＬポケット口外縁２６Ｌの上端と、脇線ＬＳ，ＲＳとの間の横幅の長さ（距離）は、例えば、９ｃｍ〜１８ｃｍ、好ましくは、１０ｃｍ〜１４ｃｍであり、Ｌポケット部２０ＬのＬポケット口外縁２６Ｌの上端と、小ポケット部２０Ｓの小ポケット口外縁２６Ｓの上端との間の横幅の長さ（距離）も、例えば、９ｃｍ〜１８ｃｍ、好ましくは、１０ｃｍ〜１４ｃｍである。
【００９９】
また、本実施の形態の脇ポケット部２０を形成する小ポケット部２０Ｓも、Ｌポケット部２０Ｌと同様、綿パン１の脇線ＬＳ，ＲＳに沿って前身頃４Ｆと後身頃４Ｂの間で小袋布２１Ｓを縫付けることによって脇線ＬＳ，ＲＳ近傍の前身頃４Ｆ側に形成されている。
この小ポケット部２０Ｓの小袋布２１Ｓも、図８に示すように、例えば、綿生地、スレーキ生地等の１枚の布地を略長方形状等の所定形状に切断し、それを中央側で折畳み、向こう布２１ＳＢ側の端部２１Ｓｂを前身頃４Ｆ及び後身頃４Ｂに接続すると共に、手前布２１ＳＦ側の端部２１Ｓｆも、その下方側を前身頃４Ｆ及び後身頃４Ｂに接続し、Ｌポケット部２０Ｌの大袋布２１Ｌの端部２Ｌｂ，２１Ｌｆと共に脇線ＬＳ、ＲＳを形成している。
【０１００】
このとき、小袋布２１Ｓの手前布２１ＳＦ側の上端部は、大袋布２１Ｌと共に、延出部１１と縫合されている。また、小袋布２１Ｓの向こう布２１ＳＦ側の上端部は、前中心ＦＣ側の一部が延出部１１と縫合されている。
更に、小袋布２１Ｓの手前布２１ＳＦ側の端部２１Ｓｆは、前身頃４Ｆ及び後身頃４Ｂに接続していない上方がＬポケット部２０Ｌを形成する大袋布２１Ｌの向こう布２１ＬＢ側の端部２１Ｌｂの上方と縫合され、脇線ＬＳ、ＲＳに沿いウエストベルト部１０に対して直角な略垂直方向に直線状の小ポケット口外縁２６Ｓを形成している。
【０１０１】
そして、小ポケット部２０Ｓの小袋布２１Ｓは、その表側（反身体側）の手前布２１ＳＦの下端及びその裏側（身体側）の向こう布２１ＳＢの下端を縫合線２８Ｓにて縫製して閉じることで袋状に形成され、小袋布２１Ｓにおいて手前布２１ＳＦの略直線状の小ポケット口外縁２６Ｓとそれに対向する向こう布２１ＳＢとの間が小ポケット口２３Ｓとなり、それら手前布２１ＳＦと向こう布２１ＳＢの間が小ポケット部２０Ｓのポケットとしての収容空間となっている。
こうして、小ポケット部２０Ｓの小袋布２１Ｓも、Ｌポケット部２０Ｌの大袋布２１Ｌと同様、前身頃４Ｆと後身頃４Ｂの間で縫着されており、綿パン１の裏側から見たときに、大袋布２１Ｌの手前側に小袋布２１Ｓが位置し、両者がそれらの端部を脇線ＬＳ，ＲＳで寄せて重ね、脇線ＬＳ，ＲＳ寄りで重なり合って重複している。
【０１０２】
このような手前布２１ＳＦと向こう布２１ＳＢからなる小袋布２１Ｓによって構成される小ポケット部２０Ｓのサイズ、容量も、綿パン１の種類、デザイン、紳士用・婦人用等に応じて任意に設定されるが、綿パン１の表側（外側）からみたときの小ポケット部２０Ｓの小ポケット口２３Ｓの開口幅（縦幅）ｍｓ（図６参照）は、一般的な手の大きさ、取り出し易さを考慮すると、３ｃｍ〜１５ｃｍの範囲内、好ましくは、６ｃｍ〜１３ｃｍの範囲内、より好ましくは、８ｃｍ〜１２ｃｍの範囲内とされる。
特に、小ポケット部２０Ｓの小ポケット口２３Ｓは一般的な手の大きさ、取り出し易さを考慮し、かつ、Ｌポケット部２０Ｌの中に入れた物が落ち難い大きさを考慮するとなると、本実施の形態においては、小ポケット部２０Ｓの直線状の小ポケット口外縁２６Ｓの下端である小ポケット止まり７５Ｓが、Ｌポケット部２０のＬ字状のＬポケット口外縁２６Ｌの下端であるＬポケット止まり７５Ｌよりも下方、例えば、１ｃｍ〜６ｃｍ下に位置し、ズボンの表側（外側）から見たとき、小ポケット口外縁２６Ｓの下方は、前身頃４Ｆの後ろに重なって見えないようになっている。
【０１０３】
なお、ウエストベルト部１０に対して直角な略垂直方向（上下方向）に直線状の小ポケット口外縁２６Ｓの下端を小ポケット止まり７５Ｓとすると、小ポケット口２３Ｓの開口幅（縦幅）ｍｓは、綿パン１の表側（外側）からみたときのウエストベルト部１０の下端、即ち、上がり線ＯＬから、小ポケット口外縁２６Ｓの小ポケット止まり２５Ｓの位置までの垂直方向の長さ（距離）である。また、小袋布２１Ｓの大きさ寸法は、その垂直方向（上下方向）の縦幅が、上がり線ＯＬを基準とするとそこから下端部の縫合線２８Ｓまでの長さ（距離）で、例えば、１４〜２０ｃｍ程度、好ましくは、１５〜１８ｃｍ程度である。また、小袋布２１Ｓの最大横幅は、脇線ＬＳ，ＲＳを基準としそこから前中心ＦＣ側の端までの長さ（距離）で、７ｃｍ〜１３ｃｍ程度、好ましくは、８ｃｍ〜１１ｃｍ程度である。
【０１０４】
ここで、延出部１１の延出部表ベルト１１Ｆは、前身頃４Ｆと大袋布２１Ｌと小袋布２１Ｓの手前布２１ＳＦに対し、前中心ＦＣ側から小ポケット口外縁２６Ｓの上端の位置まで縫合線６１Ｃにて縫付けられるが、小袋布２１Ｓの向こう布２１ＳＢ側に対しては、前中心ＦＣ側から後述するタック部２２の第１の折り目２２１の位置までが縫合線６１Ｃによる縫合位置となっている。また、延出部１１の延出部裏ベルト１１Ｂは、前身頃４Ｆと大袋布２１Ｌと小袋布２１Ｓに対し、前中心ＦＣ側から小袋布２１Ｓの後述するタック部２２の第２の折り目２２２の近傍までが縫合線６１Ｂによる縫合位置とされている。
即ち、延出部１１の収容部１２に挿入される先端部１１ｔ側は前身頃４Ｆ、大袋布２１Ｌ及び小袋布２１Ｓに縫着されておらず収容部１２から延出自在とされる。
【０１０５】
これより、ウエストベルト部１０に引張り力が掛かった際には、図５及び図６に示したように、小ポケット口外縁２６Ｓの上端部及びＬポケット口外縁２６Ｌの上端部は、延出部１１が収容部１２から抜き出る方向に延出部１１と一体に移動し、収容部１２の開口端１２ｅ側、即ち、脇線ＬＳ，ＲＳ側から離れる方向に位置する。そして、それに伴い、小ポケット口外縁２６Ｓと脇線ＬＳ，ＲＳの間の表出する面積が拡大する。
このとき、本実施の形態では、ポケット口外縁２６Ｓと脇線ＬＳ，ＲＳの間で小袋布２１Ｓの生地がズボンの表側（外側）から見えないようにするために、小ポケット部２０Ｓを構成する小袋布２１Ｓの向こう布２１ＳＢ側には、身頃４Ｆ，４Ｂと共地の表地（共布向こう布）２５Ｓが縫付けられている。即ち、小ポケット口外縁２６Ｓが脇線ＬＳ，ＲＳ側から離れる方向に移動した際でも小袋布２１Ｓの生地がズボンの表側（外側）から見えないようにするため、小袋布２１Ｓを形成する所定形状の綿生地、スレーキ生地等の布地に対し、その向こう布２１ＳＢ側に身頃４Ｆ，４Ｂと共地の所定形状（図においては略長方形状）の表地（共布向こう布）２５Ｓを重ねて縫付けている。これより、ウエストベルト部１０に引張り力が掛かると、延出部１１の移動に伴い小ポケット口外縁２６Ｓの上端部が脇線ＬＳ，ＲＳ側から離れる方向に移動することで、小ポケット部２０Ｓの表地２５Ｓが表出する面積が拡大する。
【０１０６】
更に、本実施の形態では、図１２に示したように、小袋布２１Ｓに縫付ける表地２５Ｓに対しズボンの表側（外側）とは反対面側に芯材としてのハード芯７７をアイロンプレス等によって貼り付けている。これにより、後述するように、ウエストベルト部１０が伸びたときでも、小ポケット口２３Ｓから小袋布２１（表地２５を含む）が吹き出したり、脇ポケット部２０やその周囲に皺が寄ったりするのをより効果的に防止し、より見栄えを向上させることができる。このときのハード芯７７は、脇線ＬＳ，ＲＳ寄りに設けられ、図１２（ｂ）に示したように、タック部２２から脇線ＬＳ，ＲＳ側に設けた表地２５Ｓの片面（裏面）の略全面に接着してもよいが、図１２（ａ）に示されるように、表地２５Ｓの片面（裏面）に対し、脇線ＬＳ，ＲＳ寄りの一部であっても、小ポケット口２３Ｓから小袋布２１が吹き出したり、脇ポケット部２０やその周囲に皺が寄ったりするのを防止して見栄えを向上させる効果が得られる。
【０１０７】
即ち、この芯材としてのハード芯７７は、後述するタック部２２から脇線ＬＳ，ＲＳ寄りに設けられるが、脇線ＬＳ，ＲＳ及びその近傍の範囲の小ポケット部２０Ｓの小ポケット口外縁２６Ｓに対応する位置であって、少なくとも、小ポケット部２０Ｓの小ポケット口２３Ｓの上端からＬポケット口外縁２６ＬのＬポケット止まり７５Ｌの長さ以上で脇線ＬＳ，ＲＳ側に沿って取付けることで、ウエストベルト部１０が伸びたときの小ポケット部２０Ｓの小袋布２１Ｓの変形を防止し、小ポケット部２０Ｓの皺寄りを効果的に防止できる。より好ましくは、ウエストベルト部１０に引張り力が掛かった際の小ポケット部２０Ｓのポケット口外縁２６Ｓが移動する範囲、即ち、小ポケット部２０Ｓの表地２５Ｓが表出する範囲に対応する大きさであれば、生地が薄くても、ウエストが伸びたときの小ポケット部２０Ｓの小袋布２１Ｓの変形を防止して、見栄えを向上させる効果を得ることができる。
【０１０８】
なお、ここでは、ハード芯７７を表地２５Ｓにアイロン等で接着する説明としたが、本発明を実施する場合には、接着芯等を直接、小袋布２１Ｓに接着してもよいし、縫製による縫付けであってもよい。
【０１０９】
加えて、本実施の形態の小袋布２１Ｓにおいては、図８（ａ）に示した小袋布２１Ｓの向こう布２１ＳＢとなる方で、脇線ＬＳ，ＲＳを形成する身頃４Ｆ，４Ｂ側に縫合される前に、予め、図８（ｂ）及び図８（ｃ）に示すように、所定の位置にて２本の折り目２２１、２２２を付しそれらの折り目２２１、２２２に沿って所定幅で折重ねることにより、タック（折り返し）部２２を形成している。
【０１１０】
このタック部２２は、図８（ｂ）に示すように、小袋布２１Ｓの向こう布２１ＳＢにおいて、上端から下方に延びる２本の折り目２２１、２２２を形成し、２本の折り目２２１、２２２のうち手前布２１ＳＦ及び向こう布２１ＳＢの閉鎖端部側に近い方（図１８（ｂ）において右側）の第１の折り目２２１を谷折りとし、もう一方の第２の折り目２２２を山折りにすることで、図８（ｃ）に示すように、襞状に形成されている。
【０１１１】
なお、図８（ｃ）に示すように、タック部２２の襞を形成した小袋布２１Ｓの向こう布２１ＳＢにおいて、身頃４Ｆ，４Ｂ側に縫付ける端部２１Ｓｂ側から第２の折り目２２２までの間の布地を後側布地２１ＢＢとし、端部２１Ｓｂとは反対側の閉鎖端部側から第１の折り目２２１までの間の布地を前側布地２１ＢＦとし、後側布地２１ＢＢと前側布地２１ＢＦの間の布地、即ち、第２の折り目２２２と第１の折り目２２１の間の布地を中間布地２１ＢＭとしたとき、第１の折り目２２１及び第２の折り目２２２に沿って折畳んで形成した襞状のタック部２２では、それら後側布地２１ＢＢと中間布地２１ＢＭと前側布地２１ＢＦとが重なり合って重複する。
【０１１２】
このように小袋布２１Ｓの向こう布２１ＳＢの一部を折畳んだタック部２２の形成により、ウエスト部Ｗに引張り力が掛かった際には、ウエストベルト部１０の延出部１１が収容部１２から抜き出る移動と共に、折畳んだタック部２２（正確には、タック部の一部）が開くから、脇ポケット部２０を構成する袋布２１Ｌ，２１Ｓに掛かる引張り力を逃すことができ、ウエスト周りをスムースに伸ばすことができる。そして、タック部２２が開閉することによってウエストベルト部１０が伸縮する際でも、ウエストベルト部１０の下部の身頃４Ｆ，４Ｂの生地に皺、引き攣り等を生じさせ難いから、見栄えの良い綿パン１となる。
【０１１３】
このときタック部２２の上端部の折畳み長さは、ウエストベルト部１０の伸び量に応じウエストベルト部１０を伸ばしたときの袋布２１Ｌ，２１Ｓの上方の引き攣りが少なくウエストベルト部１０のスムースな伸びを確保できる長さであればよく、好ましくは、ウエストベルト部１０の伸び長さ以上に設定される。タック部２２の襞（折り返し部分）の幅、即ち、２本の折り目２２１と折り目２２２の間の間隔幅からすると、小袋布２１Ｓの向こう布２１ＳＢの上端で第１の折り目２２１と第２の折り目２２２の間の間隔、即ち、横幅長さｗ（図１１参照）は、好ましくは、ウエストベルト部１０の最大の伸び長さの０．５倍〜０．７倍である。
【０１１４】
例えば、平ゴム１６に縫着した伸び止め材１７の折畳み長さを３ｃｍとし、その伸び止め材１７の折畳み長さによって平ゴム１６の最大伸びを約３ｃｍに規制する場合、即ち、ウエストベルト部１０の伸び長さを３ｃｍとする場合には、小袋布２１Ｓの向こう布２１ＳＢの上端で第１の折り目２２１と第２の折り目２２２の間の横幅長さｗを約１．５ｃｍ以上とする。より好ましくは、約１．５ｃｍ以上、２ｃｍ以下である。
また、例えば、平ゴム１６に縫着した伸び止め材１７の折畳み長さを５ｃｍとし、その伸び止め材１７の折畳み長さによって平ゴム１６の最大伸びを約５ｃｍに規制する場合、即ち、ウエストベルト部１０の伸び長さを５ｃｍとする場合には、小袋布２１Ｓの向こう布２１ＳＢの上端で第１の折り目２２１と第２の折り目２２２の間の横幅長さｗを約２．５ｃｍ以上とする。より好ましくは、約２．５ｃｍ以上、３ｃｍ以下である。
【０１１５】
また、タック部２２の垂直方向（上下方向）の縦幅の長さは、綿パン１の種類、デザイン、紳士用・婦人用等に応じて任意に設定されるが、例えば、紳士用のボトムスのように、折り目２２１、２２２を安定させるために折り目２２１、２２２にアイロン等のプレスを施してしっかり折り目を付したり、小袋布２１Ｓをアイロン等でプレスしてクセとりをしたりする設計の場合には、通常、小袋布２１Ｓの縦幅の全長（正確には、小袋布２１Ｓの上端から向こう布２１ＳＢ及び手前布２１ＳＲを縫合した縫合線２８Ｓの位置まで）に亘ってタック部２２が形成され、タック部２２の折り目２２１，２２２がアイロン等のプレスでしっかり付されるようにされる。例えば、上がり線ＯＬを基準とするとタック部２２の垂直方向の縦幅の長さｘ（上がり線ＯＬと縫合線２８Ｓの間の長さ）は、１４〜２０ｃｍ程度、好ましくは、１５〜１８ｃｍ程度である。
これにより、小袋布２１Ｓの下方の遊び、余り、ダブつき、浮き等が少なくなり、アイロン等でプレスすればそれらのクセとりができるから、小袋布２１Ｓの歪み、皺、膨らみ、浮き等が少なくて見栄えに優れた脇ポケット部２０に仕上げることができる。
【０１１６】
一方、タック部２２を形成するための２本の折り目２２１、２２２にしっかりクセを付したり、また、小袋布２１Ｓのクセとりをしたりするためのアイロン等のプレス処理を行わないボトムス、例えば、婦人用のボトムスの場合には、必ずしも小袋布２１Ｓの縦幅の全長に亘ってタック部２２を形成しなくともよく、タック部２２の形成が小袋布２１Ｓの縦幅長さの一部となる場合もある。このときのタック部の長さは、例えば、上がり線ＯＬを基準とすると、タック部２２の垂直方向の縦幅の長さｘは、９〜１８ｃｍ程度、好ましくは、１０〜１６ｃｍ程度である。このような所定長さのタック部２２の形成により袋布２１の下方の布地の遊びも綿パン１の表側に響かない程度になる。
ここで、上がり線ＯＬは、上述したように、ウエストベルト部１０の表側の下端、詳しくは、ウエストベルト部１０表側の延出部表ベルト１１の下端のラインに一致するものである。向こう布２１ＳＢの裁ち切り線からすると、上がり線ＯＬはその裁ち切り線よりも、通常、１ｃｍ程度下位に位置する。
【０１１７】
なお、ウエストベルト部１０が伸びるときに袋布２１Ｌ，２１Ｓに掛かる引張り力は、袋布２１Ｌ，２１Ｓにおいて、ウエストベルト部１０の配設側の上端側から下方に向かって徐々に減少する。そこで、それに併せて、本実施の形態においては、タック部２２の折畳み長さは、その上端側から下方に向かって徐々に小さくなるように設定されている。即ち、２本の折り目２２１及び折り目２２２は上端側から下方に向かって徐々に近づくように設定されている。例えば、図８においては、傾きが小さく略直線状の第１の折り目２２１に対し、第２の折り目２２２は上端側から下方に向かって第１の折り目２２１側に近づく（大きく傾く）斜めに形成し、２本の折り目２２１及び折り目２２２が上端側から下方に向かって徐々に近づくようにしている。これにより、ウエストベルト部１０の伸縮による小袋布２１Ｓの皺、膨らみ、浮き等や引き攣りを減らすことができ見栄えを良くできる。
しかし、本発明を実施する場合、２本の折り目２２１及び折り目２２２間の幅は、上端から下方に向かって一定にすることも可能であるし、折り目２２１，２２２も、上下方向に垂直な直線状とすることも可能である。
【０１１８】
そして、本実施の形態では、このように小ポケット部２０Ｓの小袋布２１Ｓにおいて、２本の折り目２２１，２２２に沿って折畳んで形成した襞状のタック部２２を形成し、その一部でタック部２２の襞（折り返し部分）を閉じるよう縫合線７８にて縫合している。
ここで、上述したように、従来、横方に長く縦方向に短いＬ字状のポケット口外縁２６Ｓを有するＬポケット部２０Ｌでは、Ｌポケット口２３Ｌの開口幅（縦幅）ｍｌが短くウエストベルト部１０に近いから、ウエストベルト部１０が伸びたときに、Ｌポケット止まり７５Ｌに大きな負荷がかかりその周囲で袋布２１Ｓ，２１Ｌや身頃４Ｆ，４Ｂが大きく引き攣られ、それにより、図１３（ａ）で示したように、小ポケット部２０Ｓの小ポケット口２３Ｓから小袋布２１Ｓ、表地２５Ｓがとびだしたり、小ポケット部２０Ｓ及びその周囲に皺が寄ったりし、ズボンを表側から見たときの脇ポケット部２０の外観性や見栄えが損なわれる問題があった。
【０１１９】
そこで、本実施の形態では、この問題を解決するために、タック部２２において、小袋布２１Ｓの向こう布２１ＳＢの上端から下方に向かう所定範囲は、タック部２２の襞を縫合することなくタックの折畳みの開閉を自在とし、タックの上方を除き、所定位置から下でタックの襞を縫合線７８にて縫合している。
【０１２０】
具体的に説明すると、本実施の形態において、タック部２２の襞を縫合線７８にて閉じる位置は、少なくとも小ポケット止まり７５Ｓの高さに対応する位置７５ｔから上に所定の長さであればよい。即ち、小ポケット口２３Ｓからの小袋布２１Ｓ（表地２５Ｓを含む）の吹き出しを抑えるためには、少なくとも小ポケット止まり７５Ｓの高さに対応する位置７５ｔから上に所定の長さだけタック部２２の襞を閉じればよく、小ポケット止まり７５Ｓの高さに対応する位置７５ｔより下では、タック部２２の襞を縫合しても良いし、縫合しなくても良い。即ち、タック部２２の襞を縫合する終点７８ｅは、小ポケット部２０Ｓの小ポケット止まり７５Ｓ、即ち、小ポケット口外縁２６Ｓの下端７５Ｓの高さに対応する位置７５ｔまたはそれよりも下にある。例えば、図４乃至図６、図１０及び図１１に示したように、タック部２２の襞を縫合する終点７８ｅは小ポケット止まり７５Ｓの高さに対応する位置７５ｔとしてもよいし、図８及び図９に示したように、タック部２２の下端部まで襞を縫合して、タック部２２の襞を縫合する終点７８ｅは小ポケット止まり７５Ｓの高さに対応する位置７５ｔよりも下に設定してもよい。
図４乃至図６、図１０及び図１１で示したように、小ポケット止まり７５Ｓの高さに対応する位置７５ｔより下を縫合しない場合には、ウエスト部Ｗが伸びたときの脇ポケット部２０の下方、特に、小ポケット止まり７５Ｓの周囲の引き攣り、引張りが抑制され、小袋布２１Ｓの歪みや皺寄りを効果的に防止して、綿パン１を表側から見たときの美感、見栄えの向上が可能となる。一方で、図８及び図９で示したように、小ポケット止まり７５Ｓの高さに対応する位置７５ｔより下も縫合した場合には、小袋布２１Ｓがより落ち着くから、商品として陳列した際の美感、見栄えの向上が可能となる。
【０１２１】
ここで、本発明者らの実験研究によれば、小ポケット止まり７５Ｓの高さに対応する位置７５ｔから上でタック部２２の襞を縫合線７８にて縫合する長さは、３ｃｍ以上、８ｃｍ以下の範囲内が好ましく、より好ましくは、４ｃｍ以上、７ｃｍ以下の範囲内である。即ち、小ポケット口外縁７６Ｓの末端である小ポケット止まり７５Ｓの高さに対応する位置７５ｔから上に垂直方向（上下方向）の長さで、好ましくは、３ｃｍ以上、８ｃｍ以下の範囲内で、より好ましくは、４ｃｍ以上、７ｃｍ以下の範囲内でタック部２２の襞を縫合線７８にて縫合するのが好ましい。
【０１２２】
小ポケット止まり７５Ｓの高さに対応する位置７５ｔから上でタック部２２の縫合する長さが長すぎる場合、タック部２２の展開量を十分に確保できない。このため、ウエストベルト部１０に引張り力が掛かった際にウエスト部Ｗのスムースな動きを確保できず窮屈感を生じさせることになる。また、袋布２１Ｌ，２１Ｓの上方で引き攣り、引っ張りによる歪み、皺寄り等が生じ、それが綿パン１の表側にも響いて、見栄えが低下したりする。一方で、小ポケット止まり７５Ｓの高さに対応する位置７５ｔから上でタック部２２の縫合する長さが短い場合、小袋布２１Ｓの布地の遊びが多くなるから、布地の種類によっては、ズボンの着用時に脇ポケット部２０の小袋布２１Ｓ（表地２５Ｓを含む）が小ポケット口２３Ｓからとび出しやすくなる。
【０１２３】
そこで、小ポケット止まり７５Ｓの高さに対応する位置７５ｔとタック部２２の襞を縫合する縫合線７８の始点７８ｓとの間の垂直方向（上下方向）の長さ（縦幅）をＹｂ（ｃｍ）（図５参照）とすると、好ましくは、３≦Ｙｂ≦８であり、より好ましくは、４≦Ｙｂ≦７である。このように、タック部２２の襞を閉じる縫合線７８の始点７８ｓがポケット止まり７５の高さに対応する位置７５ｔから上に垂直方向の長さで３ｃｍ以上、８ｃｍ以内、好ましくは、４ｃｍ以上、７ｃｍ以内にあれば、即ち、タック部２２に対し、小ポケット口２３Ｓの末端、即ち、小ポケット口外縁２６Ｓの下端である小ポケット止まり７５の高さに対応する位置７５ｔから上に垂直方向の長さで３ｃｍ以上、８ｃｍ以下の範囲内、より好ましくは、４ｃｍ以上、７ｃｍ以下の範囲内で縫合線７８にてタック部２２の襞を閉じことで、ウエストベルト部１０が伸びたときでも、ウエストベルト部１０と身頃４Ｆ，４Ｂの境界部に引き攣りが生じ難くてウエスト部Ｗのスムースな伸びを確保でき、かつ、小袋布２１Ｓ（表地２５Ｓを含む）が小ポケット口２３Ｓから吹き出して露出する事態が効果的に抑制され、綿パン１を表側から見たときの良好な見栄えを保つことができる。
【０１２４】
また、このとき、小袋布２１Ｓの向こう布２１ＳＢの上がり線ＯＬとタック部２２の襞を縫合する縫合線７８の始点７８ｓとの間の垂直方向の長さ（縦幅）をＹａ（ｃｍ）（図４参照）とすると、好ましくは、３≦Ｙａ≦７であり、より好ましくは、４≦Ｙａ≦６である。即ち、タック部２２の縫合の始点７８ｓは、向こう布２１ＳＢの上がり線ＯＬから下に３ｃｍ以上、７ｃｍ以下の範囲内に位置させるのが好ましく、より好ましくは、４ｃｍ以上、６ｃｍ以下の範囲内である。
【０１２５】
タック部２２の縫合の始点７８ｓがタック部２２の上端に近すぎる場合、タック部２２の展開量を十分に確保できない。このため、ウエストベルト部１０に引張り力が掛かった際にウエスト部Ｗのスムースな動きを確保できず窮屈感を生じさせる恐れがある。また、小袋布２１Ｓの上方で引き攣り、引っ張りによる歪み、皺寄り等が生じ、それがズボンの表側にも響いて、見栄えが低下したりする。一方で、タック部２２の縫合する位置が下方に下がり過ぎる場合、小袋布２１Ｓの布地の遊びが多くなるから、布地の種類によっては、ズボンの着用時に脇ポケット部２０の小袋布２１（表地２５Ｓを含む）が小ポケット口２３Ｓかとびだしやすくなる。
【０１２６】
向こう布２１ＳＢの上がり線ＯＬとタック部２２の縫合の始点７８ｓとの間の垂直方向（上下方向）の長さＹａが、３ｃｍ以上、７ｃｍ以下の範囲内、より好ましくは、４ｃｍ以上、６ｃｍ以下の範囲内であれば、タックの開きが十分に確保され、ウエストベルト部１０が伸びたときでも、ウエスト部Ｗのスムースな動きを確保でき、かつ、小袋布２１Ｓ（表地２５Ｓを含む）が小ポケット口２３Ｓから吹き出す事態を効果的に抑えることができ、ズボンを表側から見たときの良好な見栄えを保つことができる。
【０１２７】
ここで、縫合線７８にてタック部２２の襞を縫合する形態は、後側布地２１ＢＢと中間布地２１ＢＭと前側布地２１ＢＦのうち、中縫いを行うことによって、第１の折り目２２１と第２の折り目２２２の間の布地である中間布地２１ＢＭと、第１の折り目２２１から前中心ＢＣ側に向かう布地である前側布地２１ＢＦとを、タックの長さ方向の一部で縫合線７８にて縫合することで一部の襞を縫合するようにしてもよいし、コバステッチで後側布地２１ＢＢと中間布地２１ＢＭと前側布地２１ＢＦとを縫合するようしてもよい。
【０１２８】
即ち、中縫いによる中間布地２１ＢＭと前側布地２１ＢＦの縫合は、図９（ａ）で示すように、縫合線７８の縫い目が中間布地２１ＢＭと前側布地２１ＢＦを貫通するが後側布地２１ＢＢには貫通せずその縫い目が後側布地２１ＢＢに表出しないのに対し、コバステッチによる後側布地２１ＢＢと中間布地２１ＢＭと前側布地２１ＢＦとの縫合は、図９（ｂ）に示すように、縫合線７８の縫い目が後側布地２１ＢＢと中間布地２１ＢＭと前側布地２１ＢＦを貫通し後側布地２１ＢＢに表出する。即ち、中縫いは、図９（ａ）に示すように、中間布地２１ＢＭと前側布地２１ＢＦを縫合し、その縫合線７８の縫い目が、ズボンの裏側から見たときに後側布地２１ＢＢに表出しないのに対し、コバステッチは、図９（ｂ）に示すように、後側布地２１ＢＢと中間布地２１ＢＭと前側布地２１ＢＦとを縫合し、その縫合線７８の縫い目が、ズボンの裏側から見て後側布地２１ＢＢに表出するものである。
【０１２９】
特に、コバステッチにより後側布地２１ＢＢと中間布地２１ＢＭと前側布地２１ＢＦとを縫合する場合には、中縫いにより中間布地２１ＢＭと前側布地２１ＢＦとを縫合する場合と比較して、縫合した部分のタックの開き量を大きく制限できる。
一方、中縫いにより中間布地２１ＢＭと前側布地２１ＢＦとを縫合する場合には、コバステッチにより後側布地２１ＢＢと中間布地２１ＢＭと前側布地２１ＢＦとを縫合する場合と比較して、縫合した部分のタックの開き量の制限を少なくできる。
よって、袋布２１Ｓ，２１Ｌの生地、表地２５Ｓ，２５Ｌの生地、身頃４Ｂ，４Ｆの生地、ウエストベルト部１０の表側や裏側の生地等によって、また、Ｌポケット口２３Ｌや小ポケット口２３Ｓの開口の大きさ等によって、中縫いまたはコバステッチを適宜選択することも可能である。
【０１３０】
例えば、身頃４Ｂ，４Ｆや、袋布２１Ｓ，２１Ｌ等の生地が薄いものや、小ポケット口２３Ｓの開口縦幅ｍｓ（ｃｍ）が短いもの（例えば、３≦ｍｓ≦７）では、小ポケット口２３Ｓから小袋布２１Ｓ（表地２５Ｓを含む）が吹き出しやすくなるから、タックの開き量の制限を大きくできるコバステッチの縫製で後側布地２１ＢＢと中間布地２１ＢＭと前側布地２１ＢＦとを縫合することで、ウエストベルト部１０が伸びたときの小袋布２１Ｓの変形、小ポケット口２３Ｓからの小袋布２１Ｓ（表地２５Ｓを含む）の吹き出しをより効果的に抑制できる。
一方で、生地が厚いものや、小ポケット口２３Ｓの開口縦幅ｍｓ（ｃｍ）が長いもの（例えば、７＜ｍｓ≦１５）では、ウエスト部Ｗが伸びたときに、小ポケット止まり７５Ｓの周囲で引き攣り、引張り量が大きくなることで皺寄りが生じやすくなるから、タックの開き量（展開量）の制限を少なくできる中縫いの縫製で中間布地２１ＢＭと前側布地２１ＢＦを縫合することで、ウエスト部Ｗが伸びたときでも小ポケット止まり７５Ｓの周辺の引き攣り、引張りにより歪み、皺寄りを効果的に抑え、綿パン１を表側から見たときの外観性や見栄えを良好に維持することが可能となる。
【０１３１】
更に、タック部２２の折り目２２１，２２２に対する縫合線７８の間隔によっても縫合する部分のタックの開き量を適宜設定することが可能である。例えば、タック部２２の襞を縫合するときの縫合線７８は、コバステッチでは、縫製の分かり易さから、第２の折り目２２２に平行させる斜めとし、タック部２２を形成する第２の折り目２２２に平行で第２の折り目２２２から、好ましくは、７ｍｍ以内、より好ましくは、１ｍｍ以上、５ｍｍ以内でタック部２２の襞を縫合線７８にて縫合する。即ち、縫合線７８と第２の折り目２２２の間隔幅をＤ2（ｍｍ）（図９（ｂ）参照）とすると、好ましくは、Ｄ2≦０．７、より好ましくは、０．１≦Ｄ2≦０．５である。このように第２の折り目２２２に平行する斜めの縫合線７８の位置を第２の折り目２２２から所定範囲内とすると、コバステッチの場合にはタックの開きが大きく制限されることで、生地が薄いときや、小ポケット口２３Ｓの開口縦幅ｍｓ（ｃｍ）が短い（例えば、３≦ｍｓ≦７）ときでも、小ポケット口２３Ｓからの小袋布２１（表地２５Ｓを含む）の吹き出しを効果的に抑えることができる。
【０１３２】
また、中縫いでは、縫製の分かり易さから、縫合線７８を第１の折り目２２１に平行させる直線とし、縫合線７８の位置を第１の折り目２２１から好ましくは、５ｍｍ以内、より好ましくは、１ｍｍ以上、３ｍｍ以内でタック部２２の襞を縫合線７８にて縫合する。即ち、縫合線７８と第１の折り目２２１の間隔幅をＤ1（ｍｍ）（図９（ａ）参照）とすると、好ましくは、Ｄ1≦０．５、より好ましくは、０．１≦Ｄ1≦０．３とする。このように第１の折り目２２１に平行させる縫合線７８の位置を第１の折り目２２１から所定範囲内とすると、中縫いの場合にはタックの開きに余裕がでるから、生地が厚いときや、小ポケット口２３Ｓの開口縦幅ｍｓ（ｃｍ）が長い（例えば、７＜ｍｓ≦１５）ときでも、ウエストベルト部１０が伸びたときの小ポケット止まり部７５Ｓの周囲の引き攣り、引張りによる歪み、皺寄りを効果的に抑え、ズボンを表側から見たときの外観性や見栄えを良好に維持することが可能となる。
勿論、本発明を実施する場合には、小袋布２１Ｓのタック部２２の襞を縫合するときの縫合線７８は、第１の折り目２２１や第２の折り目２２２と平行させず直線状または斜めとしてもよい。
【０１３３】
このように、本実施の形態の小ポケット部２０Ｓを形成する小袋布２１Ｓでは、その向こう布２１ＳＢに形成したタック部２２において、向こう布２１ＳＢの上端から所定範囲は縫合することなく、例えば、上がり線ＯＬを基準とすると、そこから下に垂直方向の長さＹａで３ｃｍ〜７ｃｍの範囲は縫合することなく、小ポケット部２０Ｓのポケット止まり７５Ｓの高さ７５ｔに対応する位置７５ｔから上に垂直方向の長さ（縦幅）Ｙｂで３ｃｍ〜８ｃｍの範囲内で縫合することによりタック部２２の襞の一部を閉じてタックの開きを制限している。即ち、タック部２２の上端から下に所定の長さ範囲では、タック部２２の襞を閉じることなく展開自在（開閉自在）とするも、タック部２２の下方側でタックの襞を縫合線７８にて縫合していることによりタック部２２の開きを制限している。
【０１３４】
これより、本実施の形態の綿パン１では、Ｌ字状のＬポケット口外縁２６Ｌを有するＬポケット部２０Ｌに対し、それよりも収容容積の小さい小ポケット部２０Ｓを脇線ＬＳ，ＲＳに沿って形成しているが、小ポケット部２０Ｓを構成する小袋布２１Ｓの向こう布２１ＳＢに所定長さのタック部２２を形成し、そのタック部２２の襞の一部をタック部２２の上方を除いて縫合線７８にて縫合してタックの開きを制限したことで、小袋布２１Ｓの布地の遊びが少なくなり、図１３（ｂ）に示したように、ズボンの表側（外側）から見て、ウエストベルト部１０が伸びたときでも、小袋布２１Ｓ（表地２５Ｓを含む）が小ポケット口２３Ｓから吹き出すのが抑制され、脇ポケット部２０及びその周囲に皺寄りが生じ難くなり、見栄えの良い脇ポケット部２０を形成し、美観を維持できる。
【０１３５】
特に、本実施の形態では、タック部２２の襞を縫合する縫合線７８の始点７８ｓは、小ポケット部２０Ｓの小ポケット止まり７５Ｓの高さに対応する位置７５ｔから上に垂直方向の長さで３ｃｍ以上、８ｃｍ以下の範囲内にあり、小袋布２１Ｓの向こう布２１ＳＢの上がり線ＯＬからすると、その位置よりも垂直方向の長さで３ｃｍ〜７ｃｍ下にあり、タック部２２の襞を縫合する終点７８ｅは、小ポケット部２０Ｓの小ポケット止まり７５Ｓ、即ち、小ポケット口外縁２６Ｓの下端７５Ｓの高さに対応する位置７５ｔまたはそれよりも下にある。
したがって、タック部２２の上方の襞の展開量を十分に確保して袋布２１Ｓ，２１Ｌや身頃４Ｆ，４Ｂの上方の引き攣りを抑制しつつ、タック部２２の下方で襞の展開を制限したことで、小袋布２１Ｓの遊び、余裕を少なくして、小ポケット口２３Ｓから吹き出すのを抑制できる。故に、ウエストベルト部１０が伸びたときの小袋布２１Ｓ（表地２５Ｓを含む）の変形を効果的に抑制でき、小袋布２１の歪みや皺寄りが生じ難いことで、ズボンを表側から見たときの見栄えに優れたものとなる。
【０１３６】
そして、本実施の形態の綿パン１は、上端部が延出部１１に接続するＬ字状のＬポケット口外縁２６Ｌを有するＬポケット部２０Ｌと、それよりも収容容積が小さく、上端部が延出部１１に接続しＬポケット口外縁２６Ｌの上端部よりも収容部１２側の脇線ＬＳ，ＲＳに近い直線状の小ポケット口外縁２６Ｓを有する小ポケット部２０Ｓとを脇線ＬＳ，ＲＳに沿って前身頃４Ｆ側に形成したものである。このように、Ｌポケット部２０ＬのＬポケット口外縁２６Ｌの延出部１１に接続する上端部よりも小ポケット部２０Ｓの小ポケット口外縁２６Ｓの延出部１１に接続する上端部を脇線ＬＳ，ＲＳ寄り、即ち、収容部１２及び延出部１１の境界寄りに形成したことにより、ウエストベルト部１０に引っ張り力が掛かった際には、脇線ＬＳ，ＲＳと小ポケット口外縁２６Ｓの間の表出する面積が拡大するのみで、即ち、小ポケット部２０Ｓにおける表地２５Ｓの表出する面積が拡大するのみで、表地２５Ｓよりも大きな面積のＬポケット部２０Ｌの表地２５Ｌの表出する面積に大きな変化はないから、外観の目立つ変化が少なくて、美感を向上させることができる。つまり、ウエストを伸縮自在とするも、小ポケット部２０Ｓよりも大きな（広い）ポケット口サイズのＬポケット部２０Ｌの見た目の変化を少なくして脇ポケット部２０の見栄えを良くでき、Ｌポケット部２０Ｌのデザインの自由度が高く、そのデザインにバリエーションを持たせることが可能となる。
【０１３７】
特に、ウエストベルト部１０が伸縮していない状態で、小ポケット部２０Ｓの小ポケット口外縁２６Ｓを脇線ＬＳ，ＲＳに沿って形成されているものであると、脇線ＬＳ，ＲＳに小ポケット口外縁２６Ｓが重複して目立たなくなり、見栄えに優れるものとなる。
【０１３８】
更に、本実施の形態の綿パン１は、Ｌポケット部２０Ｌよりも容量の小さい小ポケット部２０Ｓを設けたから、Ｌポケット部２０Ｌには、例えば、財布、ハンカチ、ティッシュペーパー等の大きな物を入れ、小ポケット部２０Ｓには、例えば、小銭、鍵、切符等の小物を入れるものとして使用すれば、小ポケット部２０Ｓに入れた物とＬポケット部２０Ｌに入れた物とを区別でき、脇ポケット部２０に入れた物を取り出す際の選別にかかる時間を短縮できて、容易に目的の物を取り出すことが可能であり、非常に使い勝手が良いものである。
【０１３９】
以上説明してきたように、本実施の形態の綿パン１は、身頃４Ｆ，４Ｂの上部に接続しウエスト方向に延びる帯状をなすウエストベルト部１０が伸縮自在なＬポケット付きボトムスであって、ウエストベルト部１０の表側及び裏側を形成し、身頃４Ｆ，４Ｂに縫着していない端部１１ｔ側が延出自在な延出部１１と、延出部１１と共にウエストベルト部１０の表側及び裏側を形成し、延出部１１の身頃４Ｆ，４Ｂに縫着していない端部１１ｔ側を収容した収容部１２と、収容部１２の内部で収容部１２と延出部１１の間を弾性材としての平ゴム１６によって弾性的に接続した接続部１５と、前身頃４Ｆ側であって両脇の脇線ＲＳ，ＬＳに沿って取付けられ、Ｌポケット口外縁２６ＬがＬ字状でその上端が延出部１１に接続したＬポケット部２０Ｌと、前身頃４Ｆ側であって両脇の脇線ＲＳ，ＬＳに沿ってＬポケット部２０Ｌと重複して取付けられ、Ｌポケット部２０Ｌよりも容量が小さく、小ポケット口外縁２６Ｓの上端がＬポケット部２０ＬのＬ字状のＬポケット口外縁２６Ｌよりも脇線ＲＳ，ＬＳ寄りで延出部１１に接続した小ポケット部２０Ｓとを具備し、小ポケット部２０Ｓには、それを構成する小袋布２１Ｓの向こう布２１ＳＢ側に上端から下方に向かって延びた襞状のタック部２２が形成され、タック部２２の襞が少なくともその上方で展開自在であり、上方を除く一部で縫合されているものである。
【０１４０】
このように本実施の形態のＬポケット付きボトムスとしての綿パン１によれば、ウエスト方向に延びる帯状をなすウエストベルト部１０の表側及び裏側が、延出部１１と収容部１２で形成されており、延出部１１の端部１１ｔ側が収容部１２に挿入されて収容され、その状態で延出部１１と収容部１２の間が接続部１５の弾性材としての平ゴム１６によって弾性的に接続されている。これより、ウエストベルト部１０に対しウエスト方向に引張り力が掛かった際には、延出部１１と収容部１２の間を弾性的に接続した接続部１５の弾性材としての平ゴム１６の伸びによって、収容部１２から延出部１１が延出することにより、ウエストベルト部１０が伸長する。また、引張り力が解放されると、平ゴム１６の弾性力によって、伸長したウエストベルト部１０は元に戻る。こうして、身頃４Ｆ，４Ｂの上部に接続したウエストベルト部１０は、延出部１１と収容部１２の間を弾性的に接続した平ゴム１６の弾性力によって伸縮自在である。よって、ウエストベルト部１０が伸縮自在であることで、身体のウエスト周りの動きに追随できるから、食後や着座時等にウエスト周りが大きくなった際でも締め付け力、窮屈感を軽減し、常にウエスト周りにフィットでき、快適な着用感を得ることができる。
【０１４１】
更に、本実施の形態の綿パン１によれば、Ｌポケット口外縁２６ＬがＬ字状でその上端が延出部１１に接続したＬポケット部２０Ｌと、Ｌポケット部２０Ｌよりも容量が小さく、Ｌポケット部２０ＬのＬ字状のＬポケット口外縁２６Ｌの上端よりも脇線ＬＳ，ＲＳ寄りで小ポケット口外縁２６Ｓの上端が延出部１１に接続した小ポケット部２０Ｓとが脇線ＬＳ，ＲＳに沿って前身頃４Ｆ側に設けられている。このように、Ｌポケット部２０ＬのＬ字状のＬポケット口外縁２６Ｌの上端及びそれよりも脇線ＲＳ，ＬＳ寄りに位置する小ポケット部２０Ｓの小ポケット口外縁２６Ｓの上端は延出部１１に接続しているから、収容部１２に対する延出部１１の移動に伴い、Ｌポケット部２０ＬのＬ字状のＬポケット口外縁２６Ｌの上端及び小ポケット部２０Ｓの小ポケット口外縁２０Ｓの上端も移動することになる。
そして、小ポケット部２０Ｓを構成する小袋布２１Ｓの向こう布２１ＳＢ側においては、その上端から下方に向かって延びた襞状のタック部２２を形成し、少なくともその上方が展開自在であるので、ウエストベルト部１０に引張り力が掛かり収容部１２に対し延出部１１が延出するときには、小ポケット部２０Ｓに設けたタック部２２が展開することで、Ｌポケット部２０Ｌ、小ポケット部２０Ｓ、及び前身頃４Ｆに掛かる引張り力を逃がすことができ、ウエストベルト部１０をスムースに伸ばすことができる。
【０１４２】
このとき、小ポケット部２０Ｓに設けたタック部２２の襞はその上方を除く一部が縫合されているから、ウエストベルト部１０が伸びたときでも、タック部２２の開きが制限され、小袋布２１Ｓの生地の遊び、余裕が少なくなっている。これより、Ｌポケット部２０Ｌのポケット口外縁２６ＬがＬ字形状であることで、延出部１１の移動に伴うＬポケット部２０ＬのＬポケット口外縁２６Ｌの上端の移動により、Ｌポケット部２０ＬのＬポケット止まり７５Ｌから上で大きな引き攣り量が生じても、Ｌポケット部２０Ｌよりも脇線ＲＳ，ＬＳ寄りに設けた小ポケット部２０Ｓの小ポケット口２３Ｓから小袋布２１Ｓ（表地２５Ｓを含む）が吹き出したり、小ポケット部２０Ｓ及びその周囲に皺寄りが生じたりする事態が防止され、見栄えや外観性を維持できる。
このようにして、ウエスト部Ｗが伸びたときの脇ポケット部２０の美観を損なうことなく小ポケット部２０Ｓを設けたＬポケット付きボトムスとしての綿パン１となる。
【０１４３】
特に、本実施の形態に係る小ポケット部２０Ｓによれば、タック部２２の襞を縫合する縫合線７８の始端７８ｓは、小ポケット部２０Ｓの小ポケット止まり７５Ｓ、即ち、小ポケット口外縁２６Ｓの下端７５Ｓの高さに対応する位置７５ｔから上に垂直方向の長さで３ｃｍ以上、８ｃｍ以下の範囲内にあり、タック部２２の襞を縫合する終点７８ｅは、小ポケット部２０Ｓの小ポケット止まり７５Ｓ、即ち、小ポケット口外縁２６Ｓの下端７５Ｓの高さに対応する位置７５ｔまたはそれよりも下にある。
【０１４４】
これより、タック部２２の上方の襞の展開量を十分に確保しつつ、タック部２２の下方で襞の展開を制限できる。よって、ウエストベルト部１０が伸びたときでもウエストベルト部１０との境界付近の身頃４Ｆ，４Ｂや袋布２１Ｓ，２１Ｌの上方の引き攣りを抑えて見栄えを損なうことなく、小袋布２１Ｓ（表地２５Ｓを含む）がズボンの外側の小ポケット部２０Ｓの小ポケット口２３Ｓから吹き出したり脇ポケット部２０に皺寄りが生じたりするのを防止できる。即ち、ウエストベルト部１０が伸びたときの小袋布２１Ｓ（表地２５Ｓを含む）の変形を効果的に抑制でき、小袋布２１の歪みや皺寄りが生じ難いことで、ズボンを表側から見たときの美感、見栄えが向上する。
【０１４５】
特に、タック部２２の襞を縫合する終点７８ｅが、小ポケット部２０Ｓのポケット止まり７５Ｓ、即ち、小ポケット口外縁２６Ｓの下端７５Ｓの高さに対応する位置７５ｔであると、ウエストベルト部１０が伸びたときに、小ポケット部２０Ｓの小ポケット止まり７５Ｓ、即ち、小ポケット口外縁２６Ｓの下端７５Ｓを中心としたその周囲に発生する引き攣り、引張りを少なくでき小袋布２１Ｓの歪みや皺寄りを少なくできる。一方、タック部２２の襞を縫合する終点７８ｅが、小ポケット部２０Ｓの小ポケット止まり７５Ｓ、即ち、小ポケット口外縁２６Ｓの下端７５Ｓの高さに対応する位置７５ｔより下にあると、身頃４Ｆ，４Ｂや袋布２１Ｌ，２１Ｓが薄い生地であっても、効果的に、小ポケット部２０Ｓの小ポケット口２３Ｓからの小袋布２１Ｓ（表地２５Ｓを含む）の吹き出しを防止できる。
【０１４６】
また、小ポケット部２０Ｓのタック部２２の襞は、ズボン（ボトムス）の裏側から見たときに、襞を形成する２本の折り目２２１，２２２のうち、タック部２２の折畳み状態で小ポケット部２０Ｓの小袋布２１Ｓの向こう布２１ＳＢに表れない方の折り目２２１から５ｍｍ以内、より好ましくは、１ｍｍ以上、３ｍｍ以内の中縫いで縫合した場合には、タック部２２の襞を縫合した部分でも所定の展開量を確保できる。よって、Ｌポケット部２０ＬのＬポケット口２３Ｌの縦幅が長いときでも、また、身頃４Ｆ，４Ｂや袋布２１Ｌ，２１Ｓの生地が厚いときでも、ウエストベルト部１０が伸びた時に、小ポケット部２０Ｓのポケット止まり７５Ｓの周囲に生じやすい引き攣り、引っ張りを抑制して見栄えを向上させることができる。
なお、上記小袋布２１Ｓの向こう布２１ＳＢの外面側に表れていない折り目２２１とは、タック部２２の襞を形成するために谷折りした折り目線のことである。
また、上記中縫いは、ズボン（ボトムス）の裏側から見たときに、襞を縫合するときの縫合線（縫い目）７８が小ポケット部２０Ｓを形成する小袋布２１Ｓの向こう布２１ＳＢの外面側に表れないように襞を縫合する縫い方である。
【０１４７】
一方、小ポケット部２０Ｓのタック部２２の襞が、ズボン（ボトムス）の裏側から見たときに、襞を形成する２本の折り目２２１，２２２のうち、タック部２２の折畳み状態で小ポケット部２０Ｓの小袋布２１Ｓの向こう布２１ＳＢの外面側に表れる方の折り目２２２から７ｍｍ以内、より好ましくは、１ｍｍ以上、５ｍｍ以内でコバステッチで縫合した場合には、タック部２２の襞を縫合した部分では、その襞が殆ど展開しないから、身身頃４Ｆ，４Ｂや袋布２１Ｌ，２１Ｓの生地が薄いときでも、また、Ｌポケット部２０ＬのＬポケット口２３Ｌの縦幅が短いときでも、小ポケット部２０Ｓの小ポケット口２３Ｓからの小袋布２１Ｓ（表地２５Ｓを含む）の吹き出し、表出を効果的に抑え、また、小ポケット部２０Ｓ及びその周囲の皺寄りを効果的に抑え、見栄えを維持できる。
なお、上記小袋布２１Ｓの向こう布２１ＳＢの外面側に表れている折り目２２２とは、タックの襞を形成するために山折りした折り目線のことである。
また、上記コバステッチは、ズボン（ボトムス）の裏側から見たときに、襞を縫合するときの縫合線（縫い目）７８が小ポケット部２０Ｓを形成する小袋布２１Ｓ向こう布２１ＳＢの外面側に表れるように襞を縫合する縫い方である。
【０１４８】
加えて、本実施の形態の綿パン１によれば、小ポケット部２０Ｓを構成する小袋布２１Ｓの向こう布２１ＳＢ側で小ポケット部２０Ｓの小ポケット口外縁２６Ｓの位置に対応して芯材としてのハード芯７７が取付けられているから、ウエストベルト部１０が伸びたときの小ポケット部２０Ｓの小袋布２１の変形、皺寄りがより抑制される。よって、小ポケット部２０Ｓの小ポケット口２３Ｓからの小袋布２１Ｓ（表地２５Ｓを含む）の吹き出しや、小ポケット部２０Ｓ及びその周囲の皺寄りの抑制効果を高めることができる。これより、ウエストベルト部１０が伸びたときのポケットの見栄えを一層向上させることができる。
【０１４９】
更に、本実施の形態の綿パン１によれば、小ポケット部２０Ｓは、その小ポケット口外縁２６Ｓが脇線ＲＳ，ＬＳに沿って延びた直線状であるから、小ポケット部２０Ｓの小ポケット口外縁２６Ｓが脇線ＲＳ，ＬＳと一体となって見られることで目立ち難く、美感、外観性を維持できる。
【０１５０】
また、本実施の形態の綿パン１において、Ｌポケット部２０ＬのＬポケット口外縁２６Ｌが縦方向に短く横方向に長いＬ字状であり、また、小ポケット部２０Ｓの小ポケット口外縁２６Ｓの終端７５Ｓが、Ｌポケット部２０ＬのＬポケット口外縁２６Ｌの脇線ＲＳ，ＬＳ寄りの終端７５Ｌより下に位置していると、着用者の動きや骨盤の大きい人でもそのＬポケット口外縁２６Ｌ、即ち、Ｌポケット口２３Ｌが変形し難く、更に、小ポケット部２０Ｓの中に入れた物が取り出し易い大きさであり、かつ、Ｌポケット部２０Ｌの中に入れた物が落ち難い大きさである。よって、使い勝手が良く、また、見栄えに優れるものある。
【０１５１】
特に、Ｌポケット口外縁２６Ｌが縦方向に短く横方向に長いＬ字形状のＬポケット部２０Ｌにおいては、そのＬポケット止まり７５Ｌの位置、即ち、脇線ＲＳ，ＬＳと交わるＬ字状のポケット口外縁７６Ｓの終端７５Ｌがウエストベルト部１０に近い位置に設計されることで、そのＬポケット止まり７５の位置から上の引き攣り量が大きいものとなるが、小ポケット部２０Ｓのタック部２２の襞の一部を所定の位置で縫合線７８にて縫合することで、ウエストベルト部１０が伸びたときでも小袋布２１Ｓの表地２５の部分が小ポケット口２３Ｓから吹き出す事態が抑制され、見栄えを良くできる。
【０１５２】
そして、小ポケット部２０Ｓの小ポケット口外縁２６Ｓの終端７５Ｓが、Ｌポケット部２０ＬのＬ字状のポケット口外縁２６Ｌの脇線ＲＳ，ＬＳ寄りの終端７５Ｌより下に位置することで、ボトムスの表側から見て、小ポケット部２０Ｓのポケット口外縁２６Ｓの下方が前身頃４Ｆ及びＬポケット部２０Ｌを構成する大袋布２１Ｌの手前布２１ＬＦの後方に位置し、ウエストベルト部１０が伸びたときに小ポケット部２０Ｓの小ポケット口２３Ｓの膨らみ等による変化が前身頃４ＦやＬポケット部２０Ｌの大袋布２１Ｌの手前布２１ＬＦによって抑制されることでＬポケット部２０ＬのＬポケット止まり７５Ｌから上でより引き攣りが生じやすい構成となっていても、小ポケット部２０Ｓに設けたタック部２２の襞の一部を縫合していることで、小ポケット部２０Ｓの小ポケット口２３Ｓからの小袋布２１Ｓの表地２５の部分の吹き出しや、小ポケット部２０Ｓ及びその周辺の皺寄りを抑制できる。
【０１５３】
ところで、本発明を実施する場合には、綿パン１の身頃４Ｆ，４Ｂは、例えば、綿系、ポリエステル系、ウール系の生地等の１枚の生地で形成することも可能であるし、表地及び裏地の２枚の生地で二重に構成する場合もある。例えば、紳士用のボトムスの多くでは身頃４Ｆ，４Ｂの表地及び裏地が重ねられ、ズボンの裏側からみたときに、その裏地側の手前に小ポケット部２０Ｓの小袋布２１Ｓ及びＬポケット部２０Ｌの大袋布２１Ｌが配設して、小袋布２１Ｓ及び大袋布２１Ｌが表出する構造となる。一方、婦人用のボトムスの多くでは、身頃４Ｆ，４Ｂの表地及び裏地の間に小ポケット部２０Ｓの小袋布２１Ｓ及びＬポケット部２０Ｌの大袋布２１Ｌが配設され、ズボンの裏側からみたときに、小袋布２１Ｓ及び大袋布２１Ｌの手前に身頃４Ｆ，４Ｂの裏地が配設し、身頃４Ｆ，４Ｂの裏地によって小袋布２１Ｓ及び大袋布２１Ｌが隠れている。なお、綿パン１等では、身頃４Ｆ，４Ｂの表側を形成する生地（表地）には、ウエスト部Ｗの形状に沿わせるために開かないタック４ａが施される場合があり、そのタック４ａの部分に対応し、身頃４Ｆ，４Ｂの裏地が、いせ込んで（ダブらせて）ウエストベルト部１０に縫い合わせられる。即ち、身頃４Ｆ，４Ｂの裏地をつまんでウエストベルト部１０に縫い留められ襞状を形成する。特に、タック４ａを脇ポケット部２０やその付近の身頃４Ｆ，４Ｂに設けた場合には、脇ポケット部２０に入れたときに身頃４Ｆ，４Ｂに生じる皺の吸収を可能とする。
【０１５４】
ここで、更に、本実施の形態の変形例に係る綿パン１について、図１４乃至図１７を参照して説明する。
変形例においては、ウエストベルト部１０の表側のみを収容部１２から延出部１１が延出自在な構成とし、ウエストベルト部１０の裏側はウエスト方向に一体に形成した腰裏ベルト部３０で構成した点で上記実施の形態と相違する。その他の構成については、上記実施の形態に係る綿パン１と同様であるためここでは重複する詳細な説明を省略し、相違する点のみを説明する。
【０１５５】
即ち、変形例に係る綿パン１においては、ウエストベルト部１０の表側のウエスト長を収容部１２と延出部１１に分割し、ウエストベルト部１０の表側が収容部１２及びそれに収容された延出部１１によって形成されており、延出部１１の前身頃４Ｆに縫着されない端部１１ｔをウエストベルト部１０の表面の意匠面側から隠れるように収容部１２の内面側に収容されることで、ウエストベルト部１０の表側で収容部１２に対し延出部１１が挿入された構成である。つまり、ウエストベルト部１０の表側から見て、収容部１２に対しその内面側で延出部１１の端部１１ｔが重ねられ収められており、収容部１２と延出部１１はウエスト周囲で一体に連続しておらず分離している構成である。そして、これら収容部１２及び延出部１１は、収容部１２の内部（内面側）で平ゴム１６によって接続されている。
【０１５６】
上記実施の形態に係る綿パン１においては、ウエストベルト部１０の表側及び裏側に弾性材が露呈しないことで、見た目にも伸縮することが分かりづらいものとなっている。一方で、ウエストベルト部１０の表側で収容部１２に対し延出部１１が収められるその収容部１２の開口端１２ｅはベルト通し５を使用すればそれによって収容部１２から延出部１１が延出する部分を隠すことができるが、ウエストベルト部１０の裏側では収容部１２の開口端１２ｅが露呈することになるから、興味本位でその開口から内部構造を引き出して平ゴム１６による伸縮機構を壊してしまう恐れがある。
【０１５７】
これに対し、変形例に係る綿パン１では、ウエストベルト部１０の表側のみが、そのウエスト長を収容部１２と延出部１１に分割されて収容部１２及びそれに挿入された延出部１１によって形成されており、延出部１１の前身頃４Ｆに縫着されない先端部１１ｔをウエストベルト部１０の表面の意匠面側から隠れるように収容部１２内に重ね入れることで、ウエストベルト部１０の表側のみで収容部１２に対し延出部１１が挿入された構成である。
【０１５８】
つまり、ウエストベルト部１０の表側のみ収容部１２に対し延出部１１の端部１１ｔが重ねられ収められており、収容部１２と延出部１１はウエスト周囲で一体に連続しておらず分離している構成である。そして、延出部１１の先端部１１ｔが収められた収容部１２の内面側において、延出部１１と収容部１２の内面側とが弾性材としての平ゴム１６によって弾性的に接続されている。
【０１５９】
一方、ウエストベルト部１０の裏側は、収容部１２に縫着した収容部側裏ベルト部３２と延出部１１に縫着した延出部側裏ベルト部３１との間を平ゴム３３で接続してなる腰裏ベルト部３０で形成され、ウエスト周囲で一体に連続した構成である。
即ち、変形例では、ウエストベルト部１０の裏側は、ウエスト周囲で分離しておらず一体に連続している構成であり、ウエストベルト部１０の表側を形成している収容部１２に縫合した収容部側裏ベルト３２と、ウエストベルト部１０の表側を形成している延出部１１にその先端部１１ｔ側を除いて縫合した延出部側裏ベルト３１と、延出部側裏ベルト３１及び収容部側裏ベルト３２の間を接続した平ゴム３３からなる腰裏ベルト部３０で形成されている。
【０１６０】
このように、変形例では、ウエスト方向に延びる帯状のウエストベルト部１０の裏側をウエスト方向に一体に連続した腰裏ベルト部３０で構成し、収容部１２に縫合した収容部側裏ベルト３２と延出部１１の長さ方向の一部に縫合した延出部側裏ベルト３１と間を平ゴム３３によって弾性的に接続することで、平ゴム３３の弾性力により腰裏ベルト部３０を伸縮自在とする。
【０１６１】
したがって、ウエストベルト部１０に引張り力が掛かった際には、収容部１２と延出部１１の間を弾性的に接続する接続部１５の平ゴム１６の伸長によって、ウエストベルト部１０の表側では収容部１２から延出部１１が引き出されて延出すると共に、平ゴム３３の伸長によって、ウエストベルト部１０の裏側では腰裏ベルト部３０が伸長する。そして、ウエスト周りを伸ばそうとする力が解除されると、ウエストベルト部１０の内部の平ゴム１６及び腰裏ベルト部３０の平ゴム３３の弾性力によって元の本来の長さに戻るから、ウエストベルト部１０の表側では、再び延出部１１が収容部１２内に収容される方向に移動し元の状態に戻り、また、ウエストベルト部１０の裏側の腰裏ベルト部３０も元の本来の長さ状態に戻る。このようにして、本変形例においては、ウエストベルト部１０を伸縮自在としている。
【０１６２】
ここで、変形例においては、綿パン１のウエストベルト部１０の表側（外面側）を形成する延出部１１及び収容部１２と、綿パン１のウエストベルト部１０の裏側を形成する腰裏ベルト部３０の延出部側裏ベルト３１及び収容部側裏ベルト３２とは、前身頃４Ｆ及び後身頃４Ｂと共地（例えば、綿生地等）である。そして、図１５及び図１６で示すように、表側の収容部１２とそれに対応した裏側の収容部側裏ベルト３２の両者は、ウエストベルト部１０の上端側で縫合線６２Ａにて接続し、表側の延出部１１とそれに対応した裏側の延出部側裏ベルト３１の両者は、ウエストベルト部１０の上端側で縫合線６１Ａにて接続する構成である。
【０１６３】
詳しくは、ウエストベルト部１０の表側を構成する収容部１２とそれに対応するウエストベルト部１０の裏側を構成する収容部側裏ベルト３２は、身頃４Ｆ，４Ｂと共地からなり所定形状に切り出された所定幅の収容部１２及び収容部側裏ベルト３２の布地の各上下端部が内折りされ、折り返した上端部の折り目の近傍で収容部１２及び収容部側裏ベルト３２の両者が縫合線６２Ａにて縫合わされている。また、収容部１２の下側は、その折り返した下端部の折り目の近傍で後身頃４Ｂの上端部に縫合線６２Ｃにて縫合わされ、収容部１２に対応する収容部側裏ベルト３２の下側もその折り返した下端部の折り目の近傍で後身頃４Ｂの上端部に縫合わされている。このとき収容部側裏ベルト３２の下端は、必要に応じ、パイピング処理等による補強を行ってもよい。更に、変形例においても、上記と同様、収容部１２や収容部側裏ベルト３２の布地の内面（裏面）には、接着芯等の芯材としてのソフト芯ＳＣやハード芯ＨＣがアイロンプレス等によって貼付けられる。
【０１６４】
また、ウエストベルト部１０の表側を構成する延出部１１及びそれに対応するウエストベルト部１０の裏側の延出部側裏ベルト３１についても、身頃４Ｆ，４Ｂと共地からなり所定形状に切り出された所定幅の延出部１１及び延出部側裏ベルト３１の布地の各上下端部が内折りされ、折り返した上端部の折り目の近傍で延出部１１及び延出部側裏ベルト３１の両者が縫合線６１Ａにて縫合わされている。このとき、延出部１１に縫合する延出部側裏ベルト３１は、延出部１１の先端部１１ｔ側を除く延出部１１の一部に取付けられている。延出部１１の下側は、収容部１２に挿入される先端部１１ｔ側を除いて、上記実施の形態と同様に、袋布２１Ｓ，２１Ｌと共に、前身頃４Ｆに縫合線６１Ｃにて縫合わされている。また、延出部側裏ベルト３１Ｂの下側も、小袋布２１Ｓの向こう布２１ＳＢと共に前身頃４Ｆに縫合わされている。そして、本変形例においても、上記実施の形態と同様に、収容部１２内に挿入される延出部１１の先端部１１ｔは、前身頃４Ｆの上端部と縫合わされず自由な状態になっている。これより、収容部１２に入れられた延出部１１の先端部１１ｔは収容部１２から延出自在、つまり、ウエスト方向に相対移動自在とされ、その挿入深さが変化自在である。延出部１１や延出部側裏ベルト３１も、収容部１２及び収容部側裏ベルト３２と同様、それらの内面（裏面）には、接着芯等の芯材としてのソフト芯ＳＣやハード芯ＨＣがアイロンプレス等で貼付けられる。
なお、上記実施の形態に係る収容部１２が収容部表ベルト１２Ｆ及び収容部裏ベルト１２Ｂから構成されるのに対し、変形例に係る収容部１２は、実質的に、実施の形態の収容部表ベルト１２Ｆに相当するものである。同様に、実施の形態に係る延出部１１が延出部表ベルト１１Ｆ及び収容部裏ベルト１１Ｂから構成されるのに対し、本変形例に係る延出部１１は、実質的に、実施の形態の延出部表ベルト１１Ｆに相当するものである。
【０１６５】
更に、変形例においては、延出部１１に縫合線６１Ａにて縫合した延出部側裏ベルト３１の端部と収容部１２に縫合線６２Ａにて縫合した収容部側裏ベルト３２の端部の間が１本の平ゴム３３で接続されている。この平ゴム３３は、その一端部側が縫付線３６２にて収容部側裏ベルト３２の端部に縫付けられ、反対側の他端部側が縫付線３６１にて延出部側裏ベルト３１に縫付けられている。平ゴム３３をその両端部側で縫付けるときの縫付線３６１，３６２は、縫付け強度を確保できれば１本であってもよいし、２本以上としてもよい。
【０１６６】
このとき、変形例において、収容部側裏ベルト３２及び延出部側裏ベルト３１の間を接続する平ゴム３３は、延出部１１の先端部１１ｔ側が重ねられている収容部１２の一端の端１２ｅから前中心ＦＣ側に向かう延出部１１側に位置するが、その部分では延出部１１に縫着されていない。これにより、ウエストベルト部１０に引張り力がかかった際には、平ゴム３３による所定の伸びを確保し、腰裏ベルト部３０部がスムースに伸びるようにしている。なお、平ゴム３３による収容部側裏ベルト３２の端と延出部側裏ベルト３１の端との間の接続長さ（伸縮自在な長さ）は、平ゴム３３の弾性力にもよるが、平ゴム３３の未伸縮状態で、例えば、３．５ｃｍ〜６ｃｍ程度、好ましくは、４ｃｍ〜５ｃｍ程度に設定される。
【０１６７】
ここで、このように平ゴム３３は延出部１１に縫着されていないため、ウエストベルト部１０の上方で平ゴム３３と延出部１１の間から、延出部１１の内面側、例えば、延出部１１の上下で内折りした布地の裁ち切り線やハード芯ＨＣといった内部構造が見えると商品イメージを低下させる恐れがある。そこで、本変形例においては、平ゴム３３の配設位置に対応する延出部１１の内面側に、略長方形の裏地（図示せず）を縫付けるのが好ましい。延出部１１の内面に設ける裏地としては、特に、伸縮性を有しない生地、ポリエステル系の生地、ナイロン系の生地、スレーキ生地、リボンテープ等の生地であれば、接触抵抗が少なく、収容部１２に対する延出部１１の摺動性を向上させ、収容部１２と延出部１１の滑らかな動きを得ることができる。しかし、見栄えを維持するものとしては、その他の布地、芯地等であってもよい。
【０１６８】
なお、このような裏地は、例えば、その上端が、延出部１１の内面においてその内折りした上部の外面側に縫付けられ、下端が、収容部１２の内面においてその内折りした下部の外面側または内面側に縫付けられる。このとき、裏地の長さは、延出部１１の先端から前中心ＦＣ側に向かって平ゴム３３の配設位置に対応する部分まであってもよいし、収容部１２の開口近傍の平ゴム３３の配設位置に対応する部分のみであってもよい。何れにせよ、平ゴム３３と延出部１１の隙間から見える延出部１１の内面には、裏地が見えるようにすればよい。
このように延出部１１の内面において平ゴム３３の配設位置に対応する箇所に裏地を取付けることにより、平ゴム３３と延出部１１の間から延出部１１の内面が見えても、裏地が見えるだけであるから、商品イメージが低下しない。また、着用者が延出部１１の内部構造に興味を抱いて、延出部１１を引き出すことで伸縮自在構造を壊してしまう事態を防止することもできる。
【０１６９】
即ち、ウエストベルト部１０の表側を形成する延出部１１の内面側には、腰裏ベルト部３０の平ゴム３３に対応する位置で、延出部１１の上部に裏地の上部が縫付けによって取付けられ、延出部１１の下部に裏地１１Ｃの下部が縫付けによって取付けられていると、延出部１１と腰裏ベルト部３０の平ゴム３３との間から延出部１１の内面が見えたときでも裏地が見えるだけであるから、商品イメージの低下を防止できる。
【０１７０】
こうして、変形例に係る綿パン１は、ウエストベルト部１０の表側が互いに端部側を重ねた収容部１２及び延出部１１からなる構成とし、その間を所定の伸縮自在な長さ及び太さの平ゴム１６で弾性的に接続することで、収容部１２から延出部１１を延出自在とする伸縮自在構造である。一方、ウエストベルト部１０の裏側は、収容部１２に縫合した収容部側裏ベルト３２と、延出部１１の一部に縫合した延出部側裏ベルト３２との間を平ゴム３３で弾性的に接続することで、平ゴム３３の弾性力によりウエストベルト部１０の裏側を形成する腰裏ベルト部３０を伸縮自在とする構造である。
【０１７１】
このような変形例に係る綿パン１によれば、ウエストベルト部１０の裏側が延出部１１に縫合した延出部側裏ベルト３１と、収容部１２に縫合した収容部側裏ベルト３２と、それらの間を接続する平ゴム３３とからなり、ウエスト方向で連続して一体に形成された腰裏ベルト部３０で構成されているから、ウエストベルト部１０の裏側では収容部１２の開口端１２ｅが露出して目立つことがないので、興味本位で収容部１２の開口側から内部構造を引き出して壊してしむ事態を防止できる。そして、ウエストベルト部１０の表側では、収容部１２に対し延出部１１が収められるその収容部１２の開口端１２ｅはベルト通し５を使用すればそれによって収容部１２から延出部１１が延出する部分を隠すこともできる。
【０１７２】
更に、変形例に係る綿パン１によれば、収容部１２及び延出部１１を接続する平ゴム１６に加え、ウエストベルト部１０の裏側を構成する腰裏ベルト部３０にも収容部側裏ベルト３２及び延出部側裏ベルト３１の間を接続する平ゴム３３が用いられていることから、弾性力を強化でき、ウエストベルト部１０をより伸ばすことも可能であり、また、少ない外力で高い伸縮力を得ることができる。よって、平ゴム１６の耐久性の向上を可能とする。
なお、その他の構成については、上記実施の形態と同様であり、変形例においても、上記実施の形態と同様の作用効果が得られる。
【０１７３】
ここで、腰裏ベルト部３０について、図１４乃至図１６において、１本の平ゴム３３としているが、本発明を実施する場合には、図１７に示すように、収容部側裏ベルト３２及び延出部側裏ベルト３１を接続する弾性材として２本の平ゴムを用いることも可能である。
【０１７４】
即ち、図１７に示すように、互いに一部の厚みを重複させて上下に配設した平ゴムからなる上方側の上位ゴム３３Ａ及び下方側の下位ゴム３３Ｂによって収容部側裏ベルト３２と延出部側裏ベルト３１の間を接続してもよい。図１７においては、収容部側裏ベルト３２と延出部側裏ベルト３１の間を２本の上位ゴム３３Ａ及び下位ゴム３３Ｂで接続することによって、それら上位ゴム３３Ａ及び下位ゴム３３Ｂの弾性力により、腰裏ベルト部３０を伸縮自在としている。
【０１７５】
この図１７に示した腰裏ベルト部３０においては、別体である上位ゴム３３Ａ及び下位ゴム３３Ｂがそれらの一部を重ねて上下方向（ウエスト周方向に対して直角方向）に配設され、上側の上位ゴム３３Ａとその下側に位置する下位ゴム３３Ｂの各両端部が収容部側裏ベルト３２と延出部側裏ベルト３１に縫付けられている。このとき、収容部側裏ベルト３２及び延出部側裏ベルト３２の間に縫着されている上位ゴム３３Ａと下位ゴム３３Ｂの両者は、収容部側裏ベルト３２の一端部及び延出部側裏ベルト３１の一端部との間で縫合されることなく分離した状態にある。
【０１７６】
なお、上位ゴム３３Ａと下位ゴム３３Ｂの厚みの重複部分は、上位ゴム３３Ａ及び下位ゴム３３Ｂが重なった状態での上下端間の長さ距離である縦幅全長の１／１０以上、８／１０以下の範囲内とするのが好ましく、より好ましくは、２／１０以上、５／１０以下、更に好ましくは、３／１０以上、５／１０以下である。ここで、上位ゴム３３Ａ及び下位ゴム３３Ｂの厚みの重複領域が大きいと、伸び力が高くなり、人体の動きに対するフィット性の向上が可能となる。しかし、上位ゴム３３Ａ及び下位ゴム３３Ｂの厚みの重複領域が大き過ぎると、着用時の重厚感が増して着心地が低下したり、弾性力が強くなり過ぎてウエストの締め付け力が大きくなり窮屈感が増大したりする。
そこで、上位ゴム３３Ａ及び下位ゴム３３Ｂの厚みが重なる重複領域の縦幅長さが、上位ゴム３３Ａ及び下位ゴム３３Ｂが重なり合った状態での上下端間の長さ距離である縦幅全長に対して、１／１０以上、８／１０以下の範囲内であれば、より好ましくは２／１０以上、５／１０以下の範囲内、更に好ましくは３／１０以上、５／１０以下の範囲内であれば、締め付け力、窮屈感が強調されることなく、フィット感の増大を可能とする。
【０１７７】
また、上位ゴム３３Ａと下位ゴム３３Ｂの各縦幅長さ（本来の長さ）は、厚みを重複させた状態での上位ゴム３３Ａと下位ゴム３３Ｂの縦幅の全長の５／１０以上、８／１０以下の範囲内が好ましく、より好ましくは、６／１０以上、８／１０以下の範囲内である。上記範囲内あれば、重なりによる重厚感も少なくて、より少ない力で伸び易くてフィット性が良く、締め付け感、窮屈感もより少ないものとなる。
【０１７８】
なお、互いに一部を重ねて上下に配設する上位ゴム３３Ａと下位ゴム３３Ｂの縦幅の全長は、ウエストベルト部１０表側の収容部１２及び延出部１１に縫付けた延出部側裏ベルト３１や収容部側裏ベルト３２の縦幅の全長と比較して２ｃｍ以内の差（増減）はあるも、通常、同程度に設定され、例えば、３．５ｃｍ〜５ｃｍ程度に設定される。
そして、上位ゴム３３Ａの上端と延出部側裏ベルト３１の上端との高さ位置の差が大きいと、ウエストベルト部１０の裏側において上位ゴム３３Ａの上側で延出部側裏ベルト３１の露出量が増えるために、延出部側裏ベルト３１等の内部構造や縫製の仕方に興味を持って伸縮機構を無理に引き出して壊してしまったり、延出部側裏ベルト３１等の縫製を壊してしまったりする恐れがある。また、上位ゴム３３Ａの上端が低位置にあると、見栄えの確保等のために、上位ゴム３３Ａが縫付けられている延出部側裏ベルト３１の一端側の上端部や収容部側裏ベルト３２の一端側の上端部の縫い代の浮きを抑えるべくそこを延出部側裏ベルト３１の内面に縫付ける必要がある。しかし、上位ゴム３３Ａの上端を延出部側裏ベルト３１や収容部側裏ベルト３２の上端の高さと一致させて連続的であると、或いは、２ｃｍ以内の差であれば、上記事態を防止でき、縫製工程もより簡単で済む。
【０１７９】
ここで、上位ゴム３３Ａと下位ゴム３３Ｂの前後（表裏）方向の配置関係は、腰裏ベルト部３０の表側（意匠面側、身体側）から見て、図１７に示したように、下位ゴム３３Ｂの前方（手前側）に上位ゴム３３Ａが配設され両者の一部が重ねられても良いし、下位ゴム３３Ｂの後方に上位ゴム３３Ａが配設され両者の一部が重ねられても良い。
即ち、上位ゴム３３Ａ及び下位ゴム３３Ｂの関係は、上位ゴム３３Ａの下方に下位ゴム３３Ｂの上方が重ねられ互いに一部を重ね合わせて厚みを重複させていれば、腰裏ベルト部３０の表側（意匠面側、身体側）から見たときに、上位ゴム３３Ａの下方の手前側（上側）に下位ゴム３３Ｂの上方を重ねてもよいし、図１７に示したように、上位ゴム３３Ａの下方の後ろ側（下側）に下位ゴム３３Ｂの上方を重ねてもよい。
そして、例えば、図１７に示したように、腰裏ベルト部３０の表側（意匠面側、身体側）から見て、下位ゴム３３Ｂよりも上位ゴム３３Ａが手前にあり、上位ゴム３３Ａの下端縁が下位ゴム３３Ｂよりも手前に位置するものでは、タックインしたシャツのずれ上がりを防止する滑り止め機能を持たせたることもできる。
【０１８０】
また、図１７に示した腰裏ベルト部３０においては、上位ゴム３３Ａと下位ゴム３３Ｂは、共に、そのウエスト方向の一端部側が収容部側裏ベルト３２の端部に縫付けられ、反対側の他端部側が延出部側裏ベルト３１に縫付けられるが、上位ゴム３３Ａと下位ゴム３３Ｂは、伸縮自在な長さを同一としていてもよいし、伸縮自在な長さを相違させてもよい。上位ゴム３３Ａと下位ゴム３３Ｂの収容部側裏ベルト３２及び延出部側裏ベルト３１間の接続長さ、即ち、伸縮長さを同一とする場合には、両者を所定に重複させた状態でまとめて延出部側裏ベルト３１や収容部側裏ベルト３２に縫製することから、縫製に不慣れな作業者でも縫製が分かりやすく、作業効率を向上できる。一方で、下位ゴム３３Ｂと上位ゴム３３Ａとで伸縮自在な長さを相違させていると、引張り力がかかった際に、下位ゴム３３Ｂと上位ゴム３３Ａにかかる負荷が分散されるから、下位ゴム３３Ｂと上位ゴム３３Ａを長持ちさせることができる。また、延出部側裏ベルト３１や収容部側裏ベルト３２への下位ゴム３３Ｂと上位ゴム３３Ａの縫製の縫い目にかかる負荷等も分散されるから、それら縫い目の解れも生じ難く、また、生地を傷め難い。
【０１８１】
例えば、図１７に示すように、腰裏ベルト部３０の表側（意匠面側、身体側）、つまり、ズボンの腰裏側からみて、上方側の上位ゴム３３Ａを手前とし、下位ゴム３３Ｂを上位ゴム３３Ａの後方に配設したとき、その上位ゴム３３Ａは、収容部側裏ベルト３２の端部に縫付線３６２Ａにて縫付け、また、延出部側裏ベルト３１の端部に縫付線３６１Ａにて縫付ける一方で、下位ゴム３３Ａは、縫付線３６２Ａよりも収容部側裏ベルト３２の端部側から離れた位置で縫付線３６２Ｂにて縫付け、また、縫付線３６１Ａよりも延出部側裏ベルト３１の端部側から離れた位置で縫付線３６１Ｂにて縫付ける。これより、上位ゴム３３Ａよりも下位ゴム３３Ｂの伸縮自在な長さ（接続長さ）を長くして、伸びによる変化を相違させることで、負荷を分散させゴム等を長持ちさせることができる。特に、このように上位ゴム３３Ａよりも下位ゴム３３Ｂの伸縮自在な長さ（接続長さ）を長くすることで、上位ゴム３３Ａ及び下位ゴム３３Ｂの全体縦幅を短くしなくとも、ウエストベルト部１０に引張り力が掛かった際に、上位ゴム３３Ａが上方に凸に湾曲して、ズボンの表側で延出部１１の上に上位ゴム３３Ａが突出して露呈するのを防止し、見栄えを維持できる。勿論、本発明を実施する場合は、上位ゴム側３３Ａで伸縮自在な長さを長くすることも可能である。
【０１８２】
このように、図１７に示した腰裏ベルト部３０によれば、別体に形成された上位ゴム３３Ａと下位ゴム３３Ｂをそれらの一部で重ねて上下方向に配設して延出部側裏ベルト３１と収容部側裏ベルト３２の間を接続し、上位ゴム３３Ａと下位ゴム３３Ｂが延出部側裏ベルト３１及び収容部側裏ベルト３２の間で一体化されずに分離している構成であるため、ウエストベルト部１０に引張り力がかかった際に上位ゴム３３Ａと下位ゴム３３Ｂにかかる負荷が分散される。よって、長期間の着用でもゴムの弾性力が低下し難く、腰裏ベルト部３０の伸縮性、弾力性が低下しにくい。
【０１８３】
そして、上位ゴム３３Ａと下位ゴム３３Ｂの厚みの重複により弾性力を高くできるから、伸び量を向上できる。このとき、上位ゴム３３Ａと下位ゴム３３Ｂはそれぞれの一部分が重なっており、しかも、延出部側裏ベルト３１と収容部側裏ベルト３２の間で上位ゴム３３Ａと下位ゴム３３Ｂが結合されていないと互いに動きが拘束され難いことから、伸ばす外力も少なくて済む。よって、強力な締め付け感、窮屈感を増大させることなく、弾性力を向上させることができる。そして、少ない外力で高い伸縮力が得られヤング率を小さくできるから弾性力も低下し難く、耐久性が維持される。即ち、このような相互に一部を重ねて上下に配設した上位ゴム３３Ａ及び下方側の下位ゴム３３Ｂによれば、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。故に、耐久性を確保しつつ、強力な締め付け感、窮屈感を生じさせることなく少ない外力でも容易に伸縮して人体のウエストの動きに追従する滑らかな伸縮によりフィット性を高めることができる。
【０１８４】
こうして、図１７に示した腰裏ベルト部３０によれば、上方の弾性材及び下方の弾性材としての上位ゴム３３Ａ及び下位ゴム３３Ｂの２本の弾性材によって延出部側裏ベルト３１と収容部側裏ベルト３２の間を接続し、上位ゴム３３Ａの下方に下位ゴム３３Ｂの上方を重複させて上下に配設されているものである。このような、厚みを重複させた上位ゴム３３Ａ及び下位ゴム３３Ｂの並列構造によって、着用時の締め付け感、窮屈感の低減を可能とする。
なお、上位ゴム３３Ａ及び下位ゴム３３Ｂは、上位ゴム３３Ａの下方に下位ゴム３３Ｂの上方が重ねられており、互いに厚みの一部を重ねて重複させているものであり、ボトムスの裏側から見て上位ゴム３３Ａの手前側に下位ゴム３３Ｂを重ねてもよいし、上位ゴム３３Ａの後ろで下位ゴム３３Ｂを重ねてるようにしてもよい。
【０１８５】
特に、互いに一部の厚みを重複させて上下に配設した上位ゴム３１と下位ゴム３２は、それら厚みを重複させた状態での縦幅の全長の１０％以上、８０％以下の範囲内で厚みを重複させていると、締め付け力、窮屈感が強調されることなく、より人体のウエストの動きに追従するフィット感が得られる。
また、上位ゴム３１と下位ゴ３２の各縦幅長さは、互いに厚みを重複させているときの上位ゴム３１と下位ゴム３２の縦幅の全長の５０％以上、８０％以下の範囲内であると、重厚感も少なくて、より少ない力で伸び易くてフィット性が良く、締め付け感、窮屈感もより少なくなる。
つまり、強力な締め付け感、窮屈感を生じさせることなく弾性力を強化でき、少ない外力で高い伸縮力を得ることができる。よって、より少ない締め付け感、窮屈感で人体のウエストの動きに追従するフィット性を高めることができ、着用感を向上させることができる。
【０１８６】
こうして、変形例に係る綿パン１は、身頃４Ｆ，４Ｂの上部に接続しウエスト方向に延びる帯状をなすウエストベルト部１０が伸縮自在なＬポケット付きボトムスであって、ウエストベルト部１０の表側を形成し、身頃４Ｆ，４Ｂに縫着していない端部１１ｔ側が延出自在な延出部１１と、延出部１１と共にウエストベルト部１０の表側を形成し、延出部１１の身頃４Ｆ，４Ｂに縫着していない端部１１ｔ側を収容した収容部１２と、収容部１２の内部で収容部１２と延出部１１の間を弾性材としての平ゴム１６によって弾性的に接続した接続部１５と、ウエスト方向に一体に連続してウエストベルト部１０の裏側を形成し、収容部１２の裏側に縫付けた収容部側裏ベルト３１と延出部１１の裏側に縫付けた延出部側裏ベルト３２の間を平ゴム１６とは異なる他の弾性材としての平ゴム３３、または、上位ゴム３３Ａ及び下位ゴム３３Ｂによって弾性的に接続してなり、平ゴム３３、または、上位ゴム３３Ａ及び下位ゴム３３Ｂによって伸縮自在な腰裏ベルト部３０と、前身頃４Ｆ側であって両脇の脇線ＲＳ，ＬＳに沿って取付けられ、Ｌポケット口外縁２６ＬがＬ字状でその上端が延出部１１に接続したＬポケット部２０Ｌと、前身頃４Ｆ側であって両脇の脇線ＲＳ，ＬＳに沿ってＬポケット部２０Ｌと重複して取付けられ、Ｌポケット部２０Ｌよりも容量が小さく、小ポケット口外縁２６Ｓの上端がＬポケット部２０ＬのＬ字状のＬポケット口外縁２６Ｌよりも脇線ＲＳ，ＬＳ寄りで延出部１１に接続した小ポケット部２０Ｓとを具備し、小ポケット部２０Ｓは、それを構成する小袋布２１Ｓの向こう布２１ＳＢ側に上端から下方に向かって延びた襞状のタック部２２が形成され、タック部２２の襞が少なくともその上方で展開自在であり、上方を除く一部で縫合されているものである。
【０１８７】
この変形例に係る綿パン１においても、ウエストベルト部１０に対しウエスト方向に引張り力が掛かった際には、延出部１１と収容部１２の間を弾性的に接続した接続部１５の平ゴム１６の伸びによって、収容部１２から延出部１１が延出すると共に、腰裏ベルト部３０の弾性材としての平ゴム３３または上位ゴム３３Ａ及び下位ゴム３３Ｂの伸びによって腰裏ベルト部３０が伸びることにより、ウエストベルト部１０が伸長する。また、引張り力が解放されると、平ゴム１６の弾性力、腰裏ベルト部３０の平ゴム３３または上位ゴム３３Ａ及び下位ゴム３３Ｂの弾性力によって、伸長したウエストベルト部１０は元に戻る。即ち、ウエストベルト部１０は、延出部１１と収容部１２の間を弾性的に接続した平ゴム１６の弾性力、腰裏ベルト部３０の平ゴム３３または上位ゴム３３Ａ及び下位ゴム３３Ｂの弾性力によって伸縮自在である。
そして、変形例に係る綿パン１では、ウエストベルト部１０の裏側においてウエスト方向の一部に平ゴム３３または上位ゴム３３Ａ及び下位ゴム３３Ｂを配設するものであるから、低コストで済み、また、伸縮に伴う弛みも少なくなるから見栄えも良い。
その他の構成については、上記実施の形態と同様であり、変形例においても、上記実施の形態と同様の作用効果が得られる。
【０１８８】
なお、上記実施の形態やその変形例のＬポケット付きボトムスは、綿パン以外にも、例えば、スーツ、スラックス等のカジュアルでないボトムス、チノパンやジーンズ（Ｇパン）等のカジュアルなボトムス、スポーツウエアのボトムス等に適用されるものであり、更に、ボトムスとしてはズボンに限られるものでもなく、スカートやキュロットスカート等にも適用できる。また、収容部１２及び延出部１１を重ね合わせ、収容部１２の内側でそれらの間を平ゴム１６によって接続することで、ウエストベルト部１０の表側に弾性材が露出しないから、見栄えを損なうことなく人体のウエストの動きに追従するフィット性を高めることができる。よって、ゴルフ等の運動(スポーツ)時に着用するゴルフスラックス等のトレーニングウエア、スポーツウエアにも好適であり、高いフィット性により激しい動きにも追従し、高い着用感を得ることができる。
【０１８９】
また、上記実施の形態やその変形例では、左右の脇線ＬＳ，ＲＳの近傍の２箇所に収容部１２及び延出部１１を重ね合わせた重ね合わせ部１３を有し、それに対応して平ゴム１６を左右の２箇所に配設し、また、Ｌポケット部２０Ｌ及び小ポケット部２０Ｓからなる脇ポケット部２０を左右の２箇所に配設した綿パン１で説明した。しかし、本発明を実施する場合には、収容部１２及び延出部１１の重ね合わせ部１３を１箇所以上とし、また、それに対応する平ゴム１６や、Ｌポケット部２０Ｌ及び小ポケット部２０Ｓからなる脇ポケット部２０も１箇所以上であればよい。
【０１９０】
なお、上記実施の形態では、ウエストベルト部１０の表側及び裏側を身頃４Ｂ，４Ｆと共地（綿生地等）とし、即ち、収容部１２を構成する収容部表ベルト１２Ｆ及び収容部裏ベルト１２Ｂ並びに延出部１１を構成する延出部表ベルト１１Ｆ及び延出部裏ベルト１１Ｂを身頃４Ｂ，４Ｆと共地とし、ウエストベルト部１０の上端部で表側と裏側の生地を接ぐ構成としている。しかし、本発明を実施する場合には、ウエストベルト部１０の表側と裏側を別生地で構成することも可能である。勿論、身頃４Ｆ，４Ｂや、ウエストベルト部１０の表側、裏側の生地も、綿系の生地に限定されるものではなく、ポリエステル系、ウール系の生地等であってもよい。更に、例えば、ウエストベルト部１０の表側の生地は、身頃４Ｂ，４Ｆと共地とし、ウエストベルト部１０部の裏側は、タックインしたシャツがズボンから食み出るのを防止する滑り止め機能を持たせたポリエステル系、ナイロン系、レーヨン系、綿、スレーキ、リボンテープ、ラバー等からなる、所謂、マーベルト仕様とすることもできる。勿論、ウエストベルト部１０の表側も身頃４Ｆ，４Ｂとは別生地で作製することも可能であるし、収容部１２側と延出部１１側で異なる生地を使用することも可能である。更に、変形例においても、腰裏ベルト部３０の延出部側裏ベルト３１Ｂや収容部側裏ベルト３２Ｂをマーベルト仕様とすることも可能である。
【０１９１】
また、上記実施の形態やその変形例では、図において、Ｌポケット部２０ＬのＬポケット口外縁２６ＬのＬ字の縦と横の交わる角部が緩やかにカーブした形状であるが、本発明を実施する場合には、例えば、図１８に示したように、Ｌ字の縦と横の交わる角部が角張ったＬ字形状としてもよく、その角部も９０°であることを要求するものではなく、９０°以上、または９０°以下であってもよい。なお、このときのＬポケット部２０ＬのＬポケット口２３Ｌの開口幅（縦幅）も、例えば、５ｃｍ〜１１ｃｍ程度、好ましくは、６ｃｍ〜１０ｃｍ程度に設定される。そして、Ｌポケット部２０ＬのＬポケット口外縁２６Ｌの上端と、脇線ＬＳ，ＲＳの間の横幅の長さ（距離）は、例えば、９ｃｍ〜１８ｃｍ、好ましくは、１０ｃｍ〜１４ｃｍであり、Ｌポケット部２０ＬのＬポケット口外縁２６Ｌの上端と、小ポケット部２０Ｓの小ポケット口外縁２６Ｓの上端の間の横幅の長さ（距離）も、例えば、９ｃｍ〜１８ｃｍ、好ましくは、１０ｃｍ〜１４ｃｍである。そして、何れの形状も、カーブ状または直角状のコーナから脇線ＲＳ，ＬＳ側に向かっては、緩やかに下方に傾く（斜めに下る）傾斜状としているが、水平方向に真っ直ぐな直線状としてもよい。また、本発明を実施する場合には、Ｌポケット部２０ＬのＬポケット口外縁２６Ｌが、そのカーブまたは直角状のコーナから脇線ＲＳ，ＬＳ側に向かう手前で下方に更にカーブしてから脇線ＬＳ，ＲＳに接続し、Ｌポケット口外縁２６ＬのＬポケット口外縁２６Ｌの下端、即ち、Ｌポケット止まり７５Ｌが、小ポケット口外縁２６の下端、即ち、小ポケット止まり７５Ｓよりも下方に位置するようにしてもよい。これにより、小ポケット部２０Ｓの小ポケット口外縁２６の下端、即ち、小ポケット止まり７５Ｓが、前身頃４Ｆ及び大袋布２１Ｌの手前布２１ＬＦに隠れることなく表出し、小ポケット部２０Ｓに物を入れるときに、小ポケット口外縁２６側が前身頃４Ｆ及び大袋布２１Ｌの手前布２１ＬＦに当たり難くなり、小ポケット口２３を開き易くすることができる。
【０１９２】
上記実施の形態やその変形例では、収容部１２の内部において延出部１１及び収容部１２の間を接続する平ゴム１６に対し、伸び止め材１７を並設する構成を説明したが、本発明を実施する場合には、伸び止め材１７は、延出部１１を収容部１２側に延ばして延出部１１と一体としたストッパー部分として形成し、そのストッパー部分に、平ゴム１６の最大伸びを制限する伸び止め材１７の役割を持たせることも可能である。即ち、延出部１１の先端を細くして延長し、共布で伸び止め材１７の役割をするストッパー部分を設けることによって、伸び止め材１７を形成してもよい。このような場合には、単独の伸び止め材１７をリボンテープ等で設ける必要がなく、縫製工程も簡略化されるため、コストがかからず安価にゴムを長持ちさせることができる。また、伸び止め材１７以外にも、伸縮するゴムの伸びの限界を綿等の繊維の織り込みによって規定することも可能である。
しかし、本発明を実施する場合、伸び止め材１７については省略することも可能である。伸び止め材１７を省略した場合には、例えば、小ポケット部２０Ｓを構成する小袋布２１Ｓのタック部２２の展開量によって、平ゴム１６の最大の伸び長さを規定することも可能である。
【０１９３】
加えて、上記実施の形態やその変形例では、小ポケット部２０Ｓを形成する袋布２１Ｓの向こう布２１ＳＢ側に対し、その小ポケット口外縁２６Ｓが移動する範囲で、ズボンの外側で、身頃４Ｆ，４Ｂと共地の表地（共布向こう布）２５が縫付けられているが、本発明を実施する場合には、その表地部分を、後身頃４Ｂ側の生地を前身頃４Ｆ側に延ばすことで形成することも可能である。即ち、後身頃４Ｂ側の生地を延長し、それを袋布２１Ｓの向こう布２１ＳＢ側に重ね合わせて縫付けることも可能である。このような場合には、ズボンの表側に脇線ＬＳ，ＲＳの縫付線を表出させない縫製も可能であり、ウエストベルト部１０が伸びて、小ポケット口外縁２６Ｓの移動に伴い表出する部分が、後身頃４Ｂ側と一体のものとして認識されやすく、小ポケット部２０Ｓ近傍の見栄えを良く保つことができる。また、本発明を実施する場合には、ジーンズのように、Ｌポケット部２０Ｌ内に、更に、第３のポケットとして、所謂、コインポケット（ウォッチポケット）を付加することも可能である。
【０１９４】
更に、上記実施の形態やその変形例では、小袋布２１Ｓやタック部２２の形状維持、皺寄り防止、見栄えの向上のために補助弾性材としての平ゴム２８を設けている。この補助弾性材としての平ゴム２８の弾性力は、主弾性材としての平ゴム１６の弾性力に比較すると小さく、ウエストサイズの伸縮のための主弾性材としての平ゴム１６の弾性力からすれば無視できる程度である。また、見栄えに影響する皺が入る可能性も低いことから、当然、省略することも可能である。
そして、本発明を実施する場合、十分な弾性を有するものであれば、収容部１２と延出部１１の間を弾性的に接続する弾性材や、腰裏ベルト部３０の弾性材は、平ゴムに限定されず、ゴム製板、ストレッチテープ（ゴム入り布）、パワーネット生地、サテンネット生地、ストレッチサテン生地、ストレッチレース生地等の様々な弾性を有する素材を用いることも可能である。補助弾性材としての平ゴム２８についても同様である。
【０１９５】
そして、本発明を実施するに際しては、ボトムスの構造、形状、材質、生地、大きさ、長さ、幅、接続関係等についても、上記実施の形態に限定されるものではない。例えば、ジーンズ（Ｇパン）、綿パンを始めとするカジュアルなボトムス、特に、紳士用のズボンにおいては、ウエストベルト部１０の上下の両端や、脇ポケット部２０のポケット口外縁２６Ｓ，２６Ｌ等に布を落ち着かせたり縫い代を安定させたり強度を補完するためにステッチを施すこともある。
なお、本発明の実施の形態で挙げている数値は、臨界値を示すものではなく、実施に好適な好適値を示すものであるから、上記数値を若干変更してもその実施を否定するものではない。
【符号の説明】
【０１９６】
１      綿パン
４Ｆ    前身頃
４Ｂ    後身頃
１０    ウエストベルト部
１１    延出部
１２    収容部
１５    接続部
１６    平ゴム（弾性材）
２０Ｌ  Ｌポケット部
２０Ｓ  小ポケット部
２１Ｌ  大袋布
２１Ｓ  小袋布
２２    タック部
２３Ｌ  Ｌポケット口
２３Ｓ  小ポケット口
２６Ｌ  Ｌポケット口外縁
２６Ｓ  小ポケット口外縁
３０  腰裏ベルト部
３１  延出部側裏ベルト
３２  収容部側裏ベルト
３３  平ゴム（他の弾性材）
３３Ａ  上位ゴム（他の弾性材）
３３Ｂ  下位ゴム（他の弾性材）
７８  縫合線
ＬＳ  左脇線
ＲＳ  右脇線